(57)【要約】【課題】無線通信システムは、システムの平均セルスループットおよび／またはそのセルエッジスループットに基づいて評価される。セルエッジユーザは、低い受信信号強度を経験し、セルエッジ性能はセル間干渉によって影響される。周波数再利用は、多数またはすべてのセルが多数またはすべての時間リソースおよび周波数リソース上で同時に送信する時、システムが干渉制限される。電力ブースティングは、サービングセル信号強度と干渉信号強度との両方が増やされるので、セルエッジ性能を改善しない。【解決手段】本発明の諸実施形態は、１つまたは複数の送信ポイント（チャネル状態情報（ＣＳＩ）基準信号リソース）のＣＳＩを決定し、通信する方法およびシステムを企図する。諸実施形態は、送信状態の決定が少なくとも１つの送信状態パラメータをチャネル状態情報に適用することを含むことをさらに企図する。さらに送信状態および／またはこれに適用される少なくとも１つの送信状態パラメータに基づくＣＳＩの報告も企図する。【選択図】図４
2020174366.tif 000002
【特許請求の範囲】
【請求項１】
無線送信／受信ユニット（ＷＴＲＵ）であって、
メモリと、
少なくとも、
単一のセルから送られたチャネル状態情報基準信号（ＣＳＩ−ＲＳ）の複数のセットを含む構成を受信し、ＣＳＩ−ＲＳの各セットはリソース要素のそれぞれのセットの上で受信されるよう構成され、ＣＳＩ−ＲＳの各セットは異なる直交周波数分割多重（ＯＦＤＭ）シンボルで受信されるよう構成され、
ＣＳＩ−ＲＳの前記複数のセットの内の少なくともＣＳＩ−ＲＳの第１のセットの測定に基づいて、受信信号強度（ＲＳＲＰ）を推定し、
ＣＳＩ−ＲＳの前記第１のセットを識別する、ＣＳＩ−ＲＳの前記第１のセットに関連付けられたインジケータを決定し、
ＣＳＩ−ＲＳの前記第１のセットに関連付けられた前記ＲＳＲＰのインジケーションおよびＣＳＩ−ＲＳの前記第１のセットに関連付けられた前記インジケータを含む測定報告を送る
よう構成されたプロセッサと
を備えたＷＴＲＵ。
【請求項２】
前記プロセッサは、１つ以上の隣接セルのセル固有参照信号（ＣＲＳ）測定を実行するようさらに構成された請求項１に記載のＷＴＲＵ。
【請求項３】
前記プロセッサは、前記測定報告の中で、前記ＷＴＲＵと通信をするノードへ前記ＣＲＳ測定を送るようさらに構成された請求項２に記載のＷＴＲＵ。
【請求項４】
前記プロセッサは、ＣＳＩ−ＲＳの前記第１のセットの測定に基づいて、受信信号品質（ＲＳＲＱ）を推定するようさらに構成された請求項１に記載のＷＴＲＵ。
【請求項５】
前記プロセッサは、前記ＲＳＲＱが、前記ＷＴＲＵと通信をするノードへ前記測定報告の中で送られるようさらに構成された請求項４に記載のＷＴＲＵ。
【請求項６】
前記構成は、１つ以上の隣接セルと関連付けられている１つ以上の周波数と関連付けられた１つ以上のＣＳＩ−ＲＳをさらに含み、
前記プロセッサは、前記１つ以上の隣接セルと関連付けられている前記１つ以上の周波数と関連付けられた前記１つ以上のＣＳＩ−ＲＳの測定を実行するようさらに構成された請求項１に記載のＷＴＲＵ。
【請求項７】
前記プロセッサは、
ＣＳＩ−ＲＳの前記複数のセットの内の少なくともＣＳＩ−ＲＳの第２のセットに関連付けられた測定に基づいて、ＲＳＲＰを推定し、
ＣＳＩ−ＲＳの前記第２のセットを識別する、ＣＳＩ−ＲＳの前記複数のセットの内のＣＳＩ−ＲＳの前記第２のセットに関連付けられたインジケータを決定し、
ＣＳＩ−ＲＳの前記第２のセットに関連付けられた前記ＲＳＲＰのインジケーションおよびＣＳＩ−ＲＳの前記第２のセットと関連付けられた前記インジケータを、前記測定報告の中に含める
ようさらに構成された請求項１に記載のＷＴＲＵ。
【請求項８】
ＣＳＩ−ＲＳの前記第１のセットに関連付けられた前記インジケータは、前記ＲＳＲＰがＣＳＩ−ＲＳの前記第１のセットの測定に基づいて決定されたことの明示的なインジケーションに対応する請求項１に記載のＷＴＲＵ。
【請求項９】
ＣＳＩ−ＲＳの前記第１のセットに関連付けられた前記インジケータは、少なくともビットマップまたはインデックスの順序付けられたリストの少なくとも１つを含む請求項１に記載のＷＴＲＵ。
【請求項１０】
ＣＳＩ−ＲＳの前記複数のセットは、非ゼロ電力ＣＳＩ−ＲＳである請求項１に記載のＷＴＲＵ。
【請求項１１】
ＣＳＩ−ＲＳの前記第１のセットに関連付けられた前記インジケータは、リソース構成インデックスに対応する請求項１に記載のＷＴＲＵ。
【請求項１２】
無線送信／受信ユニット（ＷＴＲＵ）によって実施される方法であって、
単一のセルから送られたチャネル状態情報基準信号（ＣＳＩ−ＲＳ）の複数のセットを含む構成を受信するステップであって、ＣＳＩ−ＲＳの各セットはリソース要素のそれぞれのセットの上で受信されるよう構成され、ＣＳＩ−ＲＳの各セットは異なる直交周波数分割多重（ＯＦＤＭ）シンボルで受信されるよう構成されている、ステップと、
ＣＳＩ−ＲＳの前記複数のセットの内の少なくともＣＳＩ−ＲＳの第１のセットの測定に基づいて、受信信号強度（ＲＳＲＰ）を推定するステップと、
ＣＳＩ−ＲＳの前記第１のセットを識別する、ＣＳＩ−ＲＳの前記第１のセットに関連付けられたインジケータを決定するステップと、
ＣＳＩ−ＲＳの前記第１のセットに関連付けられた前記ＲＳＲＰのインジケーションおよびＣＳＩ−ＲＳの前記第１のセットに関連付けられた前記インジケータを含む測定報告を送るステップと
を備える方法。
【請求項１３】
１つ以上の隣接セルのセル固有参照信号（ＣＲＳ）測定を実行するステップと、
前記測定報告の中で、前記ＷＴＲＵと通信をするノードへ前記ＣＲＳ測定を送るステップと
をさらに備える請求項１２に記載の方法。
【請求項１４】
ＣＳＩ−ＲＳの前記第１のセットの測定に基づいて、受信信号品質（ＲＳＲＱ）を推定するステップ
をさらに備える請求項１２に記載の方法。
【請求項１５】
前記ＷＴＲＵと通信をするノードへ、前記測定報告の中で前記ＲＳＲＱを送るステップ
をさらに備える請求項１４に記載の方法。
【請求項１６】
前記構成は、１つ以上の隣接セルと関連付けられている１つ以上の周波数と関連付けられた１つ以上のＣＳＩ−ＲＳをさらに含み、
前記１つ以上の隣接セルと関連付けられた前記１つ以上の周波数と関連付けられた前記１つ以上のＣＳＩ−ＲＳの測定を実行するステップ
をさらに備える請求項１２に記載の方法。
【請求項１７】
ＣＳＩ−ＲＳの前記複数のセットの内の少なくともＣＳＩ−ＲＳの第２のセットに関連付けられた測定に基づいて、ＲＳＲＰを推定するステップと、
ＣＳＩ−ＲＳの前記第２のセットを識別する、ＣＳＩ−ＲＳの前記複数のセットの内のＣＳＩ−ＲＳの前記第２のセットに関連付けられたインジケータを決定するステップと、
ＣＳＩ−ＲＳの前記第２のセットに関連付けられた前記ＲＳＲＰのインジケーションおよびＣＳＩ−ＲＳの前記第２のセットと関連付けられた前記インジケータを、前記測定報告の中に含めるステップと
をさらに備える請求項１２に記載の方法。
【請求項１８】
前記ＲＳＲＰがＣＳＩ−ＲＳの前記第１のセットの測定に基づいて決定されたことの明示的なインジケーションに対応する、ＣＳＩ−ＲＳの前記第１のセットに対する前記インジケータを送るステップ
をさらに備える請求項１２に記載の方法。
【請求項１９】
ＣＳＩ−ＲＳの前記第１のセットに関連付けられた前記インジケータは、少なくともビットマップまたはインデックスの順序付けられたリストの少なくとも１つを含み、ＣＳＩ−ＲＳの前記複数のセットは、非ゼロ電力ＣＳＩ−ＲＳである請求項１２に記載の方法。
【請求項２０】
少なくとも１つのサブフレームの中で、ＣＳＩ−ＲＳの前記第１のセットと関連付けられた前記インジケータを送るステップであって、前記少なくとも１つのサブフレームは、システムフレーム番号またはサブフレーム番号の少なくとも１つに基づいて決定される、ステップ
をさらに備える請求項１２に記載の方法。
【発明の詳細な説明】
【背景技術】
【０００１】
本発明は、複数の送信ポイントのチャネル状態情報（ＣＳＩ）の通信に関する。
【０００２】
無線通信システムは、システムの平均セルスループットおよび／またはそのセルエッジスループットに基づいて評価される。セルエッジユーザは、低い受信信号強度を経験し、セルエッジ性能は、セル間干渉（ＩＣＩ）によって影響される。これは、１または１に近い周波数再利用係数（ｆｒｅｑｕｅｎｃｙ  ｒｅｕｓｅ  ｆａｃｔｏｒ）を用いて動作するように設計されたシステムにあてはまる。
【発明の概要】
【発明が解決しようとする課題】
【０００３】
そのような周波数再利用は、多数またはすべてのセルが多数またはすべての時間リソースおよび周波数リソース上で同時に送信する可能性がある時に、システムが干渉制限されるようになることを暗示する。さらに、電力ブースティング（ｐｏｗｅｒ  ｂｏｏｓｔｉｎｇ）は、サービングセル信号強度と干渉信号強度との両方が増やされるので、セルエッジ性能を改善しない。
【課題を解決するための手段】
【０００４】
例示的実施形態の詳細な説明を、これからさまざまな図面を参照して説明する。この説明は、可能な実施態様の詳細な例を提供するが、詳細が、例示的であることを意図され、決して応用例の範囲を限定しないことに留意されたい。本明細書で使用される時に、冠詞「ａ］は、さらなる修飾または特徴づけがない場合に、たとえば「１つまたは複数」または「少なくとも１つ」を意味すると理解される。
【０００５】
諸実施形態は、送信状態を通信する方法およびシステムを企図するものである。たとえば、送信状態を決定する方法は、チャネル状態情報（ｃｈａｎｎｅｌ  ｓｔａｔｅ  ｉｎｆｏｒｍａｔｉｏｎ、ＣＳＩ）に少なくとも１つの送信状態パラメータを適用することを含む。この方法は、送信状態およびこれに適用される少なくとも１つの送信状態パラメータに基づいてＣＳＩを報告することと、少なくとも１つの送信状態に補正係数を適用することとをも含む。
【０００６】
実施形態は、無線送信／受信デバイス（ＷＴＲＵ）であって、少なくとも一部に、１つまたは複数の送信ポイントを識別するように構成されるＷＴＲＵを企図するものである。１つまたは複数の送信ポイントは、チャネル状態情報（ＣＳＩ）報告のために構成される。ＷＴＲＵは、１つまたは複数の送信ポイントのＣＳＩを生成するようにさらに構成される。また、ＷＴＲＵは、ＷＴＲＵと通信している１つまたは複数のノードにＣＳＩを送信するように構成されることができる。諸実施形態は、１つまたは複数の送信ポイントが、ＷＴＲＵと通信している少なくとも１つのアンテナポートを含むことを企図するものである。諸実施形態は、１つまたは複数の送信ポイントが、ＣＳＩ基準信号（ＣＳＩ−ＲＳ）リソースであることをも企図するものである。
【０００７】
実施形態は、無線送信／受信ユニット（ＷＴＲＵ）によって実行される１つまたは複数の方法を企図するものである。１つまたは複数の実施形態は、Ｋ個の送信ポイントを識別するステップであって、Ｋ個の送信ポイントは、チャネル状態情報（ＣＳＩ）報告のために構成され、Ｋは、整数である、ステップを含む。諸実施形態は、Ｋ個の送信ポイントのうちの１つまたは複数のＣＳＩを生成するステップをさらに含む。さらに、諸実施形態は、ＷＴＲＵと通信している１つまたは複数のノードにＣＳＩを送信するステップを含む。また、諸実施形態は、Ｋ個の送信ポイントによってそれぞれ送信されるＣＳＩ基準信号（ＣＳＩ−ＲＳ）または共通基準信号（ｃｏｍｍｏｎ  ｒｅｆｅｒｅｎｃｅ  ｓｉｇｎａｌ、ＣＲＳ）のうちの少なくとも１つを受信するステップを含む。諸実施形態は、受信されたＣＳＩ−ＲＳまたはＣＲＳの少なくとも一部に基づいてＫ個の送信ポイントを識別するステップを含む。１つまたは複数の実施形態では、ＣＳＩを生成するステップは、Ｋ個の送信ポイントのうちの１つまたは複数のジョイントランクインジケーション（ｊｏｉｎｔ  ｒａｎｋ  ｉｎｄｉｃａｔｉｏｎ）またはポイントごとのランクインジケーション（ｒａｎｋ  ｉｎｄｉｃａｔｉｏｎ）のうちの少なくとも１つを生成するステップを含む。１つまたは複数の実施形態では、ＣＳＩを生成するステップは、ジョイントチャネル品質インデックス（ｃｈａｎｎｅｌ  ｑｕａｌｉｔｙ  ｉｎｄｅｘ、ＣＱＩ）を生成するステップを含み、ジョイントＣＱＩは、Ｋ個の送信ポイントのうちの１つまたは複数を介するジョイント送信（ｊｏｉｎｔ  ｔｒａｎｓｍｉｓｓｉｏｎ）に対応する。
【０００８】
実施形態は、無線送信／受信デバイス（ＷＴＲＵ）であって、少なくとも一部に、１つまたは複数の送信ポイントを識別し、１つまたは複数の送信ポイントは、チャネル状態情報（ＣＳＩ）報告のために構成される、ＷＴＲＵを企図するものである。このＷＴＲＵは、１つまたは複数の送信ポイントの送信状態を決定するように構成される。このＷＴＲＵは、１つまたは複数の送信ポイントのＣＳＩを生成するように構成される。ＷＴＲＵは、それぞれの１つまたは複数の送信ポイントの送信状態のインジケーション（ｉｎｄｉｃａｔｉｏｎ）を受信するようにさらに構成され、送信状態のインジケーションは、送信状態、干渉状態、ブランクにされた状態、または未知状態のうちの１つまたは複数を含む。ＷＴＲＵは、１つまたは複数の送信ポイントの決定された遷移状態を１つまたは複数の送信ポイントの所定の遷移状態と比較するようにさらに構成される。ＷＴＲＵは、それぞれの１つまたは複数の送信ポイントの送信状態が所定の送信状態である時に、ＷＴＲＵと通信している１つまたは複数のノードにそれぞれの１つまたは複数の通信ポイントのＣＳＩを送信するようにも構成される。
【０００９】
開示される実施形態の次の詳細な説明は、添付図面に関連して読まれる時によりよく理解される。例示のために、図面に例示的実施形態を示すが、本主題は、開示される特定の要素および手段に限定されない。
【発明の効果】
【００１０】
以上説明したように、本発明により、システムが干渉制限されず、セルエッジ性能を改善した複数の送信ポイントのチャネル状態情報（ＣＳＩ）の通信、無線送信／受信デバイス（ＷＴＲＵ）、ＷＴＲＵによって実行される１つまたは複数の方法が提供される。
【図面の簡単な説明】
【００１１】
【図１Ａ】１つまたは複数の開示される実施形態が実施される例示的通信システムを示すシステム図である
【図１Ｂ】図１Ａに示された通信システムにおいて使用される例の無線送信／受信ユニット（ＷＴＲＵ）を示すシステム図である。
【図１Ｃ】図１Ａに示された通信システムにおいて使用される例の無線アクセスネットワークおよび襟のコアネットワークを示すシステム図である。
【図２】実施形態と合致する非限定的な例示的周期的フィードバック報告シーケンスを示す図である。
【図３Ａ】実施形態と合致する通常ＣＰサブフレームの例示的なＣＳＩ−ＲＳポートマッピングを示す図である。
【図３Ｂ】実施形態と合致する４つのリソース要素セットを示す図である。
【図４】実施形態と合致する例示的な無線デバイス構成を示す図である。
【図５】実施形態と合致する例示的な方法を示す図である。
【図６】実施形態と合致する例示的な無線デバイス構成を示す図である。
【発明を実施するための形態】
【００１２】
図１Ａは、１つまたは複数の開示される実施形態が実施される例示的通信システム１００の図である。通信システム１００は、音声、データ、ビデオ、メッセージング、ブロードキャストその他などのコンテンツを複数の無線ユーザに提供する多元接続システムである。通信システム１００は、複数の無線ユーザが無線帯域幅を含むシステムリソースの共有を介してそのようなコンテンツにアクセスすることを可能にする。たとえば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、単一搬送波ＦＤＭＡ（ＳＣ−ＦＤＭＡ）、および類似物など、１つまたは複数のチャネルアクセス方法を使用する。図１Ａに示されているように、通信システム１００は、無線送信／受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含むが、開示される実施形態が、任意の個数のＷＴＲＵ、基地局、ネットワーク、および／またはネットワーク要素を企図することを了解されたい。ＷＴＲＵ１０２ａ、１０２ｂ、１０２ｃ、１０２ｄのそれぞれは、無線環境において動作し、かつ／または通信するように構成された任意のタイプのデバイスである。たとえば、ＷＴＲＵ１０２ａ、１０２ｂ、１０２ｃ、１０２ｄは、無線信号を送信し、かつ／または受信するように構成され、ユーザ機器（ｕｓｅｒ  ｅｑｕｉｐｍｅｎｔ、ＵＥ）、移動局、固定のまたは可動の加入者ユニット、ページャ、セルラ電話機、携帯情報端末（ＰＤＡ）、スマートホン、ラップトップ機、ネットブック、パーソナルコンピュータ、無線センサ、消費者エレクトロニクス、および類似物を含む。
【００１３】
通信システム１００は、基地局１１４ａおよび基地局１１４ｂをも含む。基地局１１４ａ、１１４ｂのそれぞれは、コアネットワーク１０６、インターネット１１０、および／またはネットワーク１１２などの１つまたは複数の通信ネットワークへのアクセスを容易にするためにＷＴＲＵ１０２ａ、１０２ｂ、１０２ｃ、１０２ｄのうちの少なくとも１つと無線でインターフェースするように構成された任意のタイプのデバイスである。たとえば、基地局１１４ａ、１１４ｂは、無線基地局（ＢＴＳ）、ノードＢ、ｅノードＢ、ホームノードＢ、ホームｅノードＢ、サイトコントローラ、アクセスポイント（ＡＰ）、無線ルータ、および類似物である。基地局１１４ａ、１１４ｂは、それぞれ、単一の要素として図示されているが、基地局１１４ａ、１１４ｂが、任意の個数の相互接続された基地局および／またはネットワーク要素を含むことを了解されたい。
【００１４】
基地局１１４ａは、ＲＡＮ１０４の一部であり、ＲＡＮ１０４は、基地局制御装置（ＢＳＣ）、無線ネットワーク制御装置（ＲＮＣ）、中継ノード、その他など、他の基地局および／またはネットワーク要素（図示せず）をも含む。基地局１１４ａおよび／または基地局１１４ｂは、セルと呼ばれる（図示せず）特定の地理的領域において無線信号を送信し、かつ／または受信するように構成される。セルは、さらに、セルセクタに分割される。たとえば、基地局１１４ａに関連するセルは、３つのセクタに分割される。したがって、一実施形態では、基地局１１４ａは、３つのトランシーバすなわち、セルのセクタごとに１つのトランシーバを含む。もう１つの実施形態では、基地局１１４ａは、複数入力複数出力（ＭＩＭＯ）技術を使用し、したがって、セルのセクタごとに複数のトランシーバを利用する。
【００１５】
基地局１１４ａ、１１４ｂは、エアインターフェース１１６を介してＷＴＲＵ１０２ａ、１０２ｂ、１０２ｃ、１０２ｄのうちの１つまたは複数と通信し、エアインターフェース１１６は、任意の適切な無線通信リンク（たとえば、ラジオ周波数（ＲＦ）、マイクロ波、赤外線（ＩＲ）、紫外線（ＵＶ）、可視光、その他）である。エアインターフェース１１６は、任意の適切な無線アクセス技術（ＲＡＴ）を使用して確立される。
【００１６】
より具体的には、上で注記したように、通信システム１００は、多元接続システムであり、ＣＤＭＡ、ＴＤＭＡ、ＦＤＭＡ、ＯＦＤＭＡ、ＳＣ−ＦＤＭＡ、および類似物などの１つまたは複数のチャネルアクセス方式を使用する。たとえば、ＲＡＮ１０４における基地局１１４ａおよびＷＴＲＵ１０２ａ、１０２ｂ、１０２ｃは、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）地上無線アクセス（Ｔｅｒｒｅｓｔｒｉａｌ  Ｒａｄｉｏ  Ａｃｃｅｓｓ、ＵＴＲＡ）などの無線技術を実施し、このＵＴＲＡは、広帯域ＣＤＭＡ（ｗｉｄｅｂａｎｄ  ＣＤＭＡ、ＷＣＤＭＡ（登録商標））を使用してエアインターフェース１１６を確立する。ＷＣＤＭＡは、高速パケットアクセス（Ｈｉｇｈ−Ｓｐｅｅｄ  Ｐａｃｋｅｔ  Ａｃｃｅｓｓ、ＨＳＰＡ）および／または発展型ＨＳＰＡ（Ｅｖｏｌｖｅｄ  ＨＳＰＡ、ＨＳＰＡ＋）などの通信プロトコルを含む。ＨＳＰＡは、高速ダウンリンクパケットアクセス（Ｈｉｇｈ−Ｓｐｅｅｄ  Ｄｏｗｎｌｉｎｋ  Ｐａｃｋｅｔ  Ａｃｃｅｓｓ、ＨＳＤＰＡ）および／または高速アップリンクパケットアクセス（Ｈｉｇｈ−Ｓｐｅｅｄ  Ｕｐｌｉｎｋ  Ｐａｃｋｅｔ  Ａｃｃｅｓｓ、ＨＳＵＰＡ）を含む。
【００１７】
もう１つの実施形態では、基地局１１４ａおよびＷＴＲＵ１０２ａ、１０２ｂ、１０２ｃは、発展型ＵＭＴＳ地上無線アクセス（Ｅｖｏｌｖｅｄ  ＵＭＴＳ  Ｔｅｒｒｅｓｔｒｉａｌ  Ｒａｄｉｏ  Ａｃｃｅｓｓ、Ｅ−ＵＴＲＡ）などの無線技術を実施し、このＥ−ＵＴＲＡは、ロングタームエボリューション（Ｌｏｎｇ  Ｔｅｒｍ  Ｅｖｏｌｕｔｉｏｎ、ＬＴＥ）および／またはＬＴＥ進歩型（ＬＴＥ−Ａｄｖａｎｃｅｄ、ＬＴＥ−Ａ）を使用してエアインターフェース１１６を確立する。
【００１８】
他の実施形態では、基地局１１４ａおよびＷＴＲＵ１０２ａ、１０２ｂ、１０２ｃは、ＩＥＥＥ  ８０２．１６（すなわち、マイクロ波アクセス用世界的インターオペラビリティ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ））、ＣＤＭＡ２０００、ＣＤＭＡ２０００  １Ｘ、ＣＤＭＡ２０００  ＥＶ−ＤＯ、暫定標準規格２０００（Ｉｎｔｅｒｉｍ  Ｓｔａｎｄａｒｄ  ２０００、ＩＳ−２０００）、暫定標準規格９５（Ｉｎｔｅｒｉｍ  Ｓｔａｎｄａｒｄ  ９５、ＩＳ−９５）、暫定標準規格８５６（Ｉｎｔｅｒｉｍ  Ｓｔａｎｄａｒｄ  ８５６、ＩＳ−８５６）、移動体通信用全世界システム（Ｇｌｏｂａｌ  Ｓｙｓｔｅｍ  ｆｏｒ  Ｍｏｂｉｌｅ  ｃｏｍｍｕｎｉｃａｔｉｏｎｓ、ＧＳＭ（登録商標））、ＧＳＭ進化用向上版データ速度（Ｅｎｈａｎｃｅｄ  Ｄａｔａ  ｒａｔｅｓ  ｆｏｒ  ＧＳＭ  Ｅｖｏｌｕｔｉｏｎ、ＥＤＧＥ）、ＧＳＭ  ＥＤＧＥ（ＧＥＲＡＮ）、および類似物などの無線技術を実施する。
【００１９】
図１Ａの基地局１１４ｂは、たとえば、無線ルータ、ホームノードＢ、ホームｅノードＢ、またはアクセスポイントであり、仕事場、家庭、車両、キャンパス、および類似物などの局所化された区域内での無線接続性を容易にするたに任意の適切なＲＡＴを利用する。一実施形態では、基地局１１４ｂおよびＷＴＲＵ１０２ｃ、１０２ｄは、無線ローカルエリアネットワーク（ＷＬＡＮ）を確立するためにＩＥＥＥ  ８０２．１１などの無線技術を実施する。もう１つの例では、基地局１１４ｂおよびＷＴＲＵ１０２ｃ、１０２ｄは、無線パーソナルエリアネットワーク（ＷＰＡＮ）を確立するためにＩＥＥＥ  ８０２．１５などの無線技術を実施する。もう１つの実施形態では、基地局１１４ｂおよびＷＴＲＵ１０２ｃ、１０２ｄは、ピコセルまたはフェムトセルを確立するためにセルラベースのＲＡＴ（たとえば、ＷＣＤＭＡ、ＣＤＭＡ２０００、ＧＳＭ、ＬＴＥ、ＬＴＥ−Ａなど）を利用する。図１Ａに示されているように、基地局１１４ｂは、インターネット１１０への直接接続を有する。したがって、基地局１１４ｂは、コアネットワーク１０６を介してインターネット１１０にアクセスする必要がない。
【００２０】
ＲＡＮ１０４は、コアネットワーク１０６と通信しており、コアネットワーク１０６は、音声、データ、アプリケーション、および／またはボイスオーバーインターネットプロトコル（ｖｏｉｃｅ  ｏｖｅｒ  ｉｎｔｅｒｎｅｔ  ｐｒｏｔｏｃｏｌ、ＶｏＩＰ）サービスをＷＴＲＵ１０２ａ、１０２ｂ、１０２ｃ、１０２ｄのうちの１つまたは複数に提供するように構成された任意のタイプのネットワークである。たとえば、コアネットワーク１０６は、呼制御、請求サービス、モバイル位置ベースのサービス、前払い発呼、インターネット接続性、ビデオ配布、その他を提供し、かつ／またはユーザ認証などの高水準セキュリティ機能を実行する。図１Ａには図示されていないが、ＲＡＮ１０４および／またはコアネットワーク１０６が、ＲＡＮ１０４と同一のＲＡＴまたは異なるＲＡＴを使用する他のＲＡＮと直接にまたは間接に通信していることを了解されたい。たとえば、Ｅ−ＵＴＲＡ無線技術を利用しているＲＡＮ１０４に接続されることに加えて、コアネットワーク１０６は、ＧＳＭ無線技術を利用する別のＲＡＮ（図示せず）とも通信している。
【００２１】
コアネットワーク１０６は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとしても働く。ＰＳＴＮ１０８は、簡素な旧式電話サービス（ｐｌａｉｎ  ｏｌｄ  ｔｅｌｅｐｈｏｎｅ  ｓｅｒｖｉｃｅ、ＰＯＴＳ）を提供する回線交換電話網を含む。インターネット１１０は、伝送制御プロトコル／インターネットプロトコル（ＴＣＰ／ＩＰ）インターネットプロトコルスイートでの、ＴＣＰ、ユーザデータグラムプロトコル（ＵＤＰ）、およびＩＰなどの一般的な通信プロトコルを使用する相互接続されたコンピュータネットワークおよびデバイスの全世界のシステムを含む。ネットワーク１１２は、他のサービスプロバイダによって所有され、かつ／または運営される有線または無線の通信ネットワークを含む。たとえば、ネットワーク１１２は、１つまたは複数のＲＡＮに接続された別のコアネットワークを含み、このＲＡＮは、ＲＡＮ１０４と同一のＲＡＴまたは異なるＲＡＴを使用する。
【００２２】
通信システム１００におけるＷＴＲＵ１０２ａ、１０２ｂ、１０２ｃ、１０２ｄの一部またはすべては、マルチモード能力を含む、すなわち、ＷＴＲＵ１０２ａ、１０２ｂ、１０２ｃ、１０２ｄは、異なる無線リンクを介して異なる無線ネットワークと通信するために複数のトランシーバを含む。たとえば、図１Ａに示されたＷＴＲＵ１０２ｃは、セルラベースの無線技術を使用する基地局１１４ａおよびＩＥＥＥ  ８０２無線技術を使用する基地局１１４ｂと通信するように構成される。
【００２３】
図１Ｂは、例のＷＴＲＵ１０２のシステム図である。図１Ｂに示されているように、ＷＴＲＵ１０２は、プロセッサ１１８、トランシーバ（ｔｒａｎｃｅｉｖｅｒ：送受信機）１２０、送信／受信要素１２２、スピーカ／マイクロホン１２４、キーパッド１２６、ディスプレイ／タッチパッド１２８、ノンリムーバブルメモリ１３０、リムーバブルメモリ１３２、電源１３４、全地球測位システム（ＧＰＳ）チップセット１３６、および他の周辺機器１３８を含む。ＷＴＲＵ１０２が、一実施形態と一貫したままでありながら前述の要素の任意の副組合せを含むことを了解されたい。
【００２４】
プロセッサ１１８は、汎用プロセッサ、特殊目的プロセッサ、従来のプロセッサ、ディジタル信号プロセッサ（ＤＳＰ）、複数のマイクロプロセッサ、ＤＳＰコアに関連する１つもしくは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械、および類似物である。プロセッサ１１８は、信号符号化、データ処理、電力制御、入出力処理、および／またはＷＴＲＵ１０２が無線環境において動作することを可能にする任意の他の機能性を実行する。プロセッサ１１８は、トランシーバ（送受信機）１２０に結合され、トランシーバ（送受信機）１２０は、送信／受信要素１２２に結合される。図１Ｂは、別々のコンポーネントとしてプロセッサ１１８およびトランシーバ（送受信機）１２０を示すが、プロセッサ１１８およびトランシーバ（送受信機）１２０が、電子パッケージまたはチップ内に一緒に一体化されることを了解されたい。
【００２５】
送信／受信要素１２２は、エアインターフェース１１６を介して基地局（たとえば、基地局１１４ａ）へ信号を送信しまたはこれから信号を受信するように構成される。たとえば、一実施形態では、送信／受信要素１２２は、ＲＦ信号を送信し、かつ／または受信するように構成されたアンテナである。もう１つの実施形態では、送信／受信要素１２２は、たとえばＩＲ信号、ＵＶ信号、または可視光信号を送信し、かつ／または受信するように構成されたエミッタ／検出器である。もう１つの実施形態では、送信／受信要素１２２は、ＲＦ信号と光信号との両方を送信し、受信するように構成される。送信／受信要素１２２が、無線信号の任意の組合せを送信し、かつ／または受信するように構成されることを了解されたい。
【００２６】
さらに、送信／受信要素１２２が、図１Ｂでは単一の要素として図示されているが、ＷＴＲＵ  １０２は、任意の個数の送信／受信要素１２２を含む。より具体的には、ＷＴＲＵ  １０２は、ＭＩＭＯ技術を使用する。したがって、一実施形態では、ＷＴＲＵ  １０２は、エアインターフェース１１６を介して無線信号を送信し、受信する複数の送信／受信要素１２２（たとえば、複数のアンテナ）を含む。
【００２７】
トランシーバ（送受信機）１２０は、送信／受信要素１２２によって送信される信号を変調し、送信／受信要素１２２によって受信される信号を復調するように構成される。上で注記したように、ＷＴＲＵ  １０２は、マルチモード能力を有する。したがって、トランシーバ（送受信機）１２０は、ＷＴＲＵ  １０２がたとえばＵＴＲＡおよびＩＥＥＥ  ８０２．１１などの複数のＲＡＴを介して通信することを可能にする複数のトランシーバ（送受信機）を含む。
【００２８】
ＷＴＲＵ  １０２のプロセッサ１１８は、スピーカ／マイクロホン１２４、キーパッド１２６、および／またはディスプレイ／タッチパッド１２８（たとえば、液晶ディスプレイ（ＬＣＤ）表示ユニットまたは有機発光ダイオード（ＯＬＥＤ）表示ユニット）に結合され、またはこれらからユーザ入力データを受け取る。プロセッサ１１８は、ユーザデータをスピーカ／マイクロホン１２４、キーパッド１２６、および／またはディスプレイ／タッチパッド１２８にも出力する。さらに、プロセッサ１１８は、ノンリムーバブルメモリ１３０および／またはリムーバブルメモリ１３２などの任意のタイプの適切なメモリからの情報にアクセスし、そのメモリにデータを格納する。ノンリムーバブルメモリ１３０は、ランダムアクセスメモリ（ＲＡＭ）、読取り専用メモリ（ＲＯＭ）、ハードディスク、または任意の他のタイプのメモリストレージデバイスを含む。リムーバブルメモリ１３２は、加入者識別モジュール（ＳＩＭ）カード、メモリスティック、セキュアディジタル（ｓｅｃｕｒｅ  ｄｉｇｉｔａｌ、ＳＤ）メモリカード、および類似物を含む。他の実施形態では、プロセッサ１１８は、サーバ上またはホームコンピュータ（図示せず）上など、ＷＴＲＵ  １０２上に物理的に配置されていないメモリからの情報にアクセスし、そのメモリにデータを格納する。
【００２９】
プロセッサ１１８は、電源１３４から電力を受け取り、ＷＴＲＵ  １０２における他のコンポーネントに電力を分配し、かつ／または制御するように構成される。電源１３４は、ＷＴＲＵ  １０２に電力を供給する任意の適切なデバイスである。たとえば、電源１３４は、１つまたは複数の乾電池（たとえば、ニッケル−カドミウム（ＮｉＣｄ）、ニッケル−亜鉛（ＮｉＺｎ）、ニッケル水素（ＮｉＭＨ）、リチウムイオン（Ｌｉ−ｉｏｎ）、その他）、太陽電池、燃料電池、および類似物を含む。
【００３０】
プロセッサ１１８は、ＧＰＳチップセット１３６に結合され、ＧＰＳチップセット１３６は、ＷＴＲＵ  １０２の現在位置に関する位置情報（たとえば、経度および緯度）を提供するように構成される。ＧＰＳチップセット１３６からの情報に加えてまたはその代わりに、ＷＴＲＵ  １０２は、基地局（たとえば、基地局１１４ａ、１１４ｂ）からエアインターフェース１１６を介して位置情報を受信し、かつ／または複数の近くの基地局から受信されつつある信号のタイミングに基づいてその位置を決定する。ＷＴＲＵ  １０２が、実施形態と一貫したままでありながら任意の適切な位置決定方法によって位置情報を獲得することを了解されたい。
【００３１】
プロセッサ１１８は、さらに、他の周辺機器１３８に結合され、他の周辺機器１３８は、追加の特徴、機能性、および／または有線もしくは無線の接続性を提供する１つまたは複数のソフトウェアモジュールおよび／またはハードウェアモジュールを含む。たとえば、周辺機器１３８は、加速度計、ｅコンパス、衛星トランシーバ、ディジタルカメラ（写真またはビデオ用）、ユニバーサルシリアルバス（ｕｎｉｖｅｒｓａｌ  ｓｅｒｉａｌ  ｂｕｓ、ＵＳＢ）ポート、振動デバイス、テレビジョントランシーバ、ハンズフリーヘッドセット、Ｂｌｕｅｔｏｏｔｈ（登録商標）モジュール、周波数変調（ＦＭ）ラジオユニット、ディジタル音楽プレイヤ、メディアプレイヤ、ビデオゲームプレイヤモジュール、インターネットブラウザ、および類似物を含む。
【００３２】
図１Ｃは、一実施形態によるＲＡＮ１０４およびコアネットワーク１０６のシステム図である。上で注記したように、ＲＡＮ１０４は、エアインターフェース１１６を介してＷＴＲＵ１０２ａ、１０２ｂ、１０２ｃと通信するのにＥ−ＵＴＲＡ無線技術を使用する。ＲＡＮ１０４は、コアネットワーク１０６とも通信している。
【００３３】
ＲＡＮ１０４は、ｅＮｏｄｅ−Ｂ１４０ａ、１４０ｂ、１４０ｃを含むが、ＲＡＮ１０４が、実施形態と一貫したままでありながら任意の個数のｅＮｏｄｅ−Ｂを含むことを了解されたい。ｅＮｏｄｅ−Ｂ１４０ａ、１４０ｂ、１４０ｃは、それぞれ、エアインターフェース１１６上でＷＴＲＵ１０２ａ、１０２ｂ、１０２ｃと通信する１つまたは複数のトランシーバを含む。一実施形態では、ｅＮｏｄｅ−Ｂ１４０ａ、１４０ｂ、１４０ｃは、ＭＩＭＯ技術を実施する。したがって、ｅＮｏｄｅ−Ｂ１４０ａは、たとえば、複数のアンテナを使用して、ＷＴＲＵ１０２ａに無線信号を送信し、ＷＴＲＵ１０２ａから無線信号を受信する。
【００３４】
ｅＮｏｄｅ−Ｂ１４０ａ、１４０ｂ、１４０ｃのそれぞれは、特定のセル（図示せず）に関連付けられ、無線リソース管理判断、ハンドオーバ判断、アップリンクおよび／またはダウンリンクでのユーザのスケジューリング、ならびに類似物を処理するように構成される。図１Ｃに示されているように、ｅＮｏｄｅ−Ｂ  １４０ａ、１４０ｂ、１４０ｃは、Ｘ２インターフェース上で互いに通信することができる。
【００３５】
図１Ｃに示されたコアネットワーク１０６は、モビリティ管理ゲートウェイ（ｍｏｂｉｌｉｔｙ  ｍａｎａｇｅｍｅｎｔ  ｇａｔｅｗａｙ、ＭＭＥ）１４２、サービングゲートウェイ１４４、およびパケットデータネットワーク（ＰＤＮ）ゲートウェイ１４６を含む。前述の要素のそれぞれが、コアネットワーク１０６の一部として図示されているが、これらの要素の任意の１つが、コアネットワークオペレータ以外のエンティティによって所有され、かつ／または運営されることを了解されたい。
【００３６】
ＭＭＥ  １４２は、Ｓ１インターフェースを介してＲＡＮ  １０４におけるｅＮｏｄｅ−Ｂ  １４２ａ、１４２ｂ、１４２ｃのそれぞれに接続され、制御ノードとして働く。たとえば、ＭＭＥ  １４２は、ＷＴＲＵ  １０２ａ、１０２ｂ、１０２ｃのユーザの認証、ベアラアクティブ化／非アクティブ化、ＷＴＲＵ  １０２ａ、１０２ｂ、１０２ｃの初期アタッチ中の特定のサービングゲートウェイの選択、および類似物の責任を負う。ＭＭＥ  １４２は、ＲＡＮ  １０４とＧＳＭまたはＷＣＤＭＡなどの他の無線技術を使用する他のＲＡＮ（図示せず）との間の切替のための制御プレーン機能をも提供する。
【００３７】
サービングゲートウェイ１４４は、Ｓ１インターフェースを介してＲＡＮ  １０４におけるｅＮｏｄｅ  Ｂ  １４０ａ、１４０ｂ、１４０ｃのそれぞれに接続される。サービングゲートウェイ１４４は、一般に、ＷＴＲＵ  １０２ａ、１０２ｂ、１０２ｃへ／からユーザデータパケットをルーティングし、転送する。サービングゲートウェイ１４４は、ｅＮｏｄｅ  Ｂ間ハンドオーバ中のユーザプレーンのアンカリング、ダウンリンクデータがＷＴＲＵ  １０２ａ、１０２ｂ、１０２ｃのために使用可能である時のページングのトリガ、ＷＴＲＵ  １０２ａ、１０２ｂ、１０２ｃのコンテンツの管理および格納、ならびに類似物など、他の機能をも実行する。
【００３８】
サービングゲートウェイ１４４は、ＰＤＮゲートウェイ１４６にも接続され、ＰＤＮゲートウェイ１４６は、ＷＴＲＵ  １０２ａ、１０２ｂ、１０２ｃとＩＰ対応デバイスとの間の通信を容易にするために、インターネット１１０などのパケット交換ネットワークへのアクセスをＷＴＲＵ  １０２ａ、１０２ｂ、１０２ｃに与える。
【００３９】
コアネットワーク１０６は、他のネットワークとの通信を容易にする。たとえば、コアネットワーク１０６は、ＷＴＲＵ  １０２ａ、１０２ｂ、１０２ｃと伝統的な陸線通信デバイスとの間の通信を容易にするために、ＰＳＴＮ  １０８などの回線交換ネットワークへのアクセスをＷＴＲＵ  １０２ａ、１０２ｂ、１０２ｃに与える。たとえば、コアネットワーク１０６は、コアネットワーク１０６とＰＳＴＮ  １０８との間のインターフェースとして働くＩＰゲートウェイ（たとえば、ＩＰマルチメディアサブシステム（ＩＰ  ｍｕｌｔｉｍｅｄｉａ  ｓｕｂｓｙｓｔｅｍ、ＩＭＳ）サーバ）を含み、またはこれと通信する。さらに、コアネットワーク１０６は、ネットワーク１１２へのアクセスをＷＴＲＵ  １０２ａ、１０２ｂ、１０２ｃに与え、このネットワーク１１２は、他のサービスプロバイダによって所有され、かつ／または運営される他の有線のまたは無線のネットワークを含む。
【００４０】
他の根本的理由の中でもより高いデータ速度およびスペクトル効率をサポートするために、第３世代パートナーシッププロジェクト（ｔｈｅ  Ｔｈｉｒｄ  Ｇｅｎｅｒａｔｉｏｎ  Ｐａｒｔｎｅｒｓｈｉｐ  Ｐｒｏｊｅｃｔ、３ＧＰＰ）ロングタームエボリューション（ＬＴＥ）システムが、３ＧＰＰリリース８（Ｒ８）に導入された（ＬＴＥリリース８は、本明細書ではＬＴＥ  Ｒ８またはＲ８−ＬＴＥと呼ばれる）。ＬＴＥでは、アップリンクでの送信は、単一搬送波周波数分割多元接続（ＳＣ−ＦＤＭＡ）を使用して実行される。具体的には、ＬＴＥアップリンクで使用されるＳＣ−ＦＤＭＡは、離散フーリエ変換拡散直交周波数分割多重（Ｄｉｓｃｒｅｔｅ  Ｆｏｕｒｉｅｒ  Ｔｒａｎｓｆｏｒｍ  Ｓｐｒｅａｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＤＦＴ−Ｓ−ＯＦＤＭ）技術に基づく。本明細書で使用される時に、用語ＳＣ−ＦＤＭＡおよびＤＦＴ−Ｓ−ＯＦＤＭは、交換可能に使用される。
【００４１】
ＬＴＥでは、代替的にユーザ機器（ＵＥ）と呼ばれる無線送信／受信ユニット（ＷＴＲＵ）は、周波数分割多元接続（ＦＤＭＡ）配置で割り当てられた副搬送波の制限された連続的なセットを使用し、いくつかの実施形態では、おそらくは周波数分割多元接続（ＦＤＭＡ）配置で割り当てられた副搬送波の制限された連続的なセットだけを使用して、アップリンク上で送信する。たとえば、全体的な直交周波数分割多重（ＯＦＤＭ）信号またはアップリンクのシステム帯域幅が、１から１００までの番号を付けられた有用な副搬送波からなる場合には、第１の所与のＷＴＲＵは、副搬送波１ないし１２上で送信するように割り当てられ、第２のＷＴＲＵは、副搬送波１３ないし２４上で送信するように割り当てられ、以下同様である。異なるＷＴＲＵが、それぞれ、使用可能な送信帯域幅のサブセットにおいて送信し、おそらくはそれぞれ、使用可能な送信帯域幅のサブセットだけに送信するが、ＷＴＲＵのために働く発展型ノードＢ（ｅノードＢ）は、送信帯域幅全体にまたがってコンポジットアップリンク信号を受信する。
【００４２】
ＬＴＥ進歩型（ＬＴＥリリース１０（Ｒ１０）を含み、リリース１１などの将来のリリースを含み、本明細書ではＬＴＥ−Ａ、ＬＴＥ  Ｒ１０、またはＲ１０−ＬＴＥと呼ばれる）は、ＬＴＥネットワークおよび３Ｇネットワークの完全準拠４Ｇアップグレードパスを提供するＬＴＥ標準規格の機能強化である。ＬＴＥ−Ａでは、キャリアアグリゲーションがサポートされ、ＬＴＥとは異なって、複数の搬送波が、アップリンク、ダウンリンク、またはその両方に割り当てられる。
【００４３】
諸実施形態は、ダウンリンクでの調整されたマルチポイント動作（ｃｏｏｒｄｉｎａｔｅｄ  ｍｕｌｔｉ−ｐｏｉｎｔ  ｏｐｅｒａｔｉｏｎ、ＣｏＭＰ）が、複数の地理的に分離された送信ポイントからの送信がセルエッジスループットおよび／またはシステムスループットに関してシステム性能を改善するために調整される可能な方式のセットを指すことを認めるものである。そのような方式の例は、複数のポイントが１つのＷＴＲＵ宛の情報を同時に送信するジョイント送信、ポイントのセットの１つが１つのＷＴＲＵへの送信について動的に選択される動的ポイント選択（Ｄｙｎａｍｉｃ  Ｐｏｉｎｔ  Ｓｅｌｅｃｔｉｏｎ）、および第１のポイントからスケジューリングされるＷＴＲＵに向かう干渉が第２のポイントからの干渉する送信の正しい調整によって回避される調整されたスケジューリング／調整されたビームフォーミング（Ｃｏｏｒｄｉｎａｔｅｄ  Ｓｃｈｅｄｕｌｉｎｇ／Ｃｏｏｒｄｉｎａｔｅｄ  Ｂｅａｍｆｏｒｍｉｎｇ）を含む。
【００４４】
ＬＴＥとＬＴＥ−Ａとの両方ならびに他の無線システムで、システム性能は、平均セルスループットおよび／またはセルエッジスループットに基づいて評価される。平均セルスループット性能は、電力ブースティング技法を使用して受信信号強度を高めることによって改善することができるが、セルエッジユーザは、低い受信信号強度を経験し、したがって、セルエッジ性能は、主にセル間干渉（ＩＣＩ）によって影響される。これは、ＯＦＤＭベースの４Ｇネットワークによって企図される、１または１に近い周波数再利用係数を用いて動作するように設計されたシステムに特にあてはまる。
【００４５】
諸実施形態は、無線システムが、その平均セルスループットおよび／またはセルエッジスループットに基づいて評価されることを企図するものである。諸実施形態は、セル平均性能および／またはセルエッジ性能の改善を企図するものである。平均セル性能は、電力ブースティング技法を使用して受信信号強度を増やすことによって改善される。しかし、セルエッジユーザは、低い受信信号強度を経験し、したがって、セルエッジ性能は、セル間干渉（ＩＣＩ）によって影響される。これは、ＯＦＤＭベースの４Ｇネットワークによって企図される、１または１に近い周波数再利用係数を用いて動作するように設計されたシステムにおいて特に一般的である。そのような周波数再利用は、すべてのセルが多数のまたはおそらくはすべての時間リソースおよび周波数リソース上で同時に送信する時に特に干渉制限されるようになるシステムをもたらす。諸実施形態は、おそらくはサービングセル信号強度と干渉する信号強度との両方が増やされ、これがたとえばＩＣＩを増やすので、電力ブースティングがセルエッジ性能を改善しないことを認めるものである。
【００４６】
諸実施形態は、調整されたマルチポイント動作（ＣｏＭＰ）送信および受信など、セルエッジ性能を改善するのに使用される他の技法を企図するものである。マルチポイント送信およびマルチポイント受信の実施形態では、「非常に近接」してはいないアンテナからの送信または受信が実施され、ここで、「非常に近接」は、ほとんどのアンテナまたはおそらくはすべてのアンテナが異なる長期フェージングを受けるようになる２ないし３波長の間隔を超える距離である。そのような送信モードでは、複数のセルまたは送信ポイントが、ＷＴＲＵで受信される信号対干渉雑音比（ＳＩＮＲ）を改善するために組み合わされる。
【００４７】
諸実施形態は、用語「サービングセル」が、たとえばＬＴＥ  Ｒ８で定義される（単一セル）、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）割当を送信する単一のセルについて使用されることを企図するものである。諸実施形態は、データがＣｏＭＰ協力するセットにおける各ポイントで使用可能であるジョイント処理（ｊｏｉｎｔ  ｐｒｏｃｅｓｓｉｎｇ、ＪＰ）を含む複数のＣｏＭＰカテゴリが使用されることをも企図するものである。ＪＰ実施形態では、ジョイント送信（ＪＴ）が使用され、ここで、物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）送信は、一時に、ＣｏＭＰ協力するセットの一部またはおそらくはＣｏＭＰ協力するセット全体など、複数のポイントから送信される。単一のＷＴＲＵへのデータは、たとえば、（コヒーレントにまたは非コヒーレントに）受信信号品質を改善し、かつ／または他のＷＴＲＵに関する干渉を能動的に除去するために、複数の送信ポイントから同時に送信される。また、諸実施形態は、ＪＰにおいて、動的セル選択が使用され、ここで、たとえば、ＰＤＳＣＨ送信が、１時にＣｏＭＰ協力するセットにおいて１つのポイントから送信されることを企図するものである。
【００４８】
もう１つのＣｏＭＰカテゴリは、調整されたスケジューリング／調整されたビームフォーミング（ＣＳ／ＣＢ）であり、ここでは、データは、サービングセルで入手可能であり（すなわち、データ送信は、そのポイントからのみ実行される）、いくつかの実施形態では、サービングセルでのみ入手可能であるが、ユーザスケジューリング／ビームフォーミング判断は、ＣｏＭＰ協力するセットに対応するセルの間の調整と共に行われる。
【００４９】
諸実施形態は、少なくとも１つのＣｏＭＰカテゴリがセルアグリゲーションを含むことを企図するものである。いくつかの送信ポイントまたは各送信ポイントは、同一の搬送波周波数場でＷＴＲＵに送信すべき独立のデータを有する。いくつかのセルまたは各セルは、ＷＴＲＵへおよびＷＴＲＵからのそれ自体のデータフローおよび／または信号フローを有する。たとえば、いくつかのセルまたは各セルは、独立のＨＡＲＱプロセスを使用する。
【００５０】
諸実施形態は、１つまたは複数のＣｏＭＰセットが、ＣｏＭＰ協力するセットを含み、ここで、地理的に分離されたポイントのセットが、直接または間接にＷＴＲＵへのＰＤＳＣＨ送信に参加しつつあることを企図するものである。このセットは、ＷＴＲＵに透過的であり、または透過的でない。もう１つのＣｏＭＰセットは、ＣｏＭＰ送信ポイント（１つまたは複数）であり、これは、ＷＴＲＵに能動的にＰＤＳＣＨを送信しつつある１つのポイントまたはポイントのセットである。ＣｏＭＰ送信ポイント（１つまたは複数）のセットは、ＣｏＭＰ協力するセットのサブセットである。ＪＴ実施形態では、ＣｏＭＰ送信ポイントは、ＣｏＭＰ協力するセットにおけるポイントである。動的セル選択実施形態では、単一のポイントが、いくつかのサブフレームにおいて、またはおそらくはすべてのサブフレームにおいて送信ポイントである。この単一の送信ポイントは、ＣｏＭＰ協力するセットにおいて動的に変化する。ＣＳ／ＣＢ実施形態について、ＣｏＭＰ送信ポイントは、たとえば「サービングセル」に対応する。
【００５１】
諸実施形態は、チャネル状態／統計情報（ＷＴＲＵへのリンクに関する）が報告されるセルのセットであるＣｏＭＰ測定セットを含む他のＣｏＭＰセットを企図するものである。いくつかの実施形態では、ＣｏＭＰ測定セットは、ＣｏＭＰ協力するセットと同一である。実際のＷＴＲＵレポートは、ＣｏＭＰ測定セルのセルのサブセットに関するフィードバックを含み、いくつかの実施形態では、報告されるセルと呼ばれるＣｏＭＰ測定セルのセルのサブセットに関するフィードバックだけを含む。
【００５２】
諸実施形態は、チャネル状態情報（ＣＳＩ）フィードバックが、ランク（たとえば、ランクインジケータ（ｒａｎｋ  ｉｎｄｉｃａｔｏｒ、ＲＩ））、プリコーダ行列インデックス（ｐｒｅｃｏｄｅｒ  ｍａｔｒｉｘ  ｉｎｄｅｘ、ＰＭＩ）、および／またはチャネル品質インジケータ（ｃｈａｎｎｅｌ  ｑｕａｌｉｔｙ  ｉｎｄｉｃａｔｏｒ、ＣＱＩ）の形で報告され、ＰＭＩが、たとえば事前定義のコードブックに対してチャネルを量子化することによってＷＴＲＵで計算されることを企図するものである。ＣＳＩフィードバックは、ＣＱＩ／ＰＭＩ／ＲＩレポートを含むことができ、周期的または非周期的のいずれかの基礎で提供される。ＷＴＲＵによって報告される情報を制御するのに使用されるパラメータは、システム帯域幅に基づき、かつ／または無線リソース制御（ＲＲＣ）の接続セットアップメッセージ、再構成メッセージ、および／または再確立メッセージ内で提供される。ＷＴＲＵによって報告される情報は、送信モードに基づいて変化し、この送信モードは、同一のＲＲＣメッセージにおいて定義される。表１は、諸実施形態によって企図される例示的な報告するモードの要約を含む。
【００５３】
【表１】
2020174366.tif 000003
【００５４】
諸実施形態は、周期的フィードバックが、物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）チャネル上で送信されることを企図するが、物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）チャネルが存在する時には、周期的フィードバックはそのチャネル上で送信される。周期的報告は、１つまたは複数の異なるタイプのレポートのシーケンスを使用することができる。そのようなタイプは、たとえば、サブバンドＣＱＩを報告する「タイプ１」、広帯域ＣＱＩ／ＰＭＩを報告する「タイプ２」、ＲＩを報告する「タイプ３」、および広帯域ＣＱＩを報告する「タイプ４」を含む。例示的な報告シーケンスが、図２に示され、図２では、各長方形における数が、上で説明したレポートタイプに対応する。１つまたは複数の実施形態では、非周期的フィードバックは、フォーマット０ダウンリンク制御情報（ｄｏｗｎｌｉｎｋ  ｃｏｎｔｒｏｌ  ｉｎｆｏｒｍａｔｉｏｎ、ＤＣＩ）またはＣＱＩ要求ビットがセットされている時にはランダムアクセス応答（ｒａｎｄｏｍ  ａｃｃｅｓｓ  ｒｅｓｐｏｎｓｅ、ＲＡＲ）によって要求される。１つまたは複数の実施形態では、非周期的フィードバックは、ＰＵＳＣＨチャネル上で送信される。
【００５５】
諸実施形態は、周期的ＰＵＣＣＨフィードバックのタイプが、さらに、８つの送信（Ｔｘ）アンテナポートについて拡張されることを企図するものである。そのようなタイプの周期的ＰＵＣＣＨフィードバックは、ＷＴＲＵによって選択されたサブバンドのＣＱＩフィードバックをサポートする「タイプ１」レポート、サブバンドＣＱＩおよび第２ＰＭＩフィードバックをサポートする「タイプ１ａ」レポート、広帯域ＣＱＩおよびＰＭＩフィードバックをサポートする「タイプ２」、「タイプ２ｂ」、および「タイプ２ｃ」レポート、広帯域ＰＭＩフィードバックをサポートする「タイプ２ａ」レポート、ＲＩフィードバックをサポートする「タイプ３」レポート、広帯域ＣＱＩをサポートする「タイプ４」レポート、ＲＩおよび広帯域ＰＭＩフィードバックをサポートする「タイプ５」レポート、ならびにＲＩおよびＰＴＩフィードバックをサポートする「タイプ６」レポートを含む。たとえばＬＴＥ  Ｒ８およびＲ１０で使用されるものなどのＣＳＩフィードバックは、単一セル動作および物理ダウンリンク共有チャネル（ＰＤＳＣＨ）スケジューリングをサポートするように設計される。ＣＳＩフィードバックは、それ自体とサービングセルとの間のチャネルを表し、サービングセルに、およびいくつかの実施形態ではおそらくサービングセルだけに、報告される。
【００５６】
諸実施形態は、または複数のＷＴＲＵフィードバック手順が、単一セルダウンリンク動作のためのものであることを企図するものである。諸実施形態は、ＣｏＭＰ動作について、ＷＴＲＵが、ＣｏＭＰセット決定、ＣｏＭＰアクティブ化／非アクティブ化、および／またはダウンリンクスケジューリング／ビームフォーミングなどのさまざまな機能に必要な異なるＣｏＭＰセルまたは送信ポイントのＣＳＩ情報を含む複数のフィードバックを供給することを要求されることを認めるものである。ＣｏＭＰ実施態様用の複数のフィードバック構成実施形態が、企図されている。１つまたは複数の実施形態は、フィードバック機構の内容と速度との両方の諸態様に対処することを企図するものである。
【００５７】
諸実施形態は、Ｒ１０までに定義されたいくつかのフィードバック手順が、セルのいくつかのまたはすべての送信ポイント（またはアンテナポート）が地理的にお互いに近い場合について最適化されることを認めるものである。リモート無線ヘッド（ｒｅｍｏｔｅ  ｒａｄｉｏ  ｈｅａｄ、ＲＲＨ）を利用する展開では、地理的に分離されたＲＲＨのセットは、同一の物理セルアイデンティティを利用する。このシナリオでは、Ｒ１０の方法を使用して同一のセルのいくつかのまたはすべての展開されたアンテナポートについてＣＳＩに報告するのにＷＴＲＵを使用することは、いくつかのアンテナポートのチャネル品質が他のアンテナポートのチャネル品質よりはるかに弱い可能性が高いので、非効率的である。さらに、異なるＲＲＨから送信される信号は、ＣＳＩの評価においてＷＴＲＵによって考慮に入れられる必要がある異なる特性を有する。
【００５８】
諸実施形態は、ＷＴＲＵが複数の送信ポイントについてＣＳＩを効率的に報告することを可能にする技法を企図するものである。たとえば、諸実施形態は、ＷＴＲＵがＣＳＩフィードバックを効率的に報告するのに使用する（たとえば、ＣＳＩ情報の不必要な報告の量を減らす）技法を企図するものである。さらに、たとえば、諸実施形態は、ＷＴＲＵが地理的に同一位置に配置されてはいない送信ポイントのセットについてＣＳＩを評価する方法を企図するものである。
【００５９】
諸実施形態は、基準信号が同一の物理送信ポイントから狭い間隔のアンテナのセットから送信され、したがって、これらの物理送信ポイントがそれらとＷＴＲＵとの間で同一の長期経路損を共有すると仮定して、ＣＳＩが評価され、報告されることを認めるものである。この仮定が満足されない場合には、ＣＳＩは、スケジューリングのためにネットワークにとって有用（または最適）ではない。たとえば、ネットワークは、どの送信ポイントまたは送信ポイントのセットが特定の場合のＵＥのスケジューリングに関して最も適当であるのかを決定することができない。
【００６０】
諸実施形態は、ＣｏＭＰ動作に適当な送信ポイントのセットが、セルにおけるＷＴＲＵの位置に依存することをも認めるものである。諸実施形態は、送信ポイントの適当なセット（１つまたは複数）および／またはたとえばＷＴＲＵのために構成された基準信号（たとえば、ＣＳＩ−ＲＳ）の関連するセットを決定する１つまたは複数の技法を企図するものである。
【００６１】
本明細書で言及される時に、句「送信ポイント」は、ＷＴＲＵに送信しつつありまたはこれから受信しつつあるネットワークからの任意のアンテナポートまたは地理的に同一位置に配置されたアンテナポートのサブセットを指す。所与のＷＴＲＵについて構成されまたはアクティブ化された送信ポイントのセットは、同一の物理セルアイデンティティに属し、または属さない。送信ポイントは、１つのＣＳＩ−ＲＳまたはＣＳＩ−ＲＳの１セットを送信する。諸実施形態は、句「ＣＳＩ−ＲＳリソース」または「非ゼロ電力ＣＳＩ−ＲＳリソース」が、１つの送信ポイントまたは送信ポイントの１セットから送信されるＣＳＩ−ＲＳ基準信号および／またはアンテナポートのセットを指すことを企図するものである。１つまたは複数の実施形態では、これらの基準信号の特性は、たとえばＲＲＣシグナリングなどのより上の層によってＷＴＲＵに供給される。ＷＴＲＵは、ＣＳＩ評価および報告のために１つまたは複数のＣＳＩ−ＲＳリソースを用いて構成される。句「送信ポイント」は、あるいは句「ＣＳＩ−ＲＳリソース」と共に使用され、１つまたは複数の実施形態では、ＣＳＩ−ＲＳリソースは、送信ポイントに対応する。送信ポイントは、少なくとも１つの共通基準信号（ＣＲＳ）をも送信し、ＷＴＲＵは、たとえば、他の目的の中でも、ＣＳＩ評価および／または報告のために少なくとも１つのＣＲＳをも測定する。
【００６２】
やはり本明細書で言及されるように、ＣＳＩ−ＲＳリソースは、１つの送信（またはおそらくは複数の送信ポイント）から送信されるＣＳＩ−ＲＳ基準信号またはアンテナポートのセットである。これらの基準信号の特性は、より上の層によってＷＴＲＵに供給される。ＷＴＲＵは、たとえばＣＳＩ評価および／または報告のために、１つまたは複数のＣＳＩ−ＲＳリソースを用いて構成される。前に説明したように、表現「送信ポイント」は、ＣＳＩ−ＲＳリソースが送信ポイントに対応することが理解される場合に、「ＣＳＩ−ＲＳリソース」によって置換される。また、本明細書では、ポイントごとのランクインジケーション（ＲＩ）は、１つの送信ポイントからの送信に関する有用な送信層（またはランク）の推奨される個数に対応する。ポイントごとのＲＩは、同等に、おそらくは関係するＣＳＩ−ＲＳリソースがＣＳＩ測定に使用される場合に「ＣＳＩ−ＲＳリソースごとのＲＩ」またはおそらくはＣＲＳがＣＳＩ測定に使用される場合に「ＣＲＳごとの」もしくは「セルごとの」ＲＩと呼ばれる。
【００６３】
さらに、本明細書で言及するように、ポイントごとのＣＱＩは、１つの送信ポイントからの符号語（またはＰＤＳＣＨトランスポートブロック）の送信に適用可能なチャネル品質インジケータ（ＣＱＩ）に対応する。ポイントごとのＣＱＩは、同等に、おそらくは対応するＣＳＩ−ＲＳリソースがＣＳＩ測定に使用される場合に「ＣＳＩ−ＲＳリソースごとのＣＱＩ」またはおそらくは共通基準信号（ＣＲＳ）がＣＳＩ測定に使用される場合に「ＣＲＳごとの」もしくは「セルごとの」ＣＱＩと呼ばれる。
【００６４】
本明細書で言及する時に、ポイントごとのプリコーディング行列インジケータ（ｐｒｅ−ｃｏｄｉｎｇ  ｍａｔｒｉｘ  ｉｎｄｉｃａｔｏｒ、ＰＭＩ）またはローカルプリコーディング行列インジケータは、１つの送信ポイントからの送信の推奨されるプリコーディング行列（またはプリコーダ）に対応する。ポイントごとのＰＭＩは、同等に、おそらくは関係するＣＳＩ−ＲＳリソースがＣＳＩ測定に使用される場合に「ＣＳＩ−ＲＳリソースごとのＰＭＩ」またはおそらくはＣＲＳがＣＳＩ測定に使用される場合に「ＣＲＳごとの」もしくは「セルごとの」ＰＭＩと呼ばれる。同一のＣＳＩ−ＲＳリソースまたはポイントについて、諸実施形態は、単一のプリコーディング行列をジョイントで示す複数のプリコーディング行列インジケータがある（たとえば、第１プリコーディングインジケータおよび第２プリコーディングインジケータ、ここで、後者は、経時的に前者よりすばやく変化する）ことを企図するものである。
【００６５】
また、本明細書で言及するように、ジョイントランクインジケーションまたは共通ランクインジケーションは、たとえば複数のＣＳＩ−ＲＳリソースに対応する、複数の送信ポイントからのジョイント送信に関する有用な送信層の推奨される個数に対応する。
【００６６】
アグリゲーテッドＣＱＩ（ａｇｇｒｅｇａｔｅｄ  ＣＱＩ）またはジョイントＣＱＩは、複数のＣＳＩ−ＲＳリソースに対応する、複数の送信ポイントからの符号語のジョイント送信に適用可能なＣＱＩに対応する。アグリゲーテッドＣＱＩは、ある種のプリコーディングベクトルまたはプリコーディング行列が、ＣＳＩ−ＲＳリソースに対応するいくつかのまたは各送信ポイントで使用されると仮定して、推定される。また、アグリゲーテッドＣＱＩは、これらのＣＳＩ−ＲＳリソースに対応する送信ポイントで使用されるプリコーダの間のある種の関係を仮定して推定される。たとえば、他の企図される仮定の中でも、プリコーダの間の相対位相が、送信ポイントからの信号がコヒーレントに組み合わされ（ゼロ位相差を伴う）または事前に決定された位相差を伴って組み合わされるようになっていると仮定される。
【００６７】
本明細書で言及されるように、アグリゲーテッドＰＭＩ（ａｇｇｒｅｇａｔｅｄ  ＰＭＩ）またはグローバルＰＭＩは、複数のＣＳＩ−ＲＳリソースに対応する、複数の送信ポイントからの送信の推奨されるプリコーディング行列に対応する。推奨されるプリコーディング行列の次元は、たとえば、少なくとも１つのＣＳＩ−ＲＳリソースからのアンテナポートの総数に層（またはランク）の個数を乗じたものに対応する。
【００６８】
本明細書で言及するように、ポイント間位相インジケータまたは組み合わせるインジケータは、送信ポイントにおいて使用されるプリコーディング行列の少なくとも１対について、少なくとも１つの送信層に関する推奨されるポイント間位相差に対応する。ポイント間位相インジケータは、同等に、おそらくはＣＳＩ−ＲＳリソースの関係するセットがＣＳＩ測定に使用される場合に「ＣＳＩ−ＲＳリソース間インジケータ」またはおそらくは共通基準信号（ＣＲＳ）がＣＳＩ測定に使用される場合に「ＣＲＳ間」もしくは「セル間」ＣＱＩと呼ばれる。
【００６９】
また、本明細書で言及される時に、用語「送信ポイントのセットのＣＳＩ」は、送信ポイントのこのセットの任意のサブセットから導出された任意のタイプのチャネル状態情報を指す。たとえば、送信ポイントのセットのＣＳＩは、チャネル品質情報、ランクインジケーション、プリコーディング行列インジケーション、および／または任意のタイプの明示的なもしくは暗黙のフィードバックを含む。送信ポイントのセットのＣＳＩは、本明細書で開示されるように、これまでに定義されていない、複数の送信ポイントの機能である、あるタイプのチャネル状態情報をも含む。
【００７０】
諸実施形態は、地理的に分離された送信ポイントに関係するＣＳＩを効率的に評価し、かつ／または報告するために個別にまたは組み合わせて使用できるデバイスおよび技法を企図するものである。１つまたは複数の実施形態では、ＷＴＲＵは、異なるサブフレーム内でのＣＳＩ報告のために構成された、異なる送信ポイント（またはＣＳＩ−ＲＳリソース）またはそのサブセットのＣＳＩを報告する。送信ポイントのサブセットは、より上の層（たとえば、ＲＲＣシグナリングまたはＭＡＣシグナリング）から各サブセットの一部である送信ポイント（またはＣＳＩ−ＲＳなどの対応する基準信号）を受信すること、および／または送信ポイントから受信された信号の１つもしくは複数の特性のうちの１つまたは複数に基づいて決定される。たとえば、信号の特性は、各Ｔｘポイントから送信されたＣＳＩ−ＲＳ（チャネル状態インジケータ基準信号）と、各ポイントから送信されたＣＲＳ（共通基準信号）と、各ポイントから送信された基準信号を導出するのに使用された物理セルアイデンティティと（たとえば、送信ポイントのサブセットは、特定のセルからのすべての送信ポイントに対応するように定義される、および各送信ポイントから受信された信号の品質メトリック（受信信号強度、受信信号品質、および／またはチャネル品質情報など）とを含むが、これに限定されない。
【００７１】
たとえば、送信ポイントの２つのサブセットが定義され、ここで、一方のサブセットは、正確でタイムリーなＣＳＩ情報が要求される相対的に高い電力レベルで受信される送信ポイントに対応し（たとえば、「アクティブ」サブセット）、他方のサブセットは、ＣＳＩ情報が、少なくとも非常に頻繁には要求されない、相対的に低いレベルで受信される送信ポイントに対応する（たとえば、「監視される」サブセット）。ネットワークは、どの送信ポイントが各サブセットの一部であるのかを決定し、無線リソース制御シグナリングを使用して、Ｔｘポイントのアクティブサブセットおよび監視されるサブセットを示すことができる。あるいは、ＷＴＲＵは、受信信号強度が、より上の層を介してネットワークによってシグナリングされ、かつ／またはたとえば最良の送信ポイントの受信信号強度の関数とすることができるしきい値より大きいまたはこれより小さい（いくつかの実施形態では、おそらくは事前定義の時間の期間にわたってしきい値より大きいまたはこれより小さい）のどちらであるのかを決定することによって、ある送信ポイントがアクティブグループまたは監視されるグループのどちらに属するのかを決定することができる。アクティブセットの構成は、たとえば、ＷＴＲＵに非ゼロ電力ＣＳＩ−ＲＳリソースのセットおよび／またはいくつかの実施形態でセルアイデンティティのセットを供給することによって、行うことができる。
【００７２】
もう１つの例では、送信ポイントの第１サブセット（たとえば、「サービング」サブセット）は、ＷＴＲＵのサービングセルによって使用される送信ポイントのセットとして定義されるが、送信ポイントの他のサブセット（たとえば、「非サービング」サブセット）は、それらがそこから送信されるセルに従って定義される。もう１つの例では、１つのサブセットが、「サービング」送信ポイントとして識別される単一の特定の送信ポイントを含み、少なくとも１つの他のサブセットが、「援助する」送信ポイントとして識別される少なくとも１つの送信ポイントを含む。ＷＴＲＵがそれに関して送信ポイントの特定のサブセットのＣＳＩを報告するサブフレームは、システムフレーム番号およびサブフレーム番号の特定の関数によって決定される。たとえば、この関数は、それに関して送信ポイントの特定のサブセットのＣＳＩの少なくとも一部が報告されるサブフレームが周期的に発生するように定義される。諸実施形態は、同一の送信ポイントのＣＳＩの異なる部分（たとえば、ＲＩおよびＰＭＩ／ＣＱＩ）がサブフレームの異なる周期的セットを使用することを認めるものである。周期性（および／またはオフセット）は、送信ポイントの異なるサブセットまたはＣＳＩの異なるタイプもしくは異なる部分について異なる。これは、たとえば、ＷＴＲＵが、送信ポイントの第１サブセット（「アクティブ」サブセットまたは「サービング」サブセット）について、送信ポイントの第２サブセット（「監視される」サブセットまたは「非サービング」サブセット）より頻繁にＣＳＩを送信することを可能にすることができる。どのサブフレーム内で特定のサブセットが報告されるのかを決定する特定の関数のパラメータは、より上の層（たとえば、ＲＲＣシグナリング）によって供給される。たとえば、より上の層は、おそらくはこれらのパラメータをそれから導出できる単一のインデックスを介して、送信ポイントのサブセットごとの周期性およびオフセットならびに／またはＣＳＩの諸部分を提供する。諸実施形態は、第２サブセットの周期性が、第１サブセットの周期性の所定の倍数またはシグナリングされた倍数として決定されることをも企図するものである。また、たとえば、１つまたは複数の実施形態は、ある種のサブセットについて、周期的報告が全くないことを企図するものである。これらのサブセットについて、ＣＳＩは、非周期的ＣＱＩ／ＣＳＩ要求がＷＴＲＵによって受信される場合に報告され、いくつかの実施形態では、おそらく、非周期的ＣＱＩ／ＣＳＩ要求がＷＴＲＵによって受信される場合に限って報告される。
【００７３】
諸実施形態は、送信ポイントのある種のサブセットについて報告されるＣＳＩのタイプが、送信ポイントの他のサブセットに関するものと異なることを企図するものである。より一般的に、ＣＳＩのどの部分がどのサブフレーム内で報告されるのかを定義するＣＳＩ報告モードは、送信ポイントのサブセットごとに異なる。たとえば、送信ポイントの第１サブセットのＣＳＩフィードバックは、ＰＵＣＣＨ  ＣＳＩ報告モード２−１（サブバンドＣＱＩが報告される）について構成されることができ、送信ポイントの第２サブセットのＣＳＩフィードバックは、ＰＵＣＣＨ  ＣＳＩ報告モード１−１（広帯域ＣＱＩが報告される）について構成されることができる。もう１つの例では、送信ポイントの第１サブセットのＣＳＩフィードバックは、ＰＵＳＣＨ報告モード２−２（サブバンドＰＭＩおよびＣＱＩが報告される）について構成されることができ、送信ポイントの第２サブセットのＣＳＩフィードバックは、ＰＵＳＣＨ報告モード１−２（広帯域ＣＱＩおよびサブバンドＰＭＩが報告される）またはＰＵＳＣＨ報告モード３−１（広帯域ＰＭＩおよびサブバンドＣＱＩが報告される）について構成されることができる。
【００７４】
１つまたは複数の実施形態は、ＷＴＲＵが、前のサブフレーム（ｎ−ｋ）（ただし、ｋは事前に定義されまたはシグナリングされる）内に非周期的ＣＳＩ要求を受信する場合に、ＷＴＲＵが、特定のサブセットのＣＳＩを所与のサブフレーム（ｎ）にも報告することを企図するものである。そのような非周期的ＣＳＩ要求は、たとえば、ダウンリンク制御情報（ＤＣＩ）の特定のフィールドに値のサブセットのうちの少なくとも１つをセットすることによって、物理層でシグナリングされ、ここで、ＤＣＩは、アップリンクグラントをシグナリングしつつあり、ＰＤＣＣＨまたは機能強化された制御チャネル（Ｅ−ＰＤＣＣＨ）などの別のダウンリンク制御チャネルを介して送信される。ＷＴＲＵがそれに関してＣＳＩを報告するサブセット（またはサブセットのセット）は、（１）非周期的ＣＳＩ要求を含むダウンリンク送信の特性、（２）おそらくはシステムフレーム番号およびサブフレーム番号に関して表される、要求が受信されるサブフレーム（ｎ−ｋ）またはＣＳＩが報告されるサブレーム（ｎ）のタイミング、（３）非周期的ＣＳＩ要求と同一のサブフレームにおいて受信される（送信される）ＣＳＩ−ＲＳのセットまたは非周期的ＣＳＩ要求のｘ−ｙサブフレーム内で受信されまたは送信されるＣＳＩ−ＲＳのセット（ここで、ｘは非周期的ＣＳＩ要求が受信されるサブフレームであり、ｙは所定のまたは構成された値である）、（４）非周期的ＣＳＩ要求と同一のサブフレームにおいて受信される（送信される）ＣＳＩ−ＲＳのセットまたは非周期的ＣＳＩ要求のｘ−ｙサブフレーム内で受信されまたは送信されるＣＳＩ−ＲＳのセット（ここで、ｘは非周期的ＣＳＩ要求が受信されるサブフレームであり、ｙは所定のまたは構成された値である）、（５）非周期的ＣＳＩ要求と同一のサブフレームにおいて受信される（送信される）ＣＳＩ−ＲＳのセットまたは非周期的ＣＳＩ要求のｘ−ｙサブフレーム内で受信されまたは送信されるＣＳＩ−ＲＳのセット（ここで、ｘは非周期的ＣＳＩ要求が受信されるサブフレームであり、ｙは所定のまたは構成された値である）、（６）非周期的ＣＳＩ要求を含んだダウンリンク制御シグナリングによって示されるアップリンク送信の特性、および／または（７）ＣＳＩがそれに関して報告される送信ポイントのサブセットが非周期的ＣＳＩ要求を示すダウンリンク制御シグナリングの送信に使用される送信ポイントのサブセットに対応することを示す非周期的ＣＳＩ要求フィールドのコードポイント予約など、上記の組合せのうちの１つまたは複数に従って決定され、かつ／または導出される。
【００７５】
一例では、非周期的ＣＳＩ要求を含むダウンリンク送信の特性は、（１）ＵＥに関する非周期的ＣＳＩ要求を含むダウンリンク制御シグナリング（ＰＤＣＣＨなど）からのインジケーション（たとえば、インジケーションは、ＣＱＩ要求フィールドなどの既存のフィールドまたはおそらくはこれまで未定義のＤＣＩフォーマットでのフィールドの特定のコードポイント（１つまたは複数）によって提供される）、（２）非周期的ＣＳＩ要求を含むダウンリンク制御チャネル（たとえば、発展型ＰＤＣＣＨなど）の送信に使用される送信ポイント（１つまたは複数）（たとえば、ダウンリンク制御シグナリングが機能強化された制御チャネルを通じて伝えられる場合に、ＷＴＲＵがそれに関してＣＳＩを報告する送信ポイントのサブセットは、機能強化された制御チャネルの送信に使用される送信ポイントのセットに対応することができる、（３）非周期的ＣＳＩ要求を含むダウンリンク制御シグナリングがそこから送信されるセル（たとえば、ＷＴＲＵは、このセルに対応する送信ポイントのサブセットのＣＳＩを報告し、いくつかの実施形態では、ＷＴＲＵは、このセルに対応する送信ポイントのサブセットのＣＳＩだけを報告する）、および／または（４）それに関するフィードバックがＣＳＩ要求フィールドの値に従って提供されるセルのサブセット（たとえば、ＷＴＲＵは、セルのサブセットに対応する送信ポイントのサブセットのＣＳＩを報告する）を含むが、これに限定されない。
【００７６】
１つまたは複数の実施形態は、ＷＴＲＵが、所与のサブフレーム内で、次のうちの１つまたは複数に従って決定される送信ポイントのサブセットのＣＳＩを報告することを企図するものである。（１）それに関してＣＳＩを報告すべき送信ポイントもしくは送信ポイントのサブセットおよび／またはＣＳＩ−ＲＳリソースのサブセットの最大個数Ｍの決定。この値は、事前に決定されまたはより上の層によってシグナリングされる、および／または（２）関連するメトリックの値（１つまたは複数）がＣＳＩ報告のために構成されたすべての送信ポイント（またはそのサブセット）の中で最大の値であり、かつ／またはあるしきい値を超えるＭ個までの送信ポイントまたはそのサブセットの選択。関連するメトリックは、対応する送信ポイント（１つまたは複数）から受信された信号の品質および／またはこれらの送信ポイント上での送信の期待される性能を表す。１つまたは複数の実施形態では、このメトリックは、各送信ポイントまたは送信ポイントの各サブセットに関連付けられる。
【００７７】
諸実施形態は、単一のメトリックがＭ個の送信ポイントの選択に関連付けられることをも企図するものである。たとえば、送信ポイントの選択は、（１）送信ポイントの広帯域ＣＱＩもしくは送信ポイントのサブセットに関するプリコーディング行列にわたる最良の可能な広帯域ＣＱＩ、（２）報告が特定のサブバンドに関する場合にはサブバンドＣＱＩ、もしくは最良のプリコーディング行列（送信ポイントのサブセットの）を使用するサブバンドにわたるサブバンドＣＱＩの最大値、（３）送信ポイント（１つまたは複数）からの受信信号強度（ＲＳＲＰ）、（４）送信ポイント（１つまたは複数）からの受信信号品質（ＲＳＲＱ）、（５）選択された送信ポイントからの仮説の送信に関する期待されるスループット、および／または（６）選択された送信ポイントからの仮説の送信に関する最大ランク（同一のまたは異なる層（１つまたは複数）および／またはフロー（１つまたは複数）は、いくつかの送信ポイントまたは各送信ポイントから受信される）のうちの１つまたは複数に基づく。
【００７８】
諸実施形態は、ＷＴＲＵが、（１）おそらくは少なくとも１つのプリコーディング行列を仮定して、たとえばＣＱＩ、ＲＳＲＰ、および／もしくはＲＳＲＱなどまたは類似物によって測定される最良のチャネル品質を提供する送信ポイントを選択することと、（２）性能メトリック（スループットまたはＳＩＮＲその他など）が事前定義のしきい値を超えて改善される場合に、およびいくつかの実施形態では性能メトリック（スループットまたはＳＩＮＲその他など）が事前定義のしきい値を超えて改善される場合に限って、送信ポイントの報告されるセットにもう１つの送信ポイントを追加することとのうちの１つまたは複数に従って、Ｍ個までの送信ポイントを選択することを企図するものである。１つまたは複数の実施形態では、本明細書で説明されるＭ個の送信ポイントの選択に関連するメトリックは、事前定義の時間の期間にわたって永続する。たとえば、メトリックが、ＣＱＩレポートに頼る場合には、送信ポイントは、測定された品質がある時間の期間にわたってしきい値より大きい／小さい場合に選択される。
【００７９】
諸実施形態は、アクティブ化状態が、送信ポイント（１つまたは複数）またはそのサブセット（１つまたは複数）について定義されることを企図するものである。所与のサブフレーム内で、ＷＴＲＵは、「アクティブ」状態である送信ポイント（１つまたは複数）および／またはそのサブセット（１つまたは複数）のＣＳＩを報告する。１つまたは複数の実施形態では、ＷＴＲＵは、非アクティブ送信ポイント（１つまたは複数）またはそのサブセット（１つまたは複数）に関連する基準信号（１つまたは複数）の品質を測定しない。アクティブ化状態は、（１）送信ポイント（１つまたは複数）もしくはそのサブセット（１つまたは複数）の構成の後に初期アクティブ化状態を「アクティブ」もしくは「非アクティブ」のいずれかにセットすること、および／または（２）アクティブ化コマンドもしくは非アクティブ化コマンドの受信を通じて明示的なアクティブ化もしくは非アクティブ化のうちの１つまたは複数を使用して決定される。コマンドは、たとえば、次の特性すなわち、ＤＣＩが少なくとも１つのＣｏＭＰ機能の使用を示す無線ネットワーク識別子（Ｒａｄｉｏ−Ｎｅｔｗｏｒｋ  Ｉｄｅｎｔｉｆｉｅｒ、ＲＮＴＩ）を使用してスクランブルされ、ＣｏＭＰが送信に適用可能であることを少なくとも１つの無線リソース割当（たとえば、ダウンリンク割当）が示すようにＤＣＩが前記割当を示し、かつ／またはＰＤＣＣＨ制御シグナリング（たとえば、ＤＣＩ）の受信からなどの物理層シグナリングが少なくとも１つのＣｏＭＰ機能のアクティブ化および／または非アクティブ化のインジケーション（たとえば、１ビット）を含む場合の上記特性のいずれかのうちの１つまたは複数と共に前記シグナリングによって伝えられる。さらに、コマンドは、ＭＡＣ層シグナリング（たとえば、ＭＡＣ制御要素）および／またはＲＲＣシグナリングの一方または両方によって伝えられる。諸実施形態は、たとえば、送信ポイントもしくはそのサブセットに関連するメトリックがしきい値未満になり、ＷＴＲＵがＷＴＲＵへの送信のために送信ポイントもしくはそのサブセットを利用し始めるようにネットワークをトリガする１つまたは複数の測定値を報告し、かつ／または送信ポイント（１つまたは複数）もしくはそのサブセットを利用するネットワークからの最後の送信時に開始（または再開始）されたタイマが満了するなど、１つまたは複数の条件が検出される時に、暗黙の非アクティブ化が発生することを企図するものである。
【００８０】
前に説明したシグナリング方法のうちの１つまたは複数について、１つまたは複数の実施形態は、ＷＴＲＵがＣｏＭＰ機能のアクティブ化／非アクティブ化を肯定応答するためにＨＡＲＱ  Ａ／Ｎを送信することを企図するものである。さらに、シグナリング手順は、たとえば、ＣＳＩ報告／モードおよび／または報告するＣｏＭＰセット、および／またはフィードバックフォーマット、および／または使用すべきフィードバックリソースの構成へのインデックステーブル（たとえば、００、０１、１０、１１）に基づいて構築される。
【００８１】
諸実施形態は、ＣＳＩ報告もしくは測定値報告のためにアップリンクにおける送信ポイントのセットおよび／または非周期的ＣＳＩ要求もしくはデータ送信のためにダウンリンク制御シグナリング（ＰＤＣＣＨまたは機能強化されたＰＤＣＣＨのＤＣＩフォーマットなど）での送信ポイントのセットを示すのに使用される技法を企図するものである。たとえば、ＷＴＲＵは、各ビット位置が特定の送信ポイントまたはそのサブセットに対応するビットマップによって、送信ポイント（１つまたは複数）または送信ポイントのサブセット（１つまたは複数）を示す（またはそのＷＴＲＵへ示させる）。もう１つの例では、送信ポイント（１つまたは複数）のサブセットは、関係するシグナリング（ＣＱＩレポート、ＤＣＩなど）の送信のサブフレームのタイミング、関係するシグナリングの送信に使用される送信ポイントなど、関係するシグナリングの送信の特性によって暗黙のうちに示される。もう１つの例では、ビットの事前定義のシーケンスが、ＣＳＩが報告されない送信ポイントのＣＳＩを置換するのに使用される。もう１つの例では、インデックスが、構成内でいくつかのまたは各ＣＳＩ−ＲＳリソースに関連付けられる。ＷＴＲＵは、関連するＣＳＩレポートと一緒にこのインデックスを報告する。インデックスは、明示的に供給され、またはたとえばＲＲＣメッセージ内の受信された構成の順序に従ってＷＴＲＵにおいて暗黙のうちに決定される。
【００８２】
諸実施形態は、Ｋ個の送信ポイントのセットのＣＳＩフィードバックのコンポーネントを企図するものである。ＣＳＩフィードバックの決定の基礎として使用される測定値は、次の信号のセットすなわち、ＣＳＩ−ＲＳ基準信号、ＣＲＳ基準信号、および／または他のタイプの基準信号のうちの少なくとも１つから導出される。そのような基準信号は、セットの第ｋ送信ポイントのＡk個の（基準信号）アンテナポート上で送信される。いくつかのまたは各送信ポイントのアンテナポートの構成ならびに関連する基準信号の１つまたは複数のマッピング技法が、諸実施形態によって企図されている。
【００８３】
１つまたは複数の実施形態は、ＷＴＲＵが、セットのＫ個の送信ポイントのいくつかまたはすべてを介するジョイント送信のために達成される「ジョイントランクインジケーション」ＲＩjointまたは「共通ランクインジケーション」を報告することを企図するものである。ジョイントランクインジケーションは、たとえば、Ｋ個の送信ポイントを介するジョイント送信に関する有用な送信層（またはランク）の推奨される個数として解釈される。ＷＴＲＵは、第ｋ送信ポイント上で、およびいくつかの実施形態で第ｋ送信ポイントのみ上での送信に関して有用な送信層（またはランク）の推奨される個数に対応するポイントごとのランクインジケーションＲＩkを報告する。ポイントごとのランクインジケーションは、たとえばＣＳＩ評価がＣＳＩ−ＲＳ測定値に基づく場合に、「ＣＳＩ−ＲＳリソースごとのランクインジケーション」とも呼ばれる。
【００８４】
諸実施形態は、ポイントごとのランクインジケーションが、無条件のポイントごとのランクインジケーションおよび／または条件付きのポイントごとのランクインジケーションを含むことを企図するものである。無条件のポイントごとのランクインジケーションＲＩkは、他のＴＷＲＵ（１つまたは複数）の他の送信ポイント上で利用されるプリコーディングに関する仮定を全く伴わずに、送信ポイントｋを介するＷＴＲＵ（および、いくつかの実施形態では、おそらくはＷＴＲＵだけ）への送信を示す。条件付きのポイントごとのランクインジケーションＲＩkは、他のＷＴＲＵヘの送信が１つまたは複数のプリコーダを用いて他の送信ポイント上で行われることを仮定して、送信ポイントｋを介するＷＴＲＵ（および、いくつかの実施形態では、おそらくはＷＴＲＵだけ）への送信を示す。１つまたは複数のプリコーダは、その使用がＷＴＲＵヘの最大の干渉をもたらす他の送信ポイントについて、ＷＴＲＵによって示される。あるいはまたはそれに加えて、１つまたは複数の実施形態では、１つまたは複数のプリコーダは、その使用がＷＴＲＵへの最小の干渉をもたらす他の送信ポイントについて、ＷＴＲＵによって示される。１つまたは複数のプリコーダは、「ゼロ」プリコーダ（たとえば、送信なしまたは「ミュート」）を含む。プリコーダのサブセットからのプリコーダは、許容されるプリコーダのセットからまたは制限されたプリコーダのセットの外部からなど、他の送信ポイントについてＷＴＲＵによって示される。そのようなプリコーダの使用は、ＷＴＲＵが、関連する送信ポイントからデータを正しく受信することを可能にする。ＷＴＲＵは、関連する複数の送信ポイントから独立にデータを受信する。ランクインジケーション（１つまたは複数）は、たとえば、周波数帯全体について、またはサブバンドの特定のセットについて、報告される。
【００８５】
１つまたは複数の実施形態では、ＷＴＲＵは、送信パラメータ（たとえば、変調、符号速度、トランスポートブロックサイズ）の少なくとも１つの組合せに対応する少なくとも１つのチャネル品質インデックス（ＣＱＩ）を報告する。たとえば、この組合せは、ある種のＣＳＩ基準リソースを占有する単一のＰＤＳＣＨトランスポートブロック（たとえば、符号語）が、事前に決定されるしきい値（たとえば、０．１など）を超えないトランスポートブロックエラー確率で受信されることができるようにするものである。異なるタイプのＣＱＩは、本明細書で説明するように、Ｋ個の送信ポイントを介する送信の仮定されるタイプに基づいて定義される。
【００８６】
諸実施形態は、ＣＱＩが、「ジョイントＣＱＩ」または「アグリゲーテッドＣＱＩ」（ＣＱＩjoint）および「ポイントごとのＣＱＩ」または「ＣＳＩ−ＲＳリソースごとのＣＱＩ」（ＣＱＩk）など複数のタイプを含むことを企図するものである。ジョイント（またはアグリゲーテッド）ＣＱＩ（ＣＱＩjoint）は、セットのＫ個すべての送信ポイントを介する符号語のジョイント送信に関するＣＱＩを含む。ＷＴＲＵがジョイントＣＱＩを使用する時には、それに関してＣＱＩがフィードバックされようとしているセットにおけるポイントの送信状態に関する仮定が行われる。たとえば、ポイントは、次の状態すなわち、ＷＴＲＵに送信中、ＷＴＲＵに干渉中（たとえば、別のＷＴＲＵに送信中）、ミュートされている（たとえば、ブランクにされている）、または未知のうちの１つである。未知状態（１つまたは複数）は、ＷＴＲＵが、ポイントの送信状態に関して仮定を設けないことを示し、ポイントは、３つの前述の定義された状態のうちの１つである。ＷＴＲＵに送信中と仮定されるポイントは、コヒーレントにまたは非コヒーレントに送信する。ＷＴＲＵは、送信するポイントに対して行われた仮定に基づいて、コヒーレントジョイント（またはアグリゲーテッド）ＣＱＩおよび非コヒーレントジョイント（またはアグリゲーテッド）ＣＱＩをフィードバックする。ジョイント（またはアグリゲーテッド）ＣＱＩは、コヒーレントジョイントＣＱＩおよび非コヒーレントジョイントＣＱＩを含む。コヒーレントジョイント（またはアグリゲーテッド）ＣＱＩは、符号語のシンボルが、おそらくは本明細書で説明される組み合わせる行列または組み合わせるインジケータに従って、各Ｋ個の送信ポイントで使用されるプリコーダの間の決定された関係を使用してＫ個までの送信ポイント上で送信されると仮定する。たとえば、プリコーダの間の相対位相が、送信ポイントからの信号がコヒーレントに（ゼロ位相差で）組み合わされ、または事前に決定された位相差で組み合わされるようなものであると仮定される。非コヒーレントジョイント（またはアグリゲーテッド）ＣＱＩは、符号語のシンボルが、いくつかのまたは各Ｋ個の送信ポイントで使用されるプリコーダの間の決定された関係なしに、Ｋ個までの送信ポイントを介して送信されると仮定する。
【００８７】
諸実施形態は、たとえば、複数の送信ポイントからの送信に関してＣＱＩを評価することを企図するものである。１つまたは複数の実施形態では、ＷＴＲＵは、ＷＴＲＵ構成に従ってＣＳＩ−ＲＳ信号またはＣＲＳ信号が存在することが分かっている少なくとも１つのリソース要素の受信信号強度ＳRS,iを推定する。比Ｐc,iが、この基準信号（ＣＳＩ−ＲＳまたはＣＲＳ）のリソース要素あたりのエネルギ（ｅｎｅｒｇｙ  ｐｅｒ  ｒｅｓｏｕｒｃｅ  ｅｌｅｍｅｎｔ、ＥＰＲＥ）と少なくとも１つのリソース要素のＰＤＳＣＨ送信のＥＰＲＥとの間で決定される。ＷＴＲＵは、ＰＤＳＣＨ送信の信号強度ＳPDSCHと干渉Ｉとの間の比として仮説のＰＤＳＣＨ送信の信号対干渉比（ＳＩＲ）を評価し、ここで、ＳPDSCHは、少なくとも１つの（ＳRS,i／Ｐc,i）項の関数、たとえば、ＳPDSCH＝Ｓｕｍ＿ｏｖｅｒ＿ｉ（ＳRS,i／Ｐc,i）などとして決定される。干渉Ｉは、たとえば、他の技法の中でも、ネットワークによって提供される他のリソース要素からのエネルギを測定することによって推定される。
【００８８】
ポイントごとのＣＱＩまたはＣＳＩ−ＲＳリソースごとのＣＱＩ（ＣＱＩk）は、第ｋ送信ポイントを介する、およびいくつかの実施形態ではおそらく第ｋ送信ポイントだけを介する、このＷＴＲＵへの符号語の送信に関するＣＱＩを含む。ポイントごとのＣＱＩは、無条件のポイントごとのＣＱＩkおよび条件付きのポイントごとのＣＱＩkを含む。無条件のポイントごとのＣＱＩkは、他のＷＴＲＵに関する他の送信ポイント上で利用されるプリコーディングに関する仮定なしでまたはＷＴＲＵへの独立データについて、送信ポイントｋを介する（およびおそらくは送信ポイントｋだけを介する）このＷＴＲＵへの符号語の送信のＣＱＩを示す。条件付きのポイントごとのＣＱＩkは、他のＷＴＲＵの送信が１つまたは複数のプリコーダを用いて他の送信ポイントで行われると仮定して、送信ポイントｋを介する（およびおそらくは送信ポイントｋだけを介する）このＷＴＲＵへの符号語の送信のＣＱＩを示す。プリコーダ（１つまたは複数）は、その使用がＷＴＲＵへの最大の干渉をもたらす他の送信ポイントについて、ＷＴＲＵによって示される。プリコーダ（１つまたは複数）は、ＷＴＲＵへの最小の干渉をもたらす他の送信ポイントについて、ＷＴＲＵによって示される。プリコーダ（１つまたは複数）は、「ゼロ」プリコーダ（たとえば、送信なしまたは「ミュート」）を含む。プリコーダのサブセットからのプリコーダは、たとえば許容されるプリコーダのセットからまたは制限されたプリコーダのセットの外部からなど、他の送信ポイントについてＷＴＲＵによって示される。そのようなプリコーダの使用は、ＷＴＲＵが、関連する送信ポイントからデータを正しく受信することを可能にする。ＣＱＩは、たとえば、周波数帯全体について、またはサブバンドの特定のセットについて、報告される。
【００８９】
ＣＱＩの上記のタイプ／サブタイプのうちの複数が、少なくとも１つの符号語について報告される場合には、ＷＴＲＵは、第１の符号語に適用可能なＣＱＩの第１のタイプ／サブタイプについて、ＣＱＩのこの第１のタイプ／サブタイプの値と同一の符号語または第２の符号語に適用可能なＣＱＩの第２のタイプ／サブタイプの値との間の差を報告する。たとえば、符号語のＣＱＩの第２のタイプ／サブタイプは、ＣＱＩのそれぞれの第１のタイプ／サブタイプに関して差分的に符号化される。
【００９０】
１つまたは複数の実施形態は、ＷＴＲＵが、Ｋ個の送信ポイントのセットに適用可能な少なくとも１つのプリコーディング行列インジケータ（ＰＭＩ）を報告することを企図するものである。ＰＭＩは、グローバルプリコーディング行列インジケータ、ローカルプリコーディング行列インジケータ、および干渉プリコーディング行列インジケータを含む。
【００９１】
少なくとも１つのグローバルプリコーディング行列インジケータは、次元（Ａ1＋Ａ2＋…ＡK）ｘＲＩjointのグローバル（または「アグリゲーテッド」）プリコーディング行列Ｗに対応する。この行列は、Ｋ個の送信ポイントのいくつかまたはすべてからのＲＩjoint個の層のいくつかまたはすべてを介するこのＷＴＲＵに関するデータの送信について推奨されるプリコーダを表す。１つまたは複数の実施形態では、グローバル（またはアグリゲーテッド）ＰＭＩの解釈は、最後の報告されたジョイントランクインジケーションＲＩjointに依存する。
【００９２】
送信ポイントｋのローカル（または「ポイントごと」もしくは「ＣＳＩ−ＲＳリソースごと」）のプリコーディング行列インジケータは、次元ＡkｘＲＩkの行列Ｗkを含む。この行列は、第ｋ送信ポイントからのＲＩk個の層のそれぞれを介するこのＷＴＲＵのためのデータの送信について推奨されるプリコーダを表す。ローカル（またはポイントごと）のＰＭＩの解釈は、最後の報告されたポイントごとのランクインジケータＲＩkに依存する。
【００９３】
送信ポイントｋのプリコーディング行列インジケータは、行列Ｙkを含む。この行列は、第ｋ送信ポイントから別のＷＴＲＵのために送信されるデータなど、望まれないデータの送信に関して使用されるプリコーダを表す。このプリコーダは、少なくとも１つの送信層についてＷＴＲＵへの最小の干渉をもたらす少なくとも１つの他のＷＴＲＵへの送信用のプリコーダのうちの少なくとも１つに対応する。このプリコーダは、少なくとも１つの送信層についてＷＴＲＵへの最大の干渉をもたらす少なくとも１つの他のＷＴＲＵへの送信用のプリコーダにも対応する。
【００９４】
諸実施形態は、１つまたは複数の送信ポイントｋ1のプリコーディング行列Ｗ’kのセットがプリコーダのセットに対応することを企図するものである。プリコーディング行列のセットは、プリコーダ行列のグループを含む。このセットは、ＷＴＲＵが他の送信ポイント（１つまたは複数）（たとえば、ｋ2）からのおそらくは独立のデータを正しく受信することを保証するために、送信ポイントｋ1によって使用されないプリコーダ（１つまたは複数）のセットに対応する。このセットは、送信ポイントｋ１がＷＴＲＵによってフィードバックされるプリコーダ行列インジケーションによって識別されるプリコーダを使用しないことを選択する場合に、送信ポイントｋ1がプリコーダをそこから選択するプリコーダ（１つまたは複数）のセットに対応する。
【００９５】
諸実施形態は、ローカル（またはポイントごとの）プリコーディング行列Ｗkに対応する少なくとも１つのプリコーディング行列インジケータが、次のうちの１つまたは複数を含むことを企図するものである。  
−  事前に定義されたマッピングに従ってプリコーディング行列Ｗkに対応し、その解釈が最後に報告されたポイントごとのランクインジケーションＲＩkに依存する、単一のインデックスｉkと、
−  事前に定義されたマッピングに従ってプリコーディング行列Ｗkに対応し、それが最後に報告されたポイントごとのランクインジケーションＲＩkに依存する、一つまたは２つのインデックスｉ1kおよび／またはｉ2kと。第１のインデックスｉ1kは、短期的な基礎で変化しないプリコーディング行列のプロパティ、たとえば、アンテナポートの少なくとも１つのグループに適用される重み（またはビーム）の少なくとも１つのセットに対応し、アンテナポートのこの少なくとも１つのグループは、ポイントごとのランクインジケーションＲＩkに依存する。第２のインデックスｉ2kは、短期的な基礎で変化するプリコーディング行列のプロパティ、たとえば、ＲＩk個の送信層のそれぞれについて、アンテナポートのグループのそれぞれから選択されたビームおよびこれらのビームの間の組み合わせる情報（たとえば、共位相）に対応する。
諸実施形態は、単一のインデックスまたは２つのインデックスのどちらがこの送信について報告されるのかが、より上の層のシグナリングもしくは構成、および／または送信ポイントにおけるアンテナの個数に依存することを企図するものである。
【００９６】
諸実施形態は、グローバルプリコーディング行列Ｗに対応する１つまたは複数のプリコーディング行列インジケータが、次のうちの１つまたは複数を含むことを企図するものである。  
−  送信ポイントｋごとに、前に説明したようにローカルプリコーディング行列Ｗkに対応する少なくとも１つのポイントごとのプリコーディング行列インジケータ（たとえば、ｉkまたは対ｉ1k、ｉ2k）。  
−  次元（ＲＩ1＋ＲＩ2＋…＋ＲＩk）ｘＲＩjointの組み合わせる行列Ｗcombに対応し、その解釈が最後に報告されたジョイントランクインジケーションＲＩjointおよびおそらくはポイントごとのランクインジケータＲＩkの可能なセットに依存する、少なくとも１つの組み合わせるインジケータｉcomb（または、ポイント間インジケータもしくはＣＳＩ−ＲＳリソース間インジケータ）。組み合わせる行列Ｗcombは、送信ポイントの組み合わされたセットのＲＩjoint個の送信層のそれぞれについて、各送信ポイントの最後に報告されたローカルプリコーダのどのビーム（存在する場合に）が使用されるのかと、これらの送信ポイントのビームの間の共位相情報とを示す。このインジケータは、たとえば、相対振幅情報をも提供する。
プリコーディング行列インジケータのこのセットに対応するグローバルプリコーディング行列Ｗは、次の例示的な式（行はセミコロンによって分離される）を用いて入手される。
Ｗ＝［Ｗ1  ０…０；０  Ｗ2  ０…０；０  ０  Ｗk…０；０…０  ＷK］ｘＷcomb
【００９７】
諸実施形態は、１つまたは複数の組み合わせるインジケータｉcombが、次のうちの１つまたは複数を含むことを企図するものである。  
−  事前に定義されたマッピングによる特定の組み合わせる行列Ｗcombへの少なくとも１つのインデックスと、
−  グローバル（またはアグリゲーテッド）プリコーディング行列が、各層が多くとも１つの送信ポイントを介して送信されるようになっているかどうか（すなわち、行列Ｗcombが単位行列であるかどうか）のインジケーションと、
−  送信層ごとに、各送信ポイントのローカル（またはポイントごとの）プリコーダにまたはその間で適用されなければならない位相差（または補正）の少なくとも１つのインジケーションと。より多くのまたはより多くの実施形態では、特定の「基準」のポイントごとのプリコーダの位相差は、０に固定され、この場合に、位相差は、「ポイント間位相情報」と呼ばれる。
【００９８】
限定ではなく例として、諸実施形態は、少なくとも１つの送信層の量子化されたタイミングオフセットΔτの送信ポイントごとに１つのインジケーション（基準は、一特定の送信ポイントのタイミングである）、送信層ごとにコヒーレントな組合せのためにこの送信ポイントのプリコーダに適用されなければならない位相差（または補正）の送信ポイントごとに１つのインジケーション（ｉk,comb）、および／または送信層ごとにコヒーレントな組合せのためにこの送信ポイントのプリコーダに適用される位相差（または補正）の送信ポイントごとに２つのインジケーション（ｉ1k,combおよびｉ2k,comb）を企図するものであり、ここで、
・１つのポイントごとのインジケーションｉ1k,combは、量子化された位相補正のＭ個の最上位ビットなどの短期的な基礎で変化しない位相補正のプロパティに対応し、
・１つのポイントごとのインジケーションｉ2k,combは、量子化された位相補正のＬ個の最下位ビットなどの短期的な基礎で変化する位相補正のプロパティに対応する。
【００９９】
諸実施形態は、グローバル（またはアグリゲーテッド）プリコーディング行列Ｗに対応する１つまたは複数のプリコーディング行列インジケータが、次をも含むことを企図するものである。  
−  送信ポイントｋごとに、短期的な基礎で変化しないグローバル（またはアグリゲーテッド）プリコーディング行列のプロパティ、たとえば、送信ポイントｋのアンテナポートの少なくとも１つのグループに適用される重み（またはビーム）の少なくとも１つのセット（アンテナポートの少なくとも１つのグループは、ポイントごとのランクインジケーションＲＩkまたはジョイント（または共通）ランクインジケーションＲＩjointに依存する）に対応するインデックスｉ1k、
−  ｉ1kのインデックスのセットは、単一のジョイント（またはアグリゲーテッド）長期プリコーディングインデックスｉ1jointに連結され、および／または
−  短期的な基礎で変化するグローバルプリコーディング行列Ｗのプロパティ、たとえば、ＲＩjoint個の送信層のそれぞれについて、すべての送信ポイントからのアンテナポートのグループのそれぞれから選択されたビームおよびこれらのビームの間の組み合わせる情報（たとえば、共位相）に対応するインデックスｉ2comb。
【０１００】
諸実施形態は、グローバル（またはアグリゲーテッド）プリコーディング行列Ｗが、短期的な基礎で変化しないグローバルプリコーディング行列のプロパティに対応する単一のインデッｉ1（およびおそらくは単一のインデックスｉ1）を含むことを企図するものである。たとえば、インデックスｉ1は、送信ポイントに適用される重みおよび／またはビームのセットに対応する。グローバル（またはアグリゲーテッド）プリコーディング行列Ｗは、送信ポイントｋごとにインデックスｉ2kを含む。インデックスｉ2kは、短期的な基礎で変化する各ローカル（またはポイントごとの）プリコーディング行列のプロパティに対応する。たとえば、インデックスｉ2kは、は、重みの選択されたサブセットと、ＲＩ個の送信層のそれぞれの各分極の間の共位相とに対応する。
【０１０１】
たとえば、ＷＴＲＵが、それぞれが４つのｘ−ｐｏｌ送信アンテナを有する２つの送信ポイントから１つの層を受信する場合に、信号ｙ＝Ｗｘ＋ｚが受信され、ここで、ｙは、受信された信号のｎr×１ベクトルであり、ｘは、送信された信号のｎi×１ベクトルであり（ｎl＝１である）、ｚは、ｎr×１雑音ベクトルであり、Ｗは、ｎr×ｎlプリコーディング行列である。送信ポイント「ａ」に割り当てられた４つのポートは、ａ1，ａ2，ａ3，ａ4と表され、送信ポイント「ｂ」に割り当てられた４つのポートは、ｂ1，ｂ2，ｂ3，ｂ4と表される。プリコーディング行列は、次のようにアンテナポートにマッピングされる：Ｗ→［ａ1，ａ2，ｂ1，ｂ2，ａ3，ａ4，ｂ3，ｂ4］T。次のコードブック構造を使用することができる（表２をも参照されたい）。
【０１０２】
【数１】
2020174366.tif 000004
【０１０３】
【数２】
2020174366.tif 000005
【０１０４】
ｖm＝［１  ｅj2Πn/32  ｅj4Πn/32  ｅj6Πn/32］T
【０１０５】
【表２】
2020174366.tif 000006
【０１０６】
同一の長期／広帯域ＰＭＩ  ｉ1が、両方の送信ポイントによって使用される。各送信ポイントは、それ自体の短期／狭帯域ｉ2（ｉ2aおよびｉ2bなど）を有する。インデックスｉ1は、４ビットのフィードバックを必要とするが、インデックスｉ2aは、４ビットを必要とし、インデックスｉ2bは、２ビットを必要とする。たとえば、送信ポイントａでのプリコーディングは、ｉ1およびｉ2aを必要とする。送信ポイントｂでのプリコーディングは、ｉ1、ｉ2a、およびｉ2bを必要とする。代替の送信ポイントｂは、たとえば、フィードバックｉ1およびｉ2bだけを有する。送信ポイントｂでのｉ2aへの依存性を除去するために、各送信ポイントでのコードブックは、次を含む（表３および４を参照されたい）。
【０１０７】
【表３】
2020174366.tif 000007
【０１０８】
【表４】
2020174366.tif 000008
【０１０９】
この場合に、いくつかの送信ポイントまたは各送信ポイントは、たとえば、ｉ1（４ビット）ならびにそれぞれのｉ2（各４ビット）を受信する。
【０１１０】
プリコーディング行列Ｗ’kのセットは、所定のマッピングに従ってプリコーディング行列のグループに対応するインデックス（および、おそらくは単一のインデックス）を含む。プリコーディング行列のグループの解釈は、最後に報告されたポイントごとのランクインジケーションＲＩkおよび／またはこのＷＴＲＵについて使用される所望のプリコーディング行列に対応するプリコーディング行列インジケータに依存する。プリコーディング行列のセットは、たとえば、そのグループ化がセットを構成する所定のマッピングに従って特定のプリコーディング行列をそれぞれが示す複数のインデックスを含む。
【０１１１】
１つまたは複数の実施形態では、ＷＴＲＵは、少なくとも１つの送信ポイントに関する少なくとも１つの電力調整インジケータ（ｐｏｗｅｒ  ａｄｊｕｓｔｍｅｎｔ  ｉｎｄｉｃａｔｏｒ）ＰＡＩkを報告する。電力調整インジケータＰＡＩkは、送信ポイントｋからこのＷＴＲＵへの送信に関するＤＭ−ＲＳ基準信号およびデータシンボルのうちの少なくとも１つに関する推奨される電力調整の値にマッピングする。これは、ネットワークがすべての送信ポイントから受信される電力のバランスをよりよくとることを可能にする。電力調整インジケータと実際の電力調整（たとえば、ｄＢ単位）との間のマッピングは、たとえば、事前に定義され、またはより上の層によって供給される。１つまたは複数の実施形態では、ＷＴＲＵは、ネットワークからのあるタイプの単一ポイント送信またはマルチポイント送信を仮定して、チャネル状態情報を報告する。そのような送信仮説は、本明細書で「送信状態」と呼ぶことができる。送信状態は、少なくとも１つの送信ポイントについて、この送信ポイントが
−  報告されたポイントごとのプリコーディング行列インジケータまたはアグリゲーテッドプリコーディング行列インジケータに従ってＷＴＲＵに送信中である
−  報告されたポイントごとのプリコーディング行列インジケータまたはアグリゲーテッドプリコーディング行列インジケータに従って別のＷＴＲＵに送信中である、かつ／または
−  どのＷＴＲＵにも送信していない（たとえば、ミュートされまたはブランクにされている）
のどれであるのかに関する仮定を含む。
１つまたは複数の実施形態では、所与の送信状態について、少なくとも１つの送信ポイントについて行われる仮定がない。
【０１１２】
送信ポイントは、送信中（Ｔ）、干渉中（Ｉ）（たとえば、たとえば別のＷＴＲＵへの望まれない送信）、ブランクにされている（Ｂ）、および／または未知（Ｕ）などの送信状態である。たとえば、ｎ個のポイントについて、４n個までの可能な送信状態ベクトル（Ｔｒａｎｓｍｉｓｓｉｏｎ  Ｓｔａｔｅ  Ｖｅｃｔｏｒ、ＴＳＶ）がある。いくつかのまたは各送信状態ベクトルは、１つまたは複数の送信状態インジケータ（Ｔｒａｎｓｍｉｓｓｉｏｎ  Ｓｔａｔｅ  Ｉｎｄｉｃａｔｏｒ、ＴＳＩ）によって示される。ＴＳＩは、ＴＳＶにマッピングされるスカラ値またはＴＳＶ自体である。さらにまたはあるいは、ＴＳＩは、ＴＳＶを表すビットマップである。また、たとえば、ＷＴＲＵは、２つの送信するポイント、２つの干渉するポイント、および１つのブランクにされている／ミュートされているポイントを含む５つのポイントに関する仮定を用いてフィードバックする。例示的な対応するＴＳＩは、［Ｔ  Ｔ  Ｉ  Ｉ  Ｂ］などのベクトルを含む。例示的な対応するＴＳＩは、［Ｔ  Ｔ  Ｉ  Ｉ  Ｂ］などのベクトルにマッピングする値を含む。追加の送信状態またはＴＳＩが、ジョイント送信がコヒーレント（すなわち、組み合わせるインジケータまたはポイント間位相情報を使用する）または非コヒーレントのどちらと仮定されるのかを示すために定義される。
【０１１３】
諸実施形態は、ＷＴＲＵが、ある種の可能な送信状態について、およびいくつかの実施形態でおそらくはある種の可能な送信状態だけについて、ＣＳＩを報告するように構成されることを企図するものである。たとえば、ＷＴＲＵは、２つのポイントについてＣＳＩを報告するように構成され、次の送信状態についてＣＳＩを報告するように構成される。
−  第２ポイントが別のＷＴＲＵに送信する、第１ポイントからの単一の送信（または、前の用語法を使用すると、たとえば［Ｔ  Ｉ］）、
−  第２ポイントがどのＷＴＲＵにも送信しない、第１ポイントからの単一の送信（または、前の用語法を使用すると、たとえば［Ｔ  Ｂ］）、
−  第１ポイントが別のＷＴＲＵに送信する、第２ポイントからの単一の送信（または、前の用語法を使用すると、たとえば［Ｉ  Ｔ］）、
−  第１ポイントがどのＷＴＲＵにも送信しない、第２ポイントからの単一の送信（または、前の用語法を使用すると、たとえば［Ｂ  Ｔ］）、および／または
−  両方のポイントからのジョイント送信（または、前の用語法を使用すると、たとえば［Ｔ  Ｔ］）。
諸実施形態は、ＷＴＲＵが潜在的にそれに関してＣＳＩを報告する送信状態のセットおよび／またはＴＳＶのセット（１つまたは複数）が、より上の層によって構成されることができることを企図するものである。
【０１１４】
諸実施形態は、送信状態選択がネットワークによって制御されることを企図するものである。ネットワークは、送信状態またはＴＳＩ値（１つまたは複数）（たとえば、ＣＳＩ報告に対応するＴＳＩ値（１つまたは複数））を決定する。ネットワークは、より上の層のシグナリングを介して、ＷＴＲＵが使用するＴＳＩおよび／またはＴＳＶを示す。ネットワークは、たとえば、周期的または非周期的なフィードバックグラントのためにＷＴＲＵが使用するＴＳＩおよび／またはＴＳＶを示す。ＴＳＩは、非周期的フィードバックの１つのインスタンスに使用され、または、半永続的な非周期的フィードバックグラントの持続時間の間に使用される。１つまたは複数の実施形態では、ＴＳＩは、１つまたは複数のサブフレーム番号に関連付けられる。この関連付けは、より上の層のシグナリングによって事前に構成される。１つまたは複数の実施形態では、ＴＳＩおよび／またはＴＳＶは、以前のフィードバックに基づく。たとえば、ＷＴＲＵは、ＴＳＩおよび／またはＴＳＶが変化したことをネットワークに示すインジケータをフィードバックする。新しいＴＳＩおよび／またはＴＳＶは、別の事前に構成された値にサイクルする。たとえば、ＷＴＲＵは、ＴＳＩおよび／またはＴＳＶが変更されなければならないことをネットワークに示すインジケータをフィードバックする。ネットワークは、別のＣＳＩフィードバックがＷＴＲＵによって実行される前に、ＷＴＲＵに新しいＴＳＩおよび／またはＴＳＶを示すように促される。
【０１１５】
１つまたは複数の実施形態では、ＴＳＩ／ＴＳＶ選択は、ＷＴＲＵによって制御される。たとえば、ＷＴＲＵは、それを用いてＣＳＩフィードバックが計算された条件についてネットワークに知らせるためにＴＳＩおよび／またはＴＳＶをフィードバックする。ＷＴＲＵは、ＴＳＩおよび／またはＴＳＶの値（１つまたは複数）を決定する。たとえば、ｎ個のポイントについて、ＷＴＲＵは、４n個の可能なＴＳＩ値および／またはＴＳＶ値から選択する。たとえば、ＷＴＲＵは、可能なＴＳＩ値および／またはＴＳＶ値のサブセットから選択する。可能なＴＳＩ値および／またはＴＳＶ値のサブセットは、ＷＴＲＵにシグナリングされる。たとえば、サブセットは、ネットワークによって制御されるＴＳＩおよび／またはＴＳＶの選択に関して上で説明された１つまたは複数の方法によって（たとえば、ＴＳＩをＴＳＩセットに置換することによって）ＷＴＲＵにシグナリングされる。たとえば、可能な値のサブセットは、送信中（Ｔ）の単一ポイントを伴うＴＳＶを含む。いくつかの実施形態では、他のポイントに関する他の条件は使用されない（たとえば、ミュートなしのＤＰＳ）。たとえば、可能な値のサブセットは、送信中（Ｔ）の少なくとも２つのポイントとブランクにされている（Ｂ）他のポイント（たとえば、ブランキングを用いるジョイント送信）を伴うＴＳＩを含む。ＷＴＲＵは、選択されたＴＳＩおよび／またはＴＳＶが変更されたことを示すインジケータをネットワークにフィードバックする。新しいＴＳＩおよび／またはＴＳＶは、たとえば、事前に構成され、またはＷＴＲＵによってフィードバックされる。
【０１１６】
上で説明したように、ＷＴＲＵは、可能な送信状態のセットまたは可能な値のセット（たとえば、一実施形態では可能な４n個の値のサブセットを含み、ｎはポイントの個数である）からＴＳＩ（１つまたは複数）および／またはＴＳＶ（１つまたは複数）を選択する。ＴＳＩおよび／またはＴＳＶは、性能に関する事前に構成されたしきい値を達成するのに必要なポイントの個数に基づいて選択される。たとえば、ＷＴＲＵは、性能に関する事前に構成されたしきい値（たとえば、ＳＩＮＲの最大化、ＢＬＥＲの最小化、スループットの最大化、または類似物）を達成するために、送信すべき最少の（または最多の）ポイントを必要とするＴＳＩ（１つまたは複数）および／またはＴＳＶ（１つまたは複数）を選択する。ＴＳＩ（１つまたは複数）および／またはＴＳＶ（１つまたは複数）は、性能に関する事前に構成されたしきい値を達成するためにブランクにされる必要があるポイントの個数に基づいて選択される。たとえば、ＷＴＲＵは、性能に関する事前に構成されたしきい値（たとえば、ＳＩＮＲの最大化、ＢＬＥＲの最小化、スループットの最大化、または類似物）を達成するためにブランクにされる最少の（または最多の）ポイントを必要とするＴＳＩ（１つまたは複数）および／またはＴＳＶ（１つまたは複数）を選択する。ＴＳＩ（１つまたは複数）および／またはＴＳＶ（１つまたは複数）は、送信していないポイントに対する制限に基づいて選択される。たとえば、ＷＴＲＵは、性能に関する事前に構成されたしきい値（たとえば、ＳＩＮＲの最大化、ＢＬＥＲの最小化、スループットの最大化、または類似物）を達成するために送信していないポイントに対して最少の（または最多の）制約を課す（最少の（または最多の）未知ポイント）ＴＳＩ（１つまたは複数）および／またはＴＳＶ（１つまたは複数）を選択する。１つまたは複数の実施形態では、ＴＳＩ（１つまたは複数）および／またはＴＳＶ（１つまたは複数）は、ＣＱＩおよび／またはランク（たとえば、（ＲＩ））に基づいて選択される。たとえば、ＷＴＲＵは、最高のＣＱＩおよび／または最高のランク（たとえば、（ＲＩ））を有するＴＳＩ（１つまたは複数）および／またはＴＳＶ（１つまたは複数）を選択する。
【０１１７】
さらにまたはあるいは、ＴＳＩ（１つまたは複数）および／またはＴＳＶ（１つまたは複数）は、スループットまたは転送されるビットの量に基づいて選択される。たとえば、ＷＴＲＵは、ネットワークが推奨されるＣＳＩ（たとえば、ＣＱＩとＲＩとの両方を含む）に従う場合に総スループットまたは１サブフレームにおいて転送されるビットの総量を最大にするＴＳＩ（１つまたは複数）および／またはＴＳＶ（１つまたは複数）を選択する。１つまたは複数の実施形態では、ＷＴＲＵは、許容されるＴＳＩおよび／またはＴＳＶのサブセットからＴＳＩおよび／またはＴＳＶを選択する。許容されるＴＳＩおよび／またはＴＳＶのサブセットは、送信中（Ｔ）状態であり、最小の許容可能な経路損しきい値を超え、最小のポイントごとのＣＱＩしきい値を達成し、かつ／または最大のポイントごとのＣＱＩしきい値と比較した時にあるポイントごとのＣＱＩ差を超えるという判断基準のうちの１つまたは複数を満足するポイントに対応するＴＳＩおよび／またはＴＳＶ（１つまたは複数）を含む。
【０１１８】
諸実施形態は、ある送信状態に関するＣＳＩの評価の際に、ＷＴＲＵが、その送信状態に関係し、対応し、または固有であるパラメータ（前に説明された）および／または報告されるＣＳＩのタイプ（たとえば、ＣＳＩフィードバックが組み合わせるインジケータを含むかどうか、またはコヒーレントジョイント送信もしくは非コヒーレントジョイント送信に使用されるのかどうか）を含む１つまたは複数のパラメータを使用することを企図するものである。たとえば、ＷＴＲＵは、（１）各ポイントからの仮定されるＰＤＳＣＨ送信電力（または各ポイントに関するＰＤＳＣＨ  ＥＰＲＥ対ＣＳＩ  ＥＰＲＥの仮定される比）、各ポイントからの仮定されるＰＤＳＣＨ送信電力に対する補正係数、および／もしくは推定されたＣＱＩインデックスへのオフセット、または類似物という例の送信状態固有パラメータのうちの１つまたは複数を使用する。
【０１１９】
１つまたは複数の実施形態では、そのような送信ベースのパラメータの使用（たとえば、最大スループット（またはＣＱＩもしくはランク）に基づく送信状態のＷＴＲＵ選択機構と組み合わせての）は、ネットワークの展望からより多くのリソースを使用する（またはより多くのＣＳＩビットの報告を使用する）送信状態の使用がリソースをより少なく消費する状態と比較して利益をもたらす場合に、そのようなそれぞれの送信状態に関するＣＳＩが報告されることを可能にする。いくつかの実施形態では、同一の送信状態について、異なるパラメータが、異なる仮定されるランクについて適用されもする。
【０１２０】
たとえば、ＷＴＲＵは、ＷＴＲＵによって報告される送信状態のセットが、第１ポイントからの単一の送信（第２ポイントはおそらくは干渉しつつある）、第２ポイントからの単一の送信（第２ポイントはおそらくは干渉しつつある）、両方のポイントからのジョイント送信、および／または類似物のうちの１つまたは複数を含む（たとえば、送信ポイントを使用する）場合に、２つまでの送信ポイントについてＣＳＩを報告するように構成される。
【０１２１】
諸実施形態は、送信状態のそれぞれに関する推定されたＣＱＩインデックスが、たとえば、ある種のサブフレーム（たとえば、補正係数がない場合）でそれぞれ８、６、および９であることを企図するものである。したがって、ＷＴＲＵは、単一送信を超える増分利益が最小限である場合であっても、ジョイント送信（たとえば、ネットワークの展望からそのような送信のコストを２倍にする）に関するＣＳＩを報告する。いくつかの実施形態では、本明細書で説明される仮定されたＰＤＳＣＨ送信電力に補正係数を適用する方法が使用される場合に、ＷＴＲＵは、たとえば、各単一ポイント送信状態に０ｄＢの補正係数を、ジョイント送信状態に−３ｄＢの補正係数を適用する。さらに、そのような補正係数（たとえば、適用される時に）は、８、６、および６の推定されたＣＱＩインデックスをもたらし、ＵＥが、たとえば第１ポイント（ＣＱＩ＝８）からの単一送信に対応するＣＳＩを報告するようになる。
【０１２２】
諸実施形態は、適用される補正係数の値（１つまたは複数）が、いくつかのまたは各ある種の送信状態について定義されまたは提供される（たとえば、ジョイント送信について２ｄＢ、単一ポイント送信について０ｄＢ、他のポイントでのミュートを伴う単一ポイント送信について１ｄＢ、または類似物）ことを企図するものである。あるいは、補正係数の値（１つまたは複数）は、ＷＴＲＵに干渉していないまたはしていないと仮定される送信ポイントの個数の関数である。１つまたは複数の実施形態では、補正係数の値（１つまたは複数）は、たとえば、ＷＴＲＵに送信しつつあると仮定される送信ポイントの個数の関数である。
【０１２３】
諸実施形態は、補正係数（または補正係数を導出するのに使用されるパラメータ）の値（１つまたは複数）も事前に定義されることを企図するものである。あるいは、補正係数（または補正係数を導出するのに使用されるパラメータ）の値（１つまたは複数）は、たとえばより上の層（たとえば、ＲＲＣ）シグナリングを使用してネットワークによってシグナリングされる。パラメータのそのようなシグナリングは、ネットワークが、他の条件の中でもネットワーク負荷などの現在の条件に基づいてある種の送信状態に関してＣＳＩを報告する尤度を調整することを可能にする。たとえば、低いシステム負荷が存在する場合には、１つまたは複数のＷＴＲＵは、ネットワーク内に余分の容量、おそらくはかなりの余分の容量があるので、ジョイント送信に関するＣＳＩを報告する。その場合に、他の考慮事項について、１つまたは複数の実施形態は、ジョイント送信の補正係数が減らされることを企図するものである。あるいはまたはそれに加えて、１つまたは複数の実施形態は、他の理由の中でも、おそらくはシステムがより重い負荷を有する時に、補正係数が増やされることを企図するものである。
【０１２４】
諸実施形態は、送信状態ごとに補正係数を提供するのに使用される１つまたは複数の技法を企図するものである。１つまたは複数の実施形態は、ＣＳＩ−ＲＳ  ＥＰＲＥに対するＰＤＳＣＨ  ＥＰＲＥの仮定される比の補正係数（たとえば、既にシグナリングされている）が、各構成されたＣＳＩ−ＲＳリソース（送信ポイントに対応する）の一部として提供されることを企図するものである。そのような補正係数は、たとえばそのような送信ポイントおよび少なくとも１つの追加のポイントからＷＴＲＵへのジョイント送信を伴う送信状態に関するＣＳＩを推定するために適用される。あるいは、ジョイント送信に適用可能なＣＳＩ−ＲＳ  ＥＰＲＥに対するＰＤＳＣＨ  ＥＰＲＥの仮定される比の新しい値は、直接に供給される（単一ポイント送信に適用可能なＣＳＩ−ＲＳ  ＥＰＲＥに対するＰＤＳＣＨ  ＥＰＲＥの仮定される比に補正係数を適用するのではなく）。類似する手法は、１つの送信ポイントと少なくとも１つの他の送信ポイントからのミュートとを用いる送信状態または１つの送信ポイントからのミュートを用いる送信状態に使用されるパラメータを提供するのにも使用される。
【０１２５】
あるいはまたはそれに加えて、諸実施形態は、仮定されるＰＤＳＣＨ送信電力（たとえば、ポイントのそれぞれからの）に関連する補正係数が、いくつかの許容可能な送信状態および／またはすべての許容可能な送信状態から提供されることを企図するものである。たとえば、可能な送信状態のそれぞれを明示的にリストするのではなく、補正係数は、任意の所与の送信状態に関する、ＷＴＲＵに送信しつつある送信ポイントの個数および／またはどのＷＴＲＵにも送信していない（たとえば、ミュートされている）送信ポイントの個数の関数として提供される。１つまたは複数の実施形態では、０ｄＢ、２ｄＢ、および４ｄＢの補正係数が、たとえばそれぞれ単一送信ポイント、２つの送信ポイント、および／または３つの送信ポイントなどからＷＲＵへの送信にかかわる（および／またはミュートされている）送信状態（１つまたは複数）について定義される。さらに、ＷＴＲＵに送信しつつあるポイントの個数に関する補正係数（たとえば、補正係数と一緒に適用される）が、ミュートされている（たとえば、ＷＴＲＵに送信していない）送信ポイントの個数について定義される。
【０１２６】
諸実施形態は、１つまたは複数の送信ポイント（またはＣＳＩ−ＲＳリソース）に関するＣＳＩを報告するように構成されたＷＴＲＵが、特定の場合にこれらの送信ポイントのサブセットに関する、およびいくつかの実施形態ではおそらく特定の場合にこれらの送信ポイントのサブセットだけに関するＣＳＩを報告しなければならないことを企図するものである。これは、次の理由の故である。
【０１２７】
−  ＷＴＲＵによって推奨されるまたはネットワークによって要求される送信状態が、送信ポイントのサブセットからの送信を用い、かつ、いくつかの実施形態でおそらくは送信ポイントのサブセットからの送信だけを用い、
−  ペイロード制約に起因して、たとえば周期的報告の場合に、ＷＴＲＵが、送信ポイントまたはＣＳＩ−ＲＳリソースのサブセットに関するフィードバックコンポーネントを報告することができ、かつ、いくつかの実施形態で、特定の場合にのみそのような報告を行うことができる。
諸実施形態は、ＣＳＩフィードバックコンポーネントを含むレポートが適用される送信ポイントの１つまたは複数のサブセットを示す、本明細書で説明される１つまたは複数の方法を企図するものである。
【０１２８】
諸実施形態は、ＷＴＲＵが、複数のセルに関するフィードバックを報告する時に、ポイントインジケータ（ｐｏｉｎｔ  ｉｎｄｉｃａｔｏｒ、ＰＩ）および／またはＣＳＩ−ＲＳリソースインジケータが、フィードバックレポートがそれに関する送信ポイントまたは送信ポイントのセットを明示的に示すことを企図するものである。ＰＩは、送信ポイントのＰＣＩを含む。ＰＩは、ネットワークによって供給されるビットマップの実現を含み、ここで、特定のビット位置にある１は、より上の層によって構成された特定の送信ポイントまたはＣＳＩ−ＲＳリソースを表す。このビットマップは、より上の層のＲＲＣシグナリングによってＷＴＲＵにシグナリングされ、または、たとえばアップリンクＤＣＩ（ＰＵＳＣＨ上の非周期的フィードバックをトリガする）またはランダムアクセス応答グラント（Ｒａｎｄｏｍ  Ａｃｃｅｓｓ  Ｒｅｓｐｏｎｓｅ  Ｇｒａｎｔ）において提供される。このビットマップは、ＣｏＭＰ測定セットに基づき、静的、半静的、または動的である。ＰＩは、ｎビットストリームを含み、ここで、可能なｎタプルは、２n個の送信ポイントのうちの１つを表す。ＰＩは、インデックスの順序付きリストを含み、ここで、おそらくは２進フォーマットの、リストのいくつかのインデックスまたは各インデックスは、特定の送信ポイントまたは構成されたＣＳＩ−ＲＳリソースを示す。このタイプのポイントインジケータは、ポイントの間のランキング情報を提供するのに有用である。１つまたは複数の実施形態では、ＰＩは、たとえばＭ個の推奨されるポイントを選択するために、たとえばサイズＭ（Ｎ個の可能な送信ポイントのうちの）のセットを示す。ＰＩは、ＴＳＶにおける特定のポイントに関係するインジケータを含む。ＰＩは、組合せインデックスｒを含み、ここで、
【０１２９】
【数３】
2020174366.tif 000009
【０１３０】
であり、セット
【０１３１】
【数４】
2020174366.tif 000010
【０１３２】
、１≦ｓi≦Ｎ、ｓi＜ｓi+1は、Ｍ個のソートされた送信インデックスを含み、
【０１３３】
【数５】
2020174366.tif 000011
【０１３４】
である。いくつかのまたは各特定のフィードバックについて、フィードバックレポートがそれに関する送信ポイントのどれが、インジケータに基づいて決定される。
【０１３５】
あるいはまたはそれに加えて、諸実施形態は、送信ポイントのサブセットが、ポイント−サブバンドインジケータ（ｐｏｉｎｔ−ｓｕｂｂａｎｄ−ｉｎｄｉｃａｔｏｒ、ＰＳＩ）への選択されたサブバンドのサブセットと共にジョイントで示されることを企図するものである。ＰＳＩは、
−  特定のビット位置の１が、送信ポイントおよびサブバンドの特定の組合せを表すビットマップ、および／または
−  ＷＴＲＵが、サイズＭ（送信ポイントとサブバンドとのＮ個の可能な組合せのうちの）のセットを示す場合に、たとえば、ポイントとサブバンドとのＭ個の推奨される組合せを選択するために、組合せインデックスｒが使用され、ここで、
【０１３６】
【数６】
2020174366.tif 000012
【０１３７】
であり、セット
【０１３８】
【数７】
2020174366.tif 000013
【０１３９】
、１≦ｓi≦Ｎ、ｓi＜ｓi+1は、Ｍ個のソートされたポイントサブバンド組合せインデックスを含み、
【０１４０】
【数８】
2020174366.tif 000014
【０１４１】
である
のうちの１つまたは複数を含む。
【０１４２】
諸実施形態は、ＰＩまたはＰＳＩが、
−  それが適用されるフィードバックコンポーネントと同一のサブフレーム。複数のＰＩまたはＰＳＩが同一サブフレームにおいて送信される場合には、ＰＩ（またはＰＳＩ）とフィードバック情報との間の関連付けは、ビット順序によって事前に決定される、および／または
−  フィードバック情報がその中で送信されるサブフレームの前に発生する、いくつかの実施形態では事前に決定されるルールに従う、サブフレーム。言い替えると、送信ポイントのサブセットは、最も最近に送信されたＰＩまたはＰＳＩに対応する。たとえば、ＷＴＲＵは、事前に決定されたサブフレームの第１セット内でＰＩまたはＰＳＩを（たとえば周期的に）および事前に決定されたサブフレームの第２のセットにおいて関連するフィードバックを送信する。第２セットの所与のサブフレーム内で送信されるフィードバックに適用可能なＰＩまたはＰＳＩは、たとえば、第１セットにおける最も最近に送信されたＰＩまたはＰＳＩである。
のうちの１つまたは複数で送信されることを企図するものである。諸実施形態は、ＰＩまたはＰＳＩの少なくとも１つの利益が、フィードバックオーバヘッドに関する節約を可能にすることであることを企図するものである。というのは、ＷＴＲＵが、最強のｎ個のセル（および、いくつかの実施形態では、最強のｎ個のセルのみ）に関してレポートをフィードバックし、任意の他のセルに関するフィードバックレポートを捨てるからである。フィードバックレポートは、フィードバックがどの送信ポイントに関するのかをネットワークに示すためにＰＩを含む。
【０１４３】
フィードバックがどの送信ポイントに関するのかのインジケーションは、明示的であるまたは明示的でない。たとえば、送信ポイントは、送信ポイント固有スクランブリングに基づいて暗黙のうちに決定される。１つまたは複数の実施形態では、送信ポイントのサブセットは、フィードバックが送信されるサブフレーム（フレーム番号およびサブフレーム番号）のタイミングから暗黙のうちにおよび／または一意に決定される。ＷＴＲＵは、フィードバックが第２の前のサブフレームにおいて送信ポイントのこのサブセットについて提供されたことのインジケーションをＷＴＲＵが送信したという条件の下で、第１サブフレームにおいて送信ポイントのサブセットに関するフィードバックコンポーネントを送信する。いくつかの実施形態で、ＷＴＲＵは、フィードバックが第２の前のサブフレームにおいて送信ポイントのこのサブセットについて提供されることのインジケーションをＷＴＲＵが送信したという条件の下に限って、第１サブフレームにおいて送信ポイントのサブセットに関するフィードバックコンポーネントを送信する。第２サブフレームは、たとえば、事前に決定されたサブフレームのセットにおける最も最近のサブフレームである。インジケーションは、単一のビット、ＰＩ、もしくはＰＳＩを示し、かつ／またはこれまでに未定義のレポートタイプまたは変更されたレポートタイプの特定のコードポイントとして符号化される。
【０１４４】
１つまたは複数の実施形態では、送信ポイントのサブセットは、最も最近に送信された送信状態インジケータ（ＴＳＩ）、ＰＩ、またはＰＳＩならびにたとえば周期的報告の特定のモードに従うルールの事前に構成されたセットに従うサブフレームタイミングから暗黙のうちに決定される。たとえば、周期的に発生するサブフレームのセット内で、フィードバックが提供される送信ポイントは、最も最近に送信されたＰＩにおいて示される送信ポイントの中でサイクルされる。もう１つの例では、送信ポイントは、サブフレームの第１セットにおいて最も最近に送信されたＰＩにおいて最初に示された送信ポイント、およびサブフレームの第２セットにおいて最も最近に送信されたＰＩ内で２番目に示された送信ポイントに対応する。これは、たとえば、第２送信ポイントに関するものよりも頻繁に第１送信ポイントに関するフィードバックを送信することが望まれる場合など、複数の理由から有用である。
【０１４５】
諸実施形態は、前述の技法のうちの１つまたは複数で、ある種のフィードバックコンポーネントが適用される送信ポイントのサブセットが、さらに、フィードバックのタイプ（ＣＱＩ、ＰＭＩ、またはＰＩ）に依存することも可能であることを企図するものである。たとえば、ＷＴＲＵは、所与のサブフレームにおいて、２つのポイントからの送信に関するアグリゲーテッドＣＱＩを、２つのポイントのうちの１つに関するポイントごとのＰＭＩと一緒に報告する。これは、たとえば、他のポイントに関するポイントごとのＰＭＩが前のサブフレームにおいて既に供給されている場合など、複数の理由から有用である。
【０１４６】
諸実施形態は、上で説明されたＣＳＩフィードバックコンポーネントおよびタイプのうちのどれがネットワークにおよび／またはどのサブフレーム（１つまたは複数）において報告されるのかを決定する技法を企図するものである。一例では、ＷＴＲＵは、たとえば以前のサブフレーム（ｎ−ｋ）において非周期的ＣＳＩ報告を受信した場合に、所与のサブフレーム（ｎ）内で少なくとも１つのタイプまたはサブタイプ（適用可能な場合に）の少なくとも１つのＣＳＩフィードバックコンポーネントを報告し、ｋは、事前に定義されまたはシグナリングされる。一実施形態では、サブフレーム（ｎ）における非周期的ＣＳＩ要求は、異なる送信ポイントについて異なるサブフレームにおいて、少なくとも１つのタイプまたはサブタイプ（適用可能な場合に）の少なくとも１つのＣＳＩフィードバックコンポーネントを報告するためにＷＴＲＵをトリガする。たとえば、送信ポイント１のフィードバックは、サブフレームｎ＋ｋ1に送信され、送信ポイント２のフィードバックは、サブフレームｎ＋ｋ2に送信され、以下同様である。｛ｋ1，ｋ2，…｝のセットは、たとえば、事前に定義されまたはシグナリングされる。
【０１４７】
諸実施形態は、送信ポイント所与のセットについて、ＣＳＩコンポーネントのセット、報告されるタイプおよびサブタイプ、ならびに関連する条件（本明細書で説明される）が、次のうちの少なくとも１つに従って決定されることを企図するものである。  
−  ＷＴＲＵに関する非周期的ＣＳＩ報告を含む、ダウンリンク制御シグナリング（ＰＤＣＣＨなど）からのインジケーションなど、非周期的ＣＳＩ報告を含むダウンリンク送信の特性。たとえば、このインジケーションは、ＣＱＩ要求フィールドなどの既存フィールドまたはおそらくは企図されたがこれまでに定義されていなＤＣＩフォーマットでのフィールドの特定のコードポイント（１つまたは複数）、ダウンリンク制御シグナリング（ＣＲＲまたはＤＭーＲＳ）の送信に使用されるアンテナポートまたは基準信号のセット、および／またはこれから非周期的ＣＳＩ要求を含むダウンリンク制御シグナリングが送信されるセルによって提供され、
−  システムフレーム番号および／またはサブフレーム番号に関して表される、要求が受信されるサブフレーム（ｎ−ｋ）またはＣＳＩが報告されるサブフレーム（ｎ）のタイミング、
−  非周期的ＳＣＳＩ要求を含んだダウンリンク制御シグナリングによって示されるアップリンク送信の特性、
−  より上の層のシグナリング（たとえば、ＲＲＣ構成）、
−  （ＰＵＳＣＨ）ＣＳＩ報告モード、
−  すべての送信ポイントが同一の（依存する）または異なる（独立の）データのどちらを送信しつつあるのか、および／または
−  報告されるＣＳＩコンポーネントのセットまたはタイプ／サブタイプが、要求が受信されるサブフレームのタイミングに対応することを示すのに非周期的ＣＳＩ要求フィールドのコードポイントを予約することなど、上記の組合せ。
【０１４８】
諸実施形態は、示される関連する条件の１つまたは複数の例を企図するものである（下記などであるがこれに限定されない）。  
−  報告されるポイントごとのＣＱＩkが無条件または条件付きのどちらであるのか、およびおそらく後者の場合に条件が最小干渉（「送信なし」または「ゼロプリコーダ」など）または最大干渉のどちらに関するのか、
−  コヒーレントまたは非コヒーレントのどちらのアグリゲーテッドＣＱＩ（またはジョイントＣＱＩ）が報告されなければならないのか、
−  組み合わせるインジケータｉcombまたは組み合わせる行列Ｗcombのどちらが報告されなければならないのか、
−  レポートが広帯域または特定のサブ部バンドに関するのどちらであるのか、
−  長期（第１）プリコーディング行列インジケーションが報告されるまたは短期（第２）プリコーディング行列インジケーションが報告される、のどちらであるのか、
−  干渉プリコーディング行列が最大干渉または最小干渉のどちらに対応するのか、
−  プリコーディング行列Ｗ’kのセットが、送信ポイントがそれからプリコーディング行列を選択しなければならないセットまたは送信ポイントがそれからプリコーディング行列を選択してはならないセットのどちらに対応するのか、および／または
−  送信状態ベクトル（または送信状態インジケータ、ＴＳＩ）のインジケーション。
【０１４９】
諸実施形態は、非周期的要求に続いて報告されるＣＳＩコンポーネントのセット、タイプ、およびサブタイプの１つまたは複数の例を企図するものである。アグリゲーテッドＣＳＩまたはジョイントＣＳＩは、共通（またはジョイント）ランクインジケーション（ＲＩjoint）、「サービング送信ポイント」として識別される送信ポイントなどの特定の送信ポイントｋに関するポイントごとのランクインジケーション（ＲＩk）、少なくとも１つの符号語に関するアグリゲーテッドＣＱＩ（またはジョイントＣＱＩ）（ＣＱＩjoint）、および／またはグローバルプリコーディング行列インジケータ（１つまたは複数）、ならびに類似物のうちの１つまたは複数を含む。アグリゲーテッドＣＳＩ（またはジョイントＣＳＩ）は、送信状態のインジケータまたは送信状態インジケータ（ＴＳＩ）のうちの１つまたは複数を含む。アグリゲーテッドＣＳＩ（またはジョイントＣＳＩ）は、主ポイントごとのＣＱＩおよび少なくとも１つのデルタポイントごとのＣＱＩ（たとえば、副送信ポイントに関する）を含む。アグリゲーテッドＣＳＩ（またはジョイントＣＳＩ）は、ＷＴＲＵが報告されるフィードバックについてブランクにされると仮定するポイントを示すミューティングパターンを含む。アグリゲーテッドＣＳＩ（またはジョイントＣＳＩ）は、ポイントインジケータ（ＰＩ）のベクトルを含む。１つまたは複数の実施形態は、ＰＩが送信状態ベクトル内のポイント（ＴＳＩによって示される）にマッピングすることを企図するものである。アグリゲーテッドＣＳＩ（またはジョイントＣＳＩ）は、１つまたは複数の関連する条件を含む。送信ポイントのサブセットに関するポイントごとのＣＳＩは、ポイントごとのランクインジケーション（ＲＩk）、少なくとも１つの符号語に関するポイントごとのＣＱＩ（ＣＱＩk）、ポイントごとの（またはローカルの）プリコーディング行列インジケータ（１つまたは複数）、プリコーディング行列インジケータ（１つまたは複数）Ｗ’kのセット、ＰＩ、送信状態ベクトルの対応する要素、主ＣＱＩまたはデルタＣＱＩ（主ＣＱＩに関連する）、および／または送信ポイントごとの少なくとも１つの関連する条件を含む。
【０１５０】
諸実施形態は、フィードバックタイプがＷＴＲＵの選択したサブバンドに関するものである報告モードについて、ＷＴＲＵが、たとえば、いくつかの送信ポイントまたはおそらくは各送信ポイントがサブバンドの同一のサブセットを有するかどうか、および／またはそれらがお互いに直交であるかどうか、および／またはそれらがオーバーラップするかどうかをも示すことを企図するものである。１つまたは複数の実施形態では、これは、本明細書で説明されるポイント−サブバンドインジケータ（ＰＳＩ）を送信することによって実現される。たとえばサブセットの少なくとも部分的なオーバーラップがあるときなど、複数の理由から、ＷＴＲＵは、アグリゲーテッドＣＳＩ（またはジョイント）ＣＳＩの組合せおよび、いくつかの実施形態ではポイントごとのＣＳＩを提供する。諸実施形態は、ビットマップが、どのタイプのＣＳＩがどのサブバンドに適用可能であるのかを送信ポイントに示すのに使用されることを企図するものである。
【０１５１】
諸実施形態は、レポートタイプが、異なるＣＳＩレポートが既存のフィールドにマッピングされる先在するモードを使用してフィードバックされることができることを企図するものである。たとえば、非周期的ＰＵＳＣＨフィードバックモード１−２は、おそらくはサブバンドごとに１つを表す複数のＰＭＩをフィードバックするのではなく、ＷＴＲＵが送信ポイントごとに１つを表す複数のＰＭＩをフィードバックする場合に再利用される。
【０１５２】
１つまたは複数の実施形態では、ＷＴＲＵは、ネットワークによって非周期的フィードバックを用いてトリガされ、ＷＴＲＵは、いくつかのまたは各ポイントの周期性／オフセットを変更するために送信ポイントの新しいランキングを提供する。ＷＴＲＵは、新しい（または新鮮な）非周期的フィードバックがトリガされるまで、周期的フィードバックでそのようなパラメータを使用する。諸実施形態は、ＣｏＭＰに関する非周期的ＣＳＩ報告が、次のうちの少なくとも１つの任意の組合せを含むことを企図するものである。  
−  送信状態インジケータ（ＴＳＩ）と、
−  ポイントインジケータ（ＰＩ）と、
−  ＵＥによって選択されたＭ個のサブバンドを示す組合せインデックスと、
−  ＵＥによって選択されたＮ個のポイントを示す組合せインデックスと、
−  ＵＥによって選択されたポイント−サブバンド組合せ（ＰＳＩ）を示す組合せインデックスと、
−  アグリゲーテッドまたはポイントごとのＲＩ（ＲＩａまたはＲＩｐ）と、
−  アグリゲーテッドまたはポイントごとの広帯域ＣＱＩ（Ｗ−ＣＱＩａまたはＷ−ＣＱＩｐ）と、
−  アグリゲーテッドまたはポイントごとのサブバンドＣＱＩ（Ｓ−ＣＱＩａまたはＳ−ＣＱＩｐ）と、
−  アグリゲーテッドまたはポイントごとのＭバンドＣＱＩ（Ｍ−ＣＱＩａまたはＭ−ＣＱＩｐ）と、
−  アグリゲーテッドまたはポイントごとの広帯域ＰＭＩ（Ｗ−ＰＭＩａまたはＷ−ＰＭＩｐ）と、
−  アグリゲーテッドまたはポイントごとの広帯域第１ＰＭＩ（Ｗ−ＰＭＩ１ａまたはＷ−ＰＭＩ１ｐ）（ここで、ＰＭＩ１は、Ｒｅｌ−１０で導入された２ＰＭＩ法における第１プリコーディング行列に対応する）と、
−  アグリゲーテッドまたはポイントごとの広帯域第２ＰＭＩ（Ｗ−ＰＭＩ２ａまたはＷ−ＰＭＩ２ｐ）（ここで、ＰＭＩ２は、Ｒｅｌ−１０で導入された２ＰＭＩ法における第２プリコーディング行列に対応する）と、
−  アグリゲーテッドまたはポイントごとのサブバンドＰＭＩ（Ｓ−ＰＭＩａまたはＳ−ＰＭＩｐ）と、
−  アグリゲーテッドまたはポイントごとのサブバンド第１ＰＭＩ（Ｓ−ＰＭＩ１ａまたはＳ−ＰＭＩ１ｐ）と、
−  アグリゲーテッドまたはポイントごとのサブバンド第２ＰＭＩ（Ｓ−ＰＭＩ２ａまたはＳ−ＰＭＩ２ｐ）と、
−  アグリゲーテッドまたはポイントごとのＭバンドＰＭＩ（Ｍ−ＰＭＩａまたはＭ−ＰＭＩｐ）と、
−  アグリゲーテッドまたはポイントごとのＭバンド第１ＰＭＩ（Ｍ−ＰＭＩ１ａまたはＭ−ＰＭＩ１ｐ）と、
−  アグリゲーテッドまたはポイントごとのＭバンド第２ＰＭＩ（Ｍ−ＰＭＩ２ａまたはＭ−ＰＭＩ２ｐ）と、
−  広帯域ポイント間位相インジケータと、
−  サブバンドポイント間位相インジケータと、
−  Ｍバンドポイント間位相インジケータと。
諸実施形態は、ポイント間位相インジケータ（たとえば、広帯域、サブバンド、および／またはＭバンド）が、たとえば３つ以上の協力するポイントがある場合など、さまざまな状況で複数の位相値にリンクされることを企図するものである。
【０１５３】
諸実施形態は、Ｒｅｌ−１０の非周期的報告モードが、効率的なＣｏＭＰフィードバック報告に対処するために変更され、かつ／または増補されることができることを企図するものである。モードは、モードｘ−ｙとして定義され、ここで、ｘは、ＣＱＩフィードバックが広帯域、ネットワークによって構成されたサブバンド、またはＷＴＲＵによって選択されたサブバンドのどれに関するのかを示す。また、ｙは、ＰＭＩフィードバックがない、単一のＰＭＩフィードバックがある、または複数のＰＭＩフィードバックがあるのどれであるのかを示す。１つまたは複数の実施形態では、１つまたは複数のこれまでに未定義の次元が、フィードバックがａ）ＣｏＭＰ測定セットにおけるすべてのポイント、ｂ）ネットワークによって選択されたＴＳＶ、またはｃ）ＷＴＲＵによって選択されたＴＳＶのどれに関するのかなど、ＴＳＶの選択に関する仮定を示すためにモードのいくつかまたはすべてに追加されることができる。一例として、企図されるモードは、モードｘ−ｙ−ｚの形をとることができ、ここで、ｚは、ＴＳＶの選択に関する仮定を表す。ポイント選択仮定のいくつかのまたは３つすべてのいずれかで、ＷＴＲＵは、各個々のレポートタイプに関するアグリゲーテッドまたはポイントごとのフィードバックを提供するように指示される。非周期的ＣＱＩ報告モードは、より上の層のシグナリングによって（たとえば、パラメータｃｑｉ−ＲｅｐｏｒｔＭｏｄｅＡｐｅｒｉｏｄｉｃ内で）構成される。
【０１５４】
１つまたは複数の実施形態では、既存の非周期的ＣＳＩ報告モードが、再利用されることができ、ＴＳＶに関する３つの仮定のいずれかに適用可能である。その場合に、アップリンクＤＣＩまたはランダムアクセス応答グラント（非周期的フィードバックをトリガするのに使用される）のいずれかが、ＴＳＶの選択に関する仮定（すべてのポイント、ネットワークによって選択されたＴＳＶ、および／またはＵＥによって選択されたＴＳＶ）についてＷＴＲＵに指示するのに使用されることができる。ネットワークによって選択されたＴＳＶの場合に、非周期的フィードバックトリガは、ネットワークによって選択されたＴＳＩをも含む。ＴＳＩは、たとえば、ＣＳＩ要求フィールドに対する拡張として含まれる。非周期的フィードバックトリガ（たとえば、アップリンクＤＣＩまたはランダムアクセス応答グラント）は、いくつかのまたは各個々のレポートタイプについてアグリゲーテッドフィードバックまたはポイントごとのフィードバックのどちらが要求されるのかを示すこともできる。
【０１５５】
ＷＴＲＵがＴＳＶを選択する実施形態では、非周期的フィードバックレポートは、ＴＳＩならびにＰＩおよび／またはＰＳＩを含む。諸実施形態は、そのような状況でのＰＩが、ＷＴＲＵがＴＳＶにおいて送信されるものとして選択される多数のポイントを有するシナリオに関し、送信するポイントのサブセットに関する特定の非周期的フィードバックを使用することを企図するものである。その場合に、１つの非周期的フィードバックが、ＴＳＶにおけるすべてのポイントに関するフィードバックを含まない場合であっても、アグリゲーテッドＣＱＩは、全体のＴＳＶまたはＰＩ（１つまたは複数）によって示されるポイントだけに関して条件付けられる。
【０１５６】
諸実施形態は、ポイントの階層が、ＷＴＲＵまたはネットワークのいずれかによって（たとえば、たとえばポイントごとのＣＱＩをランキングすることに基づいて）提供されることを企図するものである。この階層は、最高ランクのポイント以外のポイントに関するいくつかのまたはすべてのフィードバックレポートが、たとえば最高ランクのポイントのフィードバックレポートに対する差分になるように使用される。
【０１５７】
諸実施形態は、複数の送信ポイントまたはＣＳＩ−ＲＳリソースを用いて構成されるＷＴＲＵの周期的ＣＳＩの報告で使用される１つまたは複数の技法を企図するものである。
【０１５８】
１つまたは複数の実施形態では、ＷＴＲＵは、たとえば、構成された（ＰＵＣＣＨ）ＣＳＩ報告モードおよび／またはサブモードに従って周期的にＣＳＩを報告する。報告モードおよび／またはサブモードは、どの事前に決定されたレポートタイプがどの報告するインスタンスにおいて送信されるのかを定義する。
【０１５９】
諸実施形態は、ＷＴＲＵが、本明細書で説明されるように、既存のレポートタイプまたは変更されたもしくは以前には未定義の報告モードの一部として送信される以前には未定義のレポートタイプにおいて、おそらくは少なくとも１つの関連する条件と組み合わされた、少なくとも（適用可能な場合に）１つのタイプもしくはサブタイプの少なくとも１つのＣＳＩコンポーネントおよび／または追加のタイプインジケーション（１つまたは複数）を報告することを企図するものである。たとえば、次のレポートタイプが、定義される。  
−  組み合わせるインジケータｉcomb、
−  既存のプリコーディングタイプインジケーション（ｐｒｅｃｏｄｉｎｇ  ｔｙｐｅ  ｉｎｄｉｃａｔｉｏｎ、ＰＴＩ）または現在定義されているタイプインジケーション（下を参照されたい）を伴う共通（またはジョイント）ランクインジケーションＲＩjoint、
−  第１（長期）ポイントごとのプリコーディングインジケータｉ1kと組み合わされた第１（長期）ポイントごとの組み合わせるインジケータｉ1kcomb、
−  共通（またはジョイント）ランクインジケータＲＩjointと組み合わされた第１（長期）ポイントごとの組み合わせるインジケータｉ1kcomb、
−  第１（長期）ポイントごとのプリコーディングインジケータｉ1kおよび共通（またはジョイント）ランクインジケータＲＩjointと組み合わされた第１（長期）ポイントごとの組み合わせるインジケータｉ1kcomb、
−  第２（短期）ポイントごとのローカルプリコーディングインジケータｉ2kと組み合わされた第２（短期）ポイントごとの組み合わせるインジケータｉ2kcomb、
−  送信ポイントごとのポイントごとのインジケータｉ1k、ｉ2kおよび組み合わせるインジケータｉcombを含む、グローバル（またはアグリゲーテッド）プリコーディング行列インジケータ、および／または
−  所与の送信ポイントまたはＣＳＩ−ＲＳリソース（またはそのセット）のＣＳＩフィードバックが後に報告されるかどうかのインジケータ。
【０１６０】
ＷＴＲＵは、少なくとも１つの送信状態インジケータ（ＴＳＩ）を報告する。ＷＴＲＵは、異なるＴＳＩ（１つまたは複数）についてフィードバックを報告するために異なるレポートを送信する。ＷＴＲＵは、ＴＳＩ（１つまたは複数）の異なるセットについてフィードバックを報告するために異なるレポートを送信する。１つまたは複数の実施形態では、ＴＳＩのセットは、オーバーラップする。レポートは、たとえば、それ自体の周期性およびサブフレームオフセット（１つまたは複数）を伴って送信される。
【０１６１】
１つまたは複数の実施形態では、フィードバックレポートがどのポイントに関するのかのインジケーションは、別のレポートと共にジョイントで送信される。一例として、ランクおよびポイントインジケータは、以前には未定義のレポートタイプでジョイントで送信される。単一の値は、ポイント＃１（いくつかの実施形態ではおそらくはポイント＃１だけ）を使用するランク１、ポイント＃１（いくつかの実施形態ではおそらくはポイント＃１だけ）を使用するランク２、ポイント＃２（いくつかの実施形態ではおそらくはポイント＃２だけ）を使用するランク１、および／またはポイント＃２（いくつかの実施形態ではおそらくはポイント＃２だけ）を使用するランク２、および／または類似物に対応する。
【０１６２】
ジョイントレポートは、ＪＴ  ＣｏＭＰに関するフィードバック情報を提供する位相補正値を含む。たとえば、ジョイントレポートは、位相補正θ1を伴うポイント＃１／＃２を使用するランク１と、位相補正θ2を伴うポイント＃１／＃２を使用するランク１と、類似物とを含む。ジョイントレポートは、位相補正θnを伴うポイント＃１／＃２を使用するランク１と、位相補正θ1を伴うポイント＃１／＃２を使用するランク２と、位相補正θ2を伴うポイント＃１／＃２を使用するランク２と、類似物とを含む。ジョイントレポートは、位相補正θnを伴うポイント＃１／＃２を使用するランク２と、各ポイントが独立データを送信するポイント＃１／＃２を使用するランク２と、類似物とを含む。
【０１６３】
値の上記の２セットの１つまたは複数の組合せも、ＪＴおよびＤＰＳの任意の組合せをサポートするシステムについて使用される。さらに、非コヒーレントシステムについて、位相補正は、ジョイントレポートから除去される。ポイント＃１およびポイント＃２の識別は、以前に、別のレポートタイプ（たとえばＰＩなど）でフィードバックされる。
【０１６４】
ＰＩは、そのセルのレポートとジョイントで送信される。１つまたは複数の実施形態では、ＰＩは、１回送信される。ｅＮＢは、さらなるＰＩが送信されるまで、フィードバックレポートが、その送信ポイントに関すると仮定する。１つまたは複数の実施形態では、ＷＴＲＵは、規則的なインターバルで、たとえば、特定の周期／サブフレームオフセットを使用して、ＰＩをフィードバックする。ＷＴＲＵは、ＰＩが変化しなかった場合であってもＰＩをフィードバックする。これは、誤り伝搬（たとえば、不正なＰＩがｅＮＢで復号される時）の影響を減らす。
【０１６５】
１つまたは複数の実施形態では、ＰＩは、ＲＩの代わりに送信される。たとえば、ＰＩ／ＲＩレポートは、ＰＩ／ＲＩレポートがＰＩまたはＲＩのどちらに関するのかを示すフラグを含む。たとえば、レポートがＲＩまたはＰＩのどちらに関するのかを決定する事前に構成されたパターンがある。事前に構成されたパターンは、ｘ個おきのＲＩ報告するインスタンスがＰＩに置換されることを示す。ＰＩがそのような形でフィードバックされる時に、フィードバックされるさらなるレポートタイプは、たとえば別のＰＩがフィードバックされるまで、その送信ポイントに関する。
【０１６６】
諸実施形態は、ＰＭＩおよび位相オフセットの粒度が下げられることを企図するものである。たとえば、位相オフセットは、送信ポイントのうちの少なくとも１つのＰＭＩとジョイントで符号化される。ＰＭＩは、サブサンプリングされ、ある種のＰＭＩが、ある種の位相オフセットに関連付けられ、特定のＰＭＩのフィードバックは、少なくとも暗黙のうちに、送信ポイント可能な位相オフセットのサブセットを示す。諸実施形態は、別のインジケータが、サブセットからオフセットを決定するのにネットワークによって使用されることを企図するものである。たとえば、位相オフセットは、別のフィードバックレポートタイプがスケジューリングされる場合にフィードバックされる。たとえば、そのインスタンスがそのために使用されつつあるレポートタイプを示すフラグが、ＷＴＲＵによって送信される。
【０１６７】
諸実施形態は、ＷＴＲＵがいくつかのまたは各帯域幅部分でサブバンドを選択するモードについて、レポートタイプが、次のうちの少なくとも１つを含むことを企図するものである。  
−  いくつかのポイントまたは各ポイントについて、ＷＴＲＵは、いくつかのまたはすべての帯域幅部分で少なくとも１つのサブバンドを選択する（帯域幅部分のセットは、帯域幅全体にまたがる）。したがって、各ポイントについてのいくつかのポイントについて、ＷＴＲＵは、サブバンドの異なるセットを有し、
−  いくつかのポイントまたは各ポイントについて、ＷＴＲＵは、いくつかのまたはすべての帯域幅部分で１つのサブバンドを選択する。したがって、サブバンドの同一のセットが、いくつかのポイントまたはすべてのポイントに適用され、
−  いくつかのまたはすべての帯域幅部分について、ＷＴＲＵは、少なくとも１つのサブバンド／ポイント組合せを選択する。この場合に、ＷＴＲＵは、たとえば、帯域幅部分におけるサブバンドとそれが適用可能であるポイントとの両方を示すラベルを提供する。
【０１６８】
ＷＴＲＵが周期的に報告するＣＳＩは、本明細書で説明されるように少なくとも１つの関連する条件の対象になり、この条件は、次のうちの少なくとも１つを使用して決定される。  
−  構成された報告モードおよびサブモードなどのより上の層のシグナリング、および／または
−  最後に報告されたＰＴＩまたは最後に報告されたタイプインジケーション（おそらくは新たに定義された）。
【０１６９】
１つまたは複数の実施形態では、複数のセルのレポートタイプが、組み合わされる。報告モードは、複数のセルに関するレポートタイプの組合せを可能にする。たとえば、複数の送信ポイントが、同一のランクを使用する。この報告モードでは、１つのＲＩが、複数の送信ポイントについて送信される。この報告モードは、たとえば（たとえばｎ個のポイントについて）１つのＲＩ、ｎ個の広帯域ＣＱＩ、ｎ個の広帯域ＰＭＩ、および構成される場合に複数のサブバンドＣＱＩおよびＰＭＩをフィードバックするようにＷＴＲＵを構成する。
【０１７０】
諸実施形態は、既存のまたは以前に未定義の報告モードに従う周期的ＣＳＩ報告の例を企図するものである。たとえば、少なくとも１つの報告モード／サブモードで、ＷＴＲＵは、次を報告する。  
−  第１周期によって分離された報告するインスタンスの第１セットにおいて、共通（またはジョイント）ランクインジケータを含むレポートタイプ、
−  第２周期によって分離された報告するインスタンス（第１セットに属する報告するインスタンスを除く）の第２セットにおいて、少なくとも１つの広帯域アグリゲーテッド（またはジョイント）ＣＱＩおよび少なくとも１つの広帯域組み合わせるインジケータｉcombを含むレポートタイプ、および／または
−  第３周期によって分離された報告するインスタンス（第１セットまたは第２セットに属する報告するインスタンスを除く）の第３セットにおいて、少なくとも１つのサブバンドアグリゲーテッド（またはジョイント）ＣＱＩおよび少なくとも１つのサブバンド組み合わせるインジケータｉcombを含むレポートタイプ。
諸実施形態は、説明される報告モードが、いくつかの送信ポイントまたは各送信ポイントについて別々に構成される周期的報告との組合せにおいて有用であることを企図するものである。
【０１７１】
また、たとえば、少なくとも１つの報告モード／サブモードでは、ＷＴＲＵは、次を報告する。  
−  第１周期によって分離された報告するインスタンスの第１セット内で、ＷＴＲＵが本明細書で説明される技法に従って決定する、共通（またはジョイント）ランクインジケータ、少なくとも１つの送信ポイントの１つのポイントごとのランクインジケータ、およびプリコーディングタイプインジケータ（ＰＴＩ）を含むレポートタイプ、
−  第２周期によって分離された報告するインスタンス（第１セットに属する報告するインスタンスを除く）の第２セットにおいて、
・ＷＴＲＵによって送信された最新のＰＴＩに第１値がセットされた場合に、（おそらくは、いくつかの実施形態で異なる報告するインスタンスにおける）いくつかのまたは各送信ポイントに関する１つの長期（第１）ポイントごとのプリコーディング行列インジケータおよびおそらく１つのポイントごとの長期組み合わせるインジケータｉ1k,combと、
・ＷＴＲＵによって送信された最新のＰＴＩに第２値がセットされた場合に、（おそらくは、異なる報告するインスタンスにおける）いくつかのまたは各送信ポイントに関する少なくとも１つの広帯域アグリゲーテッド（またはジョイント）ＣＱＩ、１つの広帯域短期（第２）ポイントごとのプリコーディング行列インジケータ、および１つのポイントごとの（短期）広帯域組み合わせるインジケータｉ2kcombと
を含むレポートタイプ、ならびに／または
−  第３周期によって分離された報告するインスタンス（第１セットおよび第２セットに属する報告するインスタンスを除く）の第３セット内で、
・ＷＴＲＵによって送信された最新のＰＴＩに第１値がセットされた場合に、（おそらくは、異なる報告するインスタンスにおける）いくつかのまたは各送信ポイントに関する少なくとも１つの広帯域アグリゲーテッド（またはジョイント）ＣＱＩおよび／または少なくとも１つの広帯域短期（第２）ポイントごとのプリコーディング行列インジケータおよび／または少なくとも１つのポイントごとの（短期）広帯域組み合わせるインジケータｉ2kcomb、および／もしくは
・ＷＴＲＵによって送信された最新のＰＴＩに第２値がセットされた場合に、（おそらくは、異なる報告するインスタンスにおける）いくつかのまたは各送信ポイントに関する少なくとも１つのサブバンドアグリゲーテッド（またはジョイント）ＣＱＩ、および／もしくは少なくとも１つのサブバンド短期（第２）プリコーディング行列インジケータ、および／もしくは少なくとも１つの（短期）サブバンド組み合わせるインジケータｉ2kcomb
を含むレポートタイプ。
【０１７２】
前に説明された例示的なサブバンドの１つまたは複数では、ＷＴＲＵは、たとえば、長期ポイントごとのプリコーディング行列インジケータおよび／または長期ポイントごとの組み合わせるインジケータが、第１値をセットされたプリコーディングタイプインジケータの以前の送信以降に、少なくとも１つの送信ポイントについて大きく変化したとＷＴＲＵが決定するときに、プリコーディングタイプインジケータに第１値をセットする。あるいは、ＷＴＲＵは、たとえば、誤り伝搬を防ぐために、Ｎ個のサブフレームまたは報告するインスタンスおきに周期的にプリコーディングタイプインジケータに第１値をセットする。１つまたは複数の実施形態では、Ｎの値は、たとえば、より上位の層のシグナリングによって構成される。
【０１７３】
１つまたは複数の実施形態は、たとえばＷＴＲＵが次を報告するなど、報告モード／サブモードを企図するものである。  
−  第１周期によって分離された報告するインスタンスの第１セットにおいて、共通（またはジョイント）ランクインジケータ、プリコーディングタイプインジケータ（ＰＴＩ）、およびＷＴＲＵが
・ＷＴＲＵは、異なる層が異なる送信ポイントから送信されなければならない場合にジョイントプリコーディングタイプインジケータ（ｊｏｉｎｔ  ｐｒｅｃｏｄｉｎｇ  ｔｙｐｅ  ｉｎｄｉｃａｔｏｒ、ＪＰＴＩ）に第１の値をセットし（組み合わせる行列は単位行列である）、かつ／もしくは
・ＷＴＲＵは、少なくとも１つの層が異なる送信ポイントから送信されなければならない場合にＪＰＴＩに第２の値をセットする
のうちの少なくとも１つに従って決定するＪＰＴＩを含むレポートタイプ、
−  第２周期によって分離された報告するインスタンス（おそらくは第１セットに属する報告するインスタンスを除く）第２セットにおいて、
・ＷＴＲＵによって送信された最新のＰＴＩに第１値がセットされた場合に、（おそらくは異なる報告するインスタンスにおける）各送信ポイントに関する１つの長期（第１）ポイントごとのプリコーディング行列インジケータ、および／もしくは
・ＷＴＲＵによって送信された最新のＰＴＩに第２値がセットされた場合に、（おそらくは異なる報告するインスタンスにおける）いくつかのもしくは各送信ポイントに関する少なくとも１つの広帯域アグリゲーテッド（またはジョイント）ＣＱＩおよび／もしくは１つの広帯域短期（第２）ポイントごとのプリコーディング行列インジケータ、およびＷＴＲＵによって報告された最新のＪＰＴＩに第２値がセットされた場合に、１つの広帯域組み合わせるインジケータｉcomb
のうちの少なくとも１つを含むレポートタイプ、ならびに／または
−  第３周期によって分離された報告するインスタンス（おそらくは第１セットまたは第２セットに属する報告するインスタンスを除く）第３セット内で、
・ＷＴＲＵによって送信された最新のＰＴＩに第２値がセットされた場合に、（おそらくは異なる報告するインスタンスにおける）いくつかのもしくは各送信ポイントに関する少なくとも１つの広帯域アグリゲーテッド（またはジョイント）ＣＱＩおよび／もしくは１つの広帯域短期（第２）ポイントごとのプリコーディング行列インジケータ、およびＷＴＲＵによって報告された最新のＪＰＴＩに第２値がセットされた場合に、１つの広帯域組み合わせるインジケータｉcomb
を含むレポートタイプ。
【０１７４】
ＷＴＲＵによって送信された最新のＰＴＩに第２値がセットされた場合には、（おそらくは異なる報告するインスタンスにおける）いくつかのまたは各送信ポイントに関する少なくとも１つのサブバンドアグリゲーテッド（またはジョイント）ＣＱＩおよび／または１つのサブバンド短期（第２）ポイントごとのプリコーディング行列インジケータ、ならびにＷＴＲＵによって報告された最新のＪＰＴＩに第２値がセットされた場合には、１つのサブバンド組み合わせるインジケータｉcomb。
【０１７５】
諸実施形態は、周期的フィードバックが独立の周期および／またはフィードバックに基づく１つまたは複数の技法を企図するものである。多少異なった形で述べると、諸実施形態は、そのいくつかのまたはそれぞれが少なくとも周期および／またはオフセットによって定義されるサブフレームの複数のセットにおいて周期的ＣＳＩレポートを送信することに基づく周期的ＣＳＩフィードバックの実現を企図するものである。そのような実施形態では、サブフレームの特定のセット内で送信されるＣＳＩレポートは、
−  送信ポイント、送信ポイントのセット、もしくはＣＳＩ−ＲＳリソースのセット、
−  送信状態（たとえば、ジョイント送信または単一ポイント送信に関するレポート）、
−  関連する条件、および／または
−  レポートタイプ（たとえば、ＷＴＲＵがランクインジケータまたはＣＱＩ／ＰＭＩフィードバックのどちらを報告するのか）
のうちの少なくとも１つに関する。諸実施形態は、サブフレームの所与のセットの周期および／またはオフセットが、たとえばより上の層によって示されるパラメータから導出されることを企図するものである。
【０１７６】
１つまたは複数の実施形態では、ＷＴＲＵは、レポートタイプおよび送信ポイントのいくつかの組合せ、またはいくつかの実施形態ではレポートタイプおよび送信ポイントのすべての可能な組合せに関するＣＳＩレポートを、それぞれサブフレームの異なるセットにおいて送信する。たとえば、ＷＴＲＵは、サブフレームセットＡにおいてポイント１のＲＩ、サブフレームセットＢにおいてポイント２のＲＩ、サブフレームセットＣにおいてポイント１のＣＱＩ／ＰＭＩ、サブフレームセットＤにおいてポイント２のＣＱＩ／ＰＭＩ、などを送信する。
【０１７７】
１つまたは複数の実施形態では、ＷＴＲＵは、サブフレームの単一のセットにおけるいくつかのまたはすべての送信ポイントに適用可能なある種のタイプのフィードバックに関するＣＳＩレポートを送信する。これは、たとえば、いくつかのタイプのＣＳＩ情報が送信ポイントの間で共通するなど、複数の理由から有用である。たとえば、ＲＩは、すべての送信ポイント、送信状態に共通し、または特定の送信ポイントのＲＩにリンクされる。この場合に、情報は、送信ポイントごとにサブフレームの１つのセットではなくサブフレームの単一のセットにおいて送信され、したがって、オーバーヘッドを節約する。同一の技法が、たとえば、送信状態インジケータ（ＴＳＩ）または送信ポイントの順序付きセットを示すＰＩに適用される。
【０１７８】
１つまたは複数の実施形態では、サブフレームの所与のセットは、半静的な基礎で、送信ポイント（またはＣＳＩ−ＲＳリソース）の特定のセットまたは送信状態（ジョイント送信など）にリンクされる。オーバーヘッドを最小にするために、ＷＴＲＵは、ある１つまたは複数の条件が満足される場合に、いくつかの実施形態ではおそらくはある１つまたは複数の条件が満足される場合に限って、ある送信ポイントまたは送信状態に関連するあるタイプのＣＳＩが送信されると決定する。たとえば、条件は、ＷＴＲＵが決定する送信状態に関連付けられる。ＷＴＲＵは、ある送信ポイントが決定された送信状態に従ってＷＴＲＵへの送信に用いられる場合に、いくつかの実施形態ではこの送信ポイントが決定された送信状態に従ってＷＴＲＵへの送信に用いられる場合に限って、その送信ポイントに関するＣＳＩフィードバックを送信する。また、たとえば、別の条件は、送信ポイントまたは状態に関連するメトリック（広帯域ＣＱＩなど）が、最良の送信ポイントまたは状態に関連するメトリックからしきい値を引いたものよりよいことである。ＷＴＲＵが、ある送信ポイントまたは送信状態が送信に関する条件を満足しないと決定する場合に、ＷＴＲＵは、たとえばその送信ポイントに固有のサブフレームの別々のセット内で、ＴＳＩまたはこれまでに未定義のタイプのレポートなど、別々のタイプのレポート内でこれをネットワークに示す。１つまたは複数の実施形態では、ある１つまたは複数の送信ポイントに関するＣＳＩフィードバックの送信は、たとえば、このレポートの最新の送信された値に条件付けられる。
【０１７９】
１つまたは複数の実施形態では、サブフレームのセットと送信ポイントとの間のリンケージが動的である。たとえば、送信ポイントは、少なくとも１つの品質判断基準（たとえば、最大のＲＩまたは最大の広帯域ＣＱＩなど）を使用してＷＴＲＵによってランキングされる。ＷＴＲＵは、このランキングを、ＰＩを含むこれまでは未定義の、サブフレームの特定のセットにおいて送信されるレポートタイプで示す。最新の送信されたＰＩに基づいて、最高ランクの送信ポイントに関するＣＳＩは、サブフレームの第１セットにおいて送信され、２番目に高い送信ポイントに関するＣＳＩはサブフレームの第２セットにおいて送信され、以下同様である。この技法は、たとえば、より重要な送信ポイントに関するフィードバックの、より重要でないポイントより頻繁な送信を可能にする。
【０１８０】
諸実施形態は、ＷＴＲＵが送信ポイントの新しいランキングを提供する場合にレポートタイプがフィードバックされることを企図するものである。各送信ポイントの周期性／オフセットは、事前に構成されかつ／またはＷＴＲＵによって提供されるランクに結び付けられる。１つまたは複数の実施形態では、ＷＴＲＵは、一方はより高い周期性を必要とする「よい」送信ポイントを有し、他方はより低い周期性を必要とする「悪い」送信ポイントを有する少なくとも２つのリストを送信する。リストの個数は、たとえば、要求される周期性粒度に伴って増加する。ＷＴＲＵは、より上の層のシグナリングを使用してポイントのリストを含むＰＩをも報告する。
【０１８１】
ＷＴＲＵが、前述の技法のうちの１つを使用して複数の送信ポイントに関してＣＳＩをフィードバックするように構成される時に、サブフレームのセットの間にオーバーラップがある場合に、フィードバックレポートの衝突が発生する。１つまたは複数の実施形態では、送信ポイントの優先権の順序は、たとえば同一のレポートタイプに関して衝突が発生する場合など、ネットワークによって事前に構成され、いくつかの実施形態では、衝突が同一のレポートタイプに関して発生する場合に限って事前に構成される。２つの送信ポイントが、同一のリソースについてスケジューリングされたレポートをフィードバックした場合に、ＷＴＲＵは、より高い優先権を有する送信ポイントに関するレポートをフィードバックする。１つまたは複数の実施形態では、ＷＴＲＵは、フィードバックされる送信ポイントを選択する。フィードバックＣＳＩは、たとえば、そのフィードバックがどのポイントに関するのかを示すためにＰＩを含む。
【０１８２】
諸実施形態は、周期的フィードバックが、複数のポイントに関するレポートの送信に基づくことを企図するものである。たとえば周期的ＣＳＩ報告を実行するためなど、さまざまな理由から、ＷＴＲＵは、単一ポイントフィードバックに関する使用可能なＲｅｌ−１０報告モードのいずれかを用いて構成される。諸実施形態は、モードが、ＴＳＩおよび／またはＰＩを含むためにこれまでは未定義のレポートタイプを含めることによって増補されることを企図するものである。企図されるレポートタイプは、これまでに未定義の独立レポートタイプであり、または任意の他のレポートタイプを用いてジョイントで提供される（たとえば、ＲＩをＴＳＩと組み合わせるレポートタイプ）。その場合に、いくつかのまたはすべての他のフィードバックレポートタイプは、ＴＳＩおよび／またはＰＩを含む最も最近に送信されたレポートタイプ内で示されたポイント（１つまたは複数）に関して条件付けられる。１つまたは複数の実施形態では、ＴＳＩは、ＰＩまたは他のレポートタイプより高い周期性を用いて送信され、ＰＩは、ＴＳＶ内のどのポイント（ＴＳＩによって示される）に関して、将来のレポートが条件付けられるのかを示すために送信される。あるいはまたはそれに加えて、いくつかのまたはすべてのフィードバックレポートは、その特定のレポートがどのポイントに関するのかを示すＴＳＩおよび／またはＰＩを含む。
【０１８３】
１つまたは複数の実施形態では、複数のポイントに関するＣＳＩコンポーネントは、同一サブフレームにおいて報告される。たとえば、レポート内で提供されるＣＳＩ情報のタイプが、単一ポイントではなく複数のポイントに関して提供されるように、既存のレポートタイプ（たとえば、１、１ａ、２、２ａ、２ｂ、その他など）を維持し、変更し、または拡張することが可能である。諸実施形態は、彼のが、いくつかのレポートまたは各レポートの情報ペイロードの増加をもたらすが、たとえば送信ポイントの個数にかかわりなく既存の周期的モードの時間編成の維持を容易にすることを企図するものである。
【０１８４】
諸実施形態は、下記などであるがこれに限定されない、１つまたは複数の特定のレポートタイプに適用可能な１つまたは複数の技法を企図するものである。  
−  ＢＷ部分の最良のＷＴＲＵによって選択されたサブバンドに関するサブバンドＣＱＩを含むレポート１および１ａで、ＷＴＲＵは、両方のポイント（およびおそらくは両方のポイントの単一のサブバンド）もしくは各ポイントの１つのサブバンドを報告し、
−  ＣＱＩを含むレポート（たとえば、１、１ａ、２、２ｂ、２ｃ、４）で、ＷＴＲＵは、次のうちの少なくとも１つを報告し（ポイントごとのＣＱＩがミュート仮説を伴いまたは伴わないことが企図されている）
・各ポイントの第１符号語のポイントごとのＣＱＩ、そのいくつかもしくはそれぞれがそれぞれのポイントの第１符号語に対して相対的である、各ポイントの第２符号語の空間差分ポイントごとのＣＱＩ（ＲＩ＞１の場合）、
・あるポイントの第１符号語のポイントごとのＣＱＩ、各他のポイントの第１符号語の差分ポイントごとのＣＱＩ（その一部またはそれぞれは、第１ポイントの第１符号語に対して相対的である）、そのいくつかもしくはそれぞれが第１ポイントの第１符号語もしくはそれぞれのポイントの第１符号語のいずれかに対して相対的である各ポイントの第２符号語に関する差分ポイントごとのＣＱＩ（たとえば、ＲＩ＞１の場合）、および／または
・いくつかのまたはすべてのポイントからのジョイント送信を仮定する、第１符号語に関するアグリゲーテッドＣＱＩ、いくつかのまたはすべてのポイントからのジョイント送信を仮定する、第２符号語に関する空間差分アグリゲーテッドＣＱＩ（たとえば、ＲＩ＞１）、
−  ＰＭＩまたは第２ＰＭＩを含むレポート（たとえば、１ａ、２、２ｂ、５）で、
・８つ未満のアンテナポイントを有するいくつかのもしくは各ポイントに関するポイントごとのＰＭＩ、８つのアンテナポートを有するいくつかのもしくは各ポイントに関する第２ＰＭＩ、
・第１ポイント以外のいくつかのまたは各ポイントに関して、第１ポイントとこのポイントとの間の少なくとも１つの位相オフセット、および／または
・１つまたは複数の組み合わせるインジケータ（たとえば、ポイントの間の共位相行列をポイントする単一のインジケータ）、および／または
−  少なくとも１つのポイントが８つのアンテナポートを有する場合に、
・レポート２ａもしくは２ｃは、８つのアンテナポートを有するポイントに関する第１ＰＭＩを含み、いくつかの実施形態で、レポート２ａもしくは２ｃは、８つのアンテナポートを有するポイントに関する第１ＰＭＩだけを含む。
【０１８５】
１つまたは複数の実施形態では、ＴＳＩを含む企図されるレポートタイプは、ＣＳＩがそれに関してフィードバックされるポイントの順序（たとえば、ポイントのベクトル）をも含む。その場合に、ＴＳＩおよびポイントの順序がフィードバックされた後に発生するフィードバックレポートは、第１ポイントに関するものである。これまでに未定義の単一ビットフラグが、企図されるレポートタイプのいずれにも追加され、フラグに関する事前定義の値をフィードバックした後に、将来のレポートがそれに関して条件付けられるポイントは、順序付けられたポイントのベクトル内の次のポイントへサイクルする。あるいはまたはそれに加えて、１つまたは複数の実施形態では、ポイントの順序は、ネットワークによってＷＴＲＵにシグナリングされる。
【０１８６】
１つまたは複数の実施形態では、ＷＴＲＵは、Ｒｅｌ−１０周期的フィードバックモードで構成される。諸実施形態は、ＷＴＲＵが、サブフレーム番号をポイントおよび／またはＴＳＩおよび／またはＰＩに関連付ける周期および／またはオフセットを用いて構成されることを企図するものである。いくつかのまたはすべてのフィードバックレポートは、サブフレームが関連するポイントに対して条件付けられ、いくつかの実施形態では、いくつかのまたはすべてのフィードバックレポートは、サブフレームが関連するポイントに対して条件付けられなければならない。
【０１８７】
１つまたは複数の実施形態では、ＴＳＩおよび／もしくはＰＩまたはより上のシグナリングもしくはサブフレーム番号を含むレポートタイプは、明示的にまたは暗黙のうちにのいずれかで、フィードバックレポートがアグリゲーテッド値またはポイントごとの値のどちらに関するのかに関する情報をも含む。アグリゲーテッドフィードバックは、最も最近に報告されたＰＩに対するレポートタイプの条件付けを除去することによって、および／または最も最近にフィードバックされたＴＳＩに対していくつかのまたはすべてのアグリゲーテッドレポートタイプを条件付けることによって達成される。あるいはまたはそれに加えて、アグリゲーテッドフィードバックは、事前に選択されたポイントのフィードバックに対して条件付けられる差分値を送信することによって達成される。事前に選択されるポイントは、最高のポイントごとのＣＱＩなどであるがこれに限定されないメトリックによって決定される。たとえば、ポイント１は、基準ポイントと考えられ、したがって、ＰＩがポイント１フィードバックを示す時に、ＣＱＩは、ポイント１のポイントごとのＣＱＩを表す。１つまたは複数の実施形態では、ＰＩが他のポイントを示す時に、ＣＱＩは、たとえばアグリゲーテッドＣＱＩを提供するための差分値（ポイント１のポイントごとのＣＱＩト比較した）を表す。
【０１８８】
諸実施形態は、送信ポイントおよび／または送信状態の間のサイクリングに基づく周期的フィードバックを企図するものである。１つまたは複数の実施形態では、ＷＴＲＵは、ある種のフィードバックレポートタイプがポイントを通ってサイクルすることを可能にすることによって増補されたＲｅｌ−１０報告モードのうちの１つを用いて構成される。たとえば、ＲＩが構成される場合に、ＷＴＲＵは、すべてのポイントの少なくとも１つの値（すなわち、アグリゲートＲＩ）をフィードバックし、いくつかの実施形態では、おそらくは、すべてのポイントについて１つの値だけをフィードバックする。１つまたは複数の実施形態では、いくつかのまたは各連続するＲＩレポートは、異なるポイントのランクを表す。ＲＩレポートがそれに関して構成されるポイントは、ポイントのベクトルを通ってサイクルすることによって入手することができる。ポイントのベクトルは、たとえば、最も最近のＴＳＩおよび／もしくはＰＩから暗黙のうちに決定され、または、これまでに未定義のレポートタイプ内でＷＴＲＵによって明示的にフィードバックされ、または、より上の層のシグナリングを介してネットワークによって事前に構成される。１つまたは複数の実施形態では、ＷＴＲＵがＲＩサイクリングを使用する時に、ＲＩ報告のポイントごとの周期は、Ｎpoints＊ＭRI＊Ｎpdになる（ここで、Ｎpointsは、ポイントの総数であり、ＲＩレポートの報告インターバルは、たとえば３ＧＰＰ  ＴＳ  ３６．２１３で定義されているように、ＣＱＩ／ＰＭＩレポート周期Ｎpdの整数倍（ＭRI）である。
【０１８９】
広帯域ＣＱＩ／ＰＭＩ報告が構成される場合に、ＷＴＲＵは、ＣＱＩ／ＰＭＩに関する連続する報告ごとに、いくつかのポイントまたは各ポイントを通ってサイクルする。その場合に、いくつかのまたは各ポイントのＣＱＩ／ＰＭＩが報告される周期性は、Ｎpoints＊Ｎpdによって与えられる。諸実施形態は、ＰＭＩが２つの部分（たとえば、ＰＭＩ１およびＰＭＩ２）によって示される場合に、各プリコーディング行列に関するポイントンサイクリングが、依存しまたは独立であることを企図するものである。たとえば、単一ポイント報告モード２−１では、ＰＴＩ＝０の場合に、報告の次の順序が構成される。  
Ｗ−ＰＭＩ１、Ｗ−ＣＱＩ／Ｗ−ＰＭＩ２、Ｗ−ＣＱＩ／Ｗ−ＰＭＩ２  Ｗ−ＣＱＩ／Ｗ−ＰＭＩ２、Ｗ−ＰＭＩ１、Ｗ−ＣＱＩ／Ｗ−ＰＭＩ２、Ｗ−ＣＱＩ／Ｗ−ＰＭＩ２、Ｗ−ＣＱＩ／Ｗ−ＰＭＩ２…
（ここで、Ｗは、広帯域を意味し、ＰＭＩ１は、第１プリコーダ行列インジケータを意味し、ＰＭＩ２は、第２プリコーディング行列インジケータを意味する）。ポイントを通ってサイクルする時に、次の例は、Ｗ−ＰＭＩ１およびＷ−ＰＭＩ２のサイクリングが依存することを実証するものである。  
Ｗ−ＰＭＩ１a、Ｗ−ＣＱＩ／Ｗ−ＰＭＩ２a、Ｗ−ＣＱＩ／Ｗ−ＰＭＩ２a  Ｗ−ＣＱＩ／Ｗ−ＰＭＩ２a、Ｗ−ＰＭＩ１b、Ｗ−ＣＱＩ／Ｗ−ＰＭＩ２b、Ｗ−ＣＱＩ／Ｗ−ＰＭＩ２b、Ｗ−ＣＱＩ／Ｗ−ＰＭＩ２b…
【０１９０】
１つまたは複数の依存する方法では、諸実施形態は、サイクリングが、１つのレポートタイプ（たとえば、ＰＭＩ１）、いくつかの実施形態ではおそらく１つのレポートタイプだけに関して発生し、他のレポートタイプが、サイクルされるレポートタイプについて使用されるポイントに関して条件付けられることを企図するものである。あるいは、諸実施形態は、サイクリングが、独立であることを企図するものである。  
Ｗ−ＰＭＩ１a、Ｗ−ＣＱＩ／Ｗ−ＰＭＩ２a、Ｗ−ＣＱＩ／Ｗ−ＰＭＩ２b  Ｗ−ＣＱＩ／Ｗ−ＰＭＩ２c、Ｗ−ＰＭＩ１b、Ｗ−ＣＱＩ／Ｗ−ＰＭＩ２a、Ｗ−ＣＱＩ／Ｗ−ＰＭＩ２b、Ｗ−ＣＱＩ／Ｗ−ＰＭＩ２c…
（ここで、文字付きの添字は、異なるポイントを表すのに使用される）。
諸実施形態は、依存するサイクリングおよび独立のサイクリングという概念が、レポートタイプのいずれかに帰せられることを企図するものである。依存サイクリングについて、いくつかの実施形態では、１つのレポートタイプは、別のレポートタイプのポイント依存性がそれに基づいて条件付けられるアンカと考えられる。たとえば、広帯域ＣＱＩ／ＰＭＩとサブバンドＣＱＩとの両方が構成される場合について、サブバンドＣＱＩが、広帯域ＣＱＩにアンカリングされる場合に、サブバンドレポートがそれに基づいて条件付けられるポイントは、最も最近の広帯域ＣＱＩに関するポイントに依存する。例示的な例として、モード２−０で、単一ポイントおよび２つの帯域幅部分について、報告は、
Ｗ−ＣＱＩ、Ｓ−ＣＱＩ1、Ｓ−ＣＱＩ2、Ｓ−ＣＱＩ1、Ｓ−ＣＱＩ2、Ｗ−ＣＱＩ、Ｓ−ＣＱＩ1、Ｓ−ＣＱＩ2、Ｓ−ＣＱＩ1、Ｓ−ＣＱＩ2…
である（番号付きの添字は、サブバンド番号を示す）。
【０１９１】
諸実施形態は、ポイントを通ってサイクルする時に、次が、サブバンドＣＱＩと広域ＣＱＩとの間のサイクリング依存性の例を示すことを企図するものである。  
Ｗ−ＣＱＩa、Ｓ−ＣＱＩ1,a、Ｓ−ＣＱＩ2,a、Ｓ−ＣＱＩ1,a、Ｓ−ＣＱＩ2,a、Ｗ−ＣＱＩb、Ｓ−ＣＱＩ1,b、Ｓ−ＣＱＩ2,b、Ｓ−ＣＱＩ1,b、Ｓ−ＣＱＩ2,b…
その場合に、広帯域ＣＱＩの周期性は、Ｎpoints＊Ｈ＊Ｎpdによって与えられる（ここで、Ｈは、たとえば３ＧＰＰ  ＴＳ  ３６．２１３で定義される広帯域ＣＱＩ／広帯域ＰＭＩ報告の周期性を決定するのに使用される整数倍数である。
【０１９２】
１つまたは複数の実施形態について、次は、広帯域ＣＱＩとサブバンドＣＱＩとの間のサイクリング依存性の例を示す。  
Ｗ−ＣＱＩa、Ｓ−ＣＱＩ1,a、Ｓ−ＣＱＩ2,a、Ｓ−ＣＱＩ1,b、Ｓ−ＣＱＩ2,b、Ｗ−ＣＱＩb、Ｓ−ＣＱＩ1,a、Ｓ−ＣＱＩ2,a、Ｓ−ＣＱＩ1,b、Ｓ−ＣＱＩ2,b…
１つまたは複数の実施形態は、サブバンド報告が、ポイントを通ってサイクルする前に連続するレポートにおける少なくとも１つのポイントのいくつかのまたはすべての帯域幅部分を通ってサイクルすることを企図するものである。あるいはまたはそれに加えて、サイクリングの順序を逆転することができ、連続するレポートにおいて、異なるポイントに関するいくつかのまたはすべてのサブバンドレポートが、帯域幅部分を通ってサイクルする前に帯域幅部分を一定に保ちながらサイクルされる。諸実施形態は、サイクリングおよび／またはサイクリングの依存性が、レポートタイプの任意の組合せおよび任意のレポートモードに関して適用可能であることを企図するものである。１つまたは複数の実施形態では、サイクリングは、すべてのポイントにまたがって行われ、また、アグリゲーテッドまたはポイントごとのフィードバックの２つの仮説にまたがって行われる。
【０１９３】
諸実施形態は、ＲＲＣ層で生成される測定レポートを使用する複数の送信ポイントからのチャネル状態情報の報告の技法を企図するものである。１つまたは複数の実施形態では、ＷＴＲＵは、ある種のセルの送信ポイントのサブセットの受信信号強度（ＲＳＲＰ）および／または受信信号品質（ＲＳＲＱ）および／または経路損を、送信ポイントのサブセットに関する送信されたＣＳＩ−ＲＳ基準信号（１つまたは複数）を測定することに基づいて、推定することができる。
【０１９４】
諸実施形態は、ＷＴＲＵが、ある種のセルの送信ポイントのサブセットに関して送信された基準信号（１つまたは複数）（送信ポイント基準信号またはＴＰ−ＲＳと呼ばれる）の以前に定義されていないタイプを測定することに基づいて、送信ポイントのこのサブセットの受信信号強度（ＲＳＲＰ）および／または受信信号品質（ＲＳＲＱ）および／または経路損を推定することをも企図するものである。ＴＰ−ＲＳは、「マルチポイント測定」サブフレームと定義され、そのパターンがより上の層によって供給される特定のサブフレーム中に、いくつかの実施形態では特定のサブフレーム中に限って、この方法に従ってＣｏＭＰ対応ＷＴＲＵのために送信され、これによって受信される。そのようなサブフレームは、たとえばレガシＷＴＲＵがこれらのサブフレームでのある種の測定および関連する処理を実行することを試みるのを防ぐためにＭＢＳＦＮサブフレームのサブセットとして含まれる。
【０１９５】
諸実施形態は、異なる（隣接する）送信ポイントから送信されたＴＰ−ＲＳが、これらのポイントから受信される信号の間の潜在的な電力アンバランスに起因する正確さの消失を防ぐために異なるＯＦＤＭシンボルにおいて送信されることを企図するものである。
【０１９６】
その測定値に関してＣＳＩ−ＲＳまたはＴＰ−ＲＳを使用して、ＷＴＲＵは、同一のセル（１つまたは複数）および／または異なるセル（１つまたは複数）のいくつかのまたは各送信ポイントのＲＳＲＰ値またはＲＳＲＱ値を別々に報告する。ＲＲＣ測定レポートに基づいて、ネットワークは、ＣＳＩ報告に関する送信ポイントのサブセットを用いてＷＴＲＵを明示的に構成する。諸実施形態は、ＣＳＩ−ＲＳごとのまたはＴＰ−ＲＳごとのより上の層のＲＳＲＰ測定値が、たとえば他の理由の中でもＣＳＩ測定値報告のためにＷＴＲＵが使用するＣＳＩ−ＲＳリソースのセットを管理するためにネットワークによって使用されることを企図するものである。
【０１９７】
より具体的には、ＷＴＲＵは、おそらくは測定構成の一部として、測定すべき送信ポイント、ＣＳＩ−ＲＳ、またはＴＰ−ＲＳ（ポート）のリストを用いて構成される。この構成は、サービングセルに関係するＣＳＩ−ＲＳまたはＴＰ−ＲＳのリスト（たとえば、ＷＴＲＵのサービングセル、主サービングセル、またはあるいは副セルから送信されたＣＳＩ−ＲＳまたはＴＰ−ＲＳ）、特定のＰＣＩに関連するＣＳＩ−ＲＳまたはＴＰ−ＲＳのリスト、および／または任意のＰＣＩに関連するＣＳＩ−ＲＳまたはＴＰ−ＲＳのリストのうちの１つまたは組合せに対応するＣＳＩ−ＲＳ構成またはＴＰ−ＲＳ構成の少なくとも１つのサブセットを含む。
【０１９８】
諸実施形態は、より上の層の測定について使用されるＣＳＩ−ＲＳまたはＴＰ−ＲＳの構成が、次の構成パラメータのうちの少なくとも１つを含むことを企図するものである。
−  アンテナポートカウント（たとえば、１、２、４、または８）、
−  リソース構成（たとえば、ＣＳＩ−ＲＳまたはＴＰ−ＲＳのリソース要素構成）、
−  サブフレーム構成（たとえば、ＣＳＩ−ＲＳまたはＴＰ−ＲＳが送信されるサブフレーム）、
−  ＰＤＳＣＨ  ＥＰＲＥ対ＣＳＩ−ＲＳ  ＥＰＲＥの仮定される比（たとえば、Ｐｃ値）、
−  仮想セルアイデンティティなど、ＣＳＩ−ＲＳの擬似乱数シーケンスの初期値の導出に使用される少なくとも１つのパラメータ。１つまたは複数の実施形態では、ポートのうちのいくつかもしくはそれぞれまたはポートのサブセットのうちのいくつかもしくはそれぞれは、それ自体の擬似乱数シーケンス初期化構成を有する、および／または
−  関連するＰＣＩ−このパラメータは、ＣＳＩ−ＲＳまたはＴＰ−ＲＳがサービングセルまたはＰｃｅｌｌと異なるセルに対応する場合に含まれる。さらに、このパラメータは、異なるセルのＣＳＩ−ＲＳがＲＳＲＳＰ測定値に関して構成される場合に含まれる。
１つまたは複数の実施形態では、ネットワークは、たとえばＷＴＲＵにおけるより上の層の測定セットについて含まれるいくつかのまたはすべてのＣＳＩ−ＲＳに関する上で説明されたパラメータの完全なセットまたは部分的なセットを構成する。
【０１９９】
あるいはまたはそれに加えて、１つまたは複数の実施形態は、たとえばシグナリングを最適化するためなど、複数の理由から、以前に説明された構成のサブセットが、構成された送信ポイントにまたがって共通である（たとえば、あるパラメータが、いくつかのまたはすべての送信ポイントについて提供される）ことを企図するものである。残りのサブセットは、いくつかのまたは各送信ポイント構成について個別にＷＴＲＵに提供される。たとえば、アンテナポートカウントは、共通のパラメータであり、リソース構成、サブフレーム構成、および／または擬似乱数シーケンス構成は、いくつかのまたは各提供される送信ポイント（ＣＳＩ−ＲＳまたはＴＰ−ＲＳ）について異なる。
【０２００】
もう１つの例では、サブフレーム構成は、より上の層の測定に関して構成された送信ポイントにまたがる共通の構成パラメータでもある。より具体的には、そのような例で、ＷＴＲＵ測定セット構成は、１つのサブフレーム構成および潜在的に１つのアンテナポート構成（または、あるいは、デフォルトアンテナポート構成（たとえば、２）が仮定される）と、それに続く、リソース構成および／または擬似乱数シーケンス構成を含むがこれに限定されない独立の送信ポイント（たとえば、ＣＳＩ−ＲＳまたはＴＰ−ＲＳ）パラメータ構成のリストを含む。
【０２０１】
さらなる例として、１つのＣＳＩ−ＲＳ構成またはＴＰ−ＲＳ構成は、それぞれが個々のシーケンス生成を伴うポートの複数のサブセットを有する。これは、異なるＷＴＲＵの異なるＣＳＩ−ＲＳ構成を管理するためのネットワーク柔軟性を可能にする。この場合に、ＷＴＲＵは、複数のシーケンスイニシエータならびにいくつかのまたは各初期化が適用可能であるポートについて知らされる。あるいはまたはそれに加えて、ＷＴＲＵは、構成されたセル内で送信され（かつ、検出され）るＣＳＩ−ＲＳのＲＳＲＰを盲目的に復号し、かつ／または測定することを試みる。ＷＴＲＵがＣＳＩ−ＲＳまたはＴＰ−ＲＳを盲目的に復号するのを援助するために、ＷＴＲＵは、デフォルトアンテナポートカウント（たとえば、２アンテナポート構成）または所与の構成されたアンテナポートカウントを考慮して、ＣＳＩ−ＲＳを検索するためのサブフレーム構成を与えられる。それに加えてまたはあるいは、諸実施形態は、ネットワークが、ブラインド復号に使用される少なくともいくつかのサブフレームを構成することを企図するものである。これらのサブフレームまたは任意の他のサブフレームにおいて、同一のシーケンス生成初期化が、いくつかのまたはすべてのＣＳＩ−ＲＳリソースまたはＴＰ−ＲＳリソースについて使用される。シーケンス生成初期化は、たとえば、マクロセルの実際のＰＣＩによって入手される。
【０２０２】
諸実施形態は、ＷＴＲＵが、アンテナポートカウントに関するＣＳＩ−ＲＳがＣＳＩ−ＲＳの潜在的送信を検出するために送信される、いくつかのリソース要素またはすべての可能なリソース要素を検討することを企図するものである。１つまたは複数の実施形態では、より上の層の測定値をネットワークに報告する時に、ＷＴＲＵは、ＣＳＩ−ＲＳが検出されたリソース要素（１つまたは複数）をＲＳＲＰと一緒に報告する。これは、ネットワークが、測定値がどのＣＳＩ−ＲＳに対応するのかを決定し、かつ／またはＣＳＩ報告するセットおよび／もしくはＣｏＭＰセットを正しく構成することを可能にする。１つまたは複数の実施形態では、ＷＴＲＵは、これらのリソース要素の位置を示すリソース構成インデックス（またはｒｅｓｏｕｒｃｅＣｏｎｆｉｇパラメータ）をＲＳＲＰと一緒に報告する。ＷＴＲＵが送信ポイントを復号するのをさらに援助するために、１つまたは複数の実施形態では、ネットワークは、ＷＴＲＵが構成されたサブフレームにおいて復号する（または、少なくとも復号を試みる）ＣＳＩ−ＲＳポイントに関するスクランブリング構成を提供する。
【０２０３】
あるいはまたはそれに加えて、１つまたは複数の実施形態は、そのシーケンスがお互いの循環シフトである（たとえば、もはやゴールドシーケンスではなく、ＣＡＺＡＣシーケンスにより近い）ＣＳＩ−ＲＳを企図するものであり、その場合に、スクランブリング構成は、前もってＷＴＲＵに提供される必要がない。その場合に、いくつかのまたはすべての協力するポイントは、同一のルートシーケンスを共有する。１つまたは複数の実施形態は、ルートシーケンスが、たとえば、ネットワークによって事前に構成され、より上の層を介してＷＴＲＵにシグナリングされる形で、サブフレーム番号に対して条件付けられることを企図するものである。また、１つまたは複数の実施形態は、いくつかのまたは各送信ポイントについて、ＷＴＲＵが、たとえば報告する判断基準の評価または測定判断基準に使用する測定品質を維持し、かつ／または測定することを企図するものである。
【０２０４】
たとえば、限定ではなく、測定構成メッセージは、１つの情報または情報の組合せをＷＴＲＵに与える。たとえば、この情報は、サービングセル物理アイデンティティに属するまたは属さない複数ポイントＣＳＩ−ＲＳ報告または複数ポイントＴＰ−ＲＳ報告のために（および、いくつかの実施形態では、おそらくは複数ポイントＣＳＩ−ＲＳ報告または複数ポイントＴＰ−ＲＳ報告だけのために）使用される測定アイデンティティのセットを含む。この情報は、ＷＴＲＵがいくつかのまたはすべてのセルおよび／または送信ポイントにまたがって使用できる少なくとも１つの測定オブジェクトに関連する測定アイデンティティのセットを含む。さらに、この情報は、構成されたＰＣＩに関する送信ポイント（たとえば、サービングセル）あたりのＣＳＩ−ＲＳまたはＴＰ−ＲＳを測定するようにＷＴＲＵを構成する指示を含む。この構成は、測定アイデンティティ、測定オブジェクト、もしくは報告する構成に固有であり、またはあるいは、いくつかもしくはすべての測定アンデンティティおよび／もしくはイベントにまたがって適用される。もう１つの例では、この情報は、ＣＳＩ−ＲＳまたはＴＰ−ＲＳのリストに加えて、ＣＲＳを測定するようにＷＴＲＵを構成する指示をも含む。もう１つの例では、ＷＴＲＵは、リストの存在に基づいて、異なる送信ポイントを測定し、おそらくいくつかの実施形態では測定しなければならないと決定する。これらの測定が実行され（および、いくつかの実施形態ではおそらくは測定されなければならない）、ＷＴＲＵが判断基準評価にこれらを使用できる、測定アイデンティティは、測定構成メッセージ内で明示的に示される。あるいは、ＷＴＲＵは、これらをいくつかのまたはすべての測定アイデンティティにまたがって適用する。もう１つの例では、この情報は、サブセット内の送信ポイントの測定値をどの測定アンデンティティに適用できるのかの明示的なインジケーションを含む。
【０２０５】
測定イベントおよび測定アイデンティティの範囲は、異なる展開およびネットワークにまたがって変化するが、ＷＴＲＵは、１つまたは複数の測定イベントを用いて構成される。たとえば、測定イベントは、イベントＡ４を含む。この例では、隣接するセルの品質は、時間の構成された期間の間に、構成されたしきい値よりよくなる。このイベントは、複数の送信ポイントのＣＳＩ−ＲＳまたはＴＰ−ＲＳを測定する指示と共に構成された時に、送信ポイントの品質が時間の構成された期間の間に構成されたしきい値よりよくなるので、ＷＴＲＵによって解釈される。さらに、ＷＴＲＵは、サービングセルにおける送信ポイントにおいて、いくつかの実施形態ではおそらくはサービングセルにおける送信ポイントにおいてのみ、このイベントの送信を制限する。
【０２０６】
測定イベントのもう１つの例では、イベントは、サービングセルの送信ポイントの品質が構成されたしきい値未満に低下する時である。これは、イベントＡ４の「ｒｅｐｏｒｔＯｎＬｅａｖｅ」ビットをセットすることによっても構成される。一例では、送信ポイントの品質は、時間の構成された期間の間に、ＣＳＩ報告するセットまたはＣｏＭＰセット内に送信ポイントの品質よりしきい値だけよくなる。これは、たとえば、ＣｏＭＰセットを維持するのに使用される以前に未定義のイベントに対応する。
【０２０７】
ＷＴＲＵは、たとえば正しい測定判断基準評価およびやはり複数の送信ポイントを用いて構成された他のセルとの比較を可能にするためなどの理由から、同一セルにおけるまたは異なるセルにおける複数の送信ポイントに関する測定を実行しつつあるので、ＷＴＲＵは、さまざまな測定のうちの１つまたは組合せを使用する。一例では、ＷＴＲＵは、いくつかのまたはすべての構成された送信ポイントのＣＳＩ−ＲＳまたはＴＰ−ＲＳの測定に加えて、サービングセルおよび／または隣接するセルでのＣＲＳ測定をも実行し、いくつかの実施形態では、ＣＲＳ測定は、Ｒ１０  ＣＲＳ測定である。この例では、測定は、他のイベントに関する比較の基礎として使用される。もう１つの例では、ＷＴＲＵは、他のイベントに関する比較の基準として、いくつかのセルまたは各セルの最良の測定された送信ポイントを使用する（たとえば、イベントＡ３を評価し、トリガするために、ＷＴＲＵは、サービングセルにおける最良の送信ポイントの品質を考慮に入れ、いくつかの実施形態では、サービングセルにおける最良の送信ポイントの品質を考慮に入れるのみである）。もう１つの例では、ＷＴＲＵは、構成される場合に、いくつかのまたは各構成されたサブセットの最初のＣＳＩ−ＲＳまたはＴＰ−ＲＳを使用する。もう１つの例では、ＷＴＲＵは、異なる物理チャネルアイデンティティまたは異なるサブセットから測定されたＣＳＩ−ＲＳまたはＴＰ−ＲＳの関数または平均値を使用する（たとえば、あるいは、式に使用されるＣＳＩ−ＲＳまたはＴＰ−ＲＳは、構成されたＣｏＭＰセット内のＣＳＩ−ＲＳＭまたはＴＰ−ＲＳ（たとえば、ＣＳＩレポートセット）である）。
【０２０８】
もう１つの例では、ＷＴＲＵは、いくつかのまたはすべての送信ポイント測定値を使用し、これらを異なるセルからの測定値として扱う。次に、いくつかのまたはすべての構成されたイベントが、同一のサービングセルにおける送信ポイントについてトリガされる。たとえば、イベントＡ３は、サービングセルにおける最良の送信ポイントの変化がある時またはサービングセルにおけるいくつかのまたはすべての送信ポイントと比較した時の最良のセルの変化がある時にトリガされる。もう１つの例では、ＷＴＲＵは、判断基準が満足される送信ポイントが同一のサブセットに属する場合に、イベントをトリガする（たとえば、ある種のイベントは、判断基準がある送信ポイントについて満足される場合にトリガされる）。１つまたは複数の実施形態では、ＷＴＲＵは、判断基準が満足される送信ポイントが同一のサブセットに属する場合にイベントをトリガするのみである（たとえば、ある種のイベントは、判断基準がある送信ポイントについて満足される場合にトリガされるのみである）。
【０２０９】
企図される実施形態のうちの１つまたは複数では、ＣＳＩ−ＲＳまたはＴＰ−ＲＳに対してとられた測定値は、送信ポイント固有の構成されたイベントの評価に、および／または送信ポイント測定品質報告を実行するのに使用される。そのような実施形態では、レガシＣＲＳに対して実行された隣接するセル測定は、他のイベントおよび／または報告構成に独立に使用される。諸実施形態は、たとえば、測定構成（たとえば、ｍｅａｓＣｏｎｆｉｇ）によって、ＷＴＲＵが、サービングセルおよび／または異なるセル（１つまたは複数）上の送信ポイントのセットに対して周波数内測定（ｉｎｔｒａ−ｆｒｅｑｕｅｎｃｙ  ｍｅａｓｕｒｅｍｅｎｔ）を実行することを要求されることを企図するものである。１つまたは複数の実施形態では、ＷＴＲＵは、別の周波数上で送信ポイントのセットの周波数間測定（ｉｎｔｅｒ−ｆｒｅｑｕｅｎｃｙ  ｍｅａｓｕｒｅｍｅｎｔ）を実行することをも要求される。
【０２１０】
１つまたは複数の実施形態では、ＷＴＲＵは、構成されたイベントまたは構成がＣＳＩ−ＲＳ測定またはＴＰ−ＲＳ測定に適用されることをＷＴＲＵにおそらくは明示的に示す測定オブジェクトおよび／または報告する構成を用いて構成される。これは、次のうちの１つまたは組合せを使用して実行される。  
−  新しい測定オブジェクトは、ＣＳＩ−ＲＳまたはＴＰ−ＲＳに対する送信ポイント測定について定義される。１つまたは複数の実施形態では、１つの周波数に関する複数の測定オブジェクトが定義される（たとえば、セル評価のための１つの測定オブジェクトおよび送信ポイント評価のための１つの測定オブジェクト）。レポート構成は、新しいＣｏＭＰセット管理イベントまたは既存のイベント構成を含む。諸実施形態は、少なくとも１つの測定アンデンティティが、送信ポイントＣＳＩ−ＲＳリストもしくは送信ポイントＴＰ−ＲＳリストおよび／または報告する構成を含む関連する測定オブジェクトを有するように構成されることを企図するものであり、
−  １つまたは複数のこれまでは未定義の目的が、報告する構成ｒｅｐｏｒｔＣｏｎｆｉｇにおいて企図されている。たとえば、１つの目的は、「ｒｅｐｏｒｔＭｅａｓＣＳＩ＿ＲＳ」をセットされた目的に対応する。諸実施形態は、「ｒｅｐｏｒｔＭｅａｓＣＳＩ＿ＲＳをセットされた目的を有する報告する構成が、ＷＴＲＵによって受信される時に、そのＷＴＲＵが、送信ポイントの基準信号（たとえば、ＣＳＩ−ＲＳまたはＴＰ−ＲＳ）に対する測定を実行することを企図するものである。レポート構成は、このレポート構成がＣＳＩ−ＲＳ測定に使用されることの追加の目的および／または識別子を有する、イベントによってトリガされる構成を含む。レポート構成は、たとえば、リストされたＣＳＩ−ＲＳを測定し、それらを構成された時間期間内に報告するようにＷＴＲＵに要求するのに使用され、
−  測定オブジェクトは、送信ポイントＣＳＩ−ＲＳ構成または送信ポイントＴＰ−ＲＳ構成を含む（たとえば、ＣＳＩ−ＲＳ測定またはＴＰ−ＲＳ測定を実行するための送信ポイントのリスト）。以下で言及される時に、このリストは、「ｐｏｉｎｔｓＦｏｒＷｈｉｃｈＴｏＲｅｐｏｒｔＭｅａｓＣＳＩ＿ＲＳ」と呼ばれ、構成は、前に説明された構成のいずれかに従い、かつ／または
−  報告する構成は、「ｐｏｉｎｔｓＦｏｒＷｈｉｃｈＴｏＲｅｐｏｒｔＭｅａｓＣＳＩ＿ＲＳ」情報を含む。
【０２１１】
諸実施形態は、報告する構成が、測定判断基準（たとえば、イベント）を用いてＷＴＲＵを構成するための前に説明された技法のいずれかに関連して使用されることを企図するものである。関連するイベント（１つまたは複数）の判断基準が、リスト内の送信ポイントについて満足される時には、測定レポートがトリガされる。１つまたは複数の実施形態では、ＷＴＲＵは、たとえば送信ポイント測定に関するワンショット要求によって、送信ポイントのセットを測定し、かつ／または報告することを要求される。たとえば、これは、報告する構成（たとえば、ｒｅｐｏｒｔＣｏｎｆｉｇ）を使用することによって達成される。諸実施形態は、前に説明された１つまたは複数のこれまでは未定義の目的（ｒｅｐｏｒｔＭｅａｓＣＳＩ＿ＲＳ）が、構成された送信ポイントリストに対して測定を実行し、いくつかの実施形態ではそれらを報告するようにＷＴＲＵに指示するのに使用されることを企図するものである。ｒｅｐｏｒｔＣｏｎｆｉｇは、目的をｒｅｐｏｒｔＭｅａｓＣＳＩ＿ＲＳにセットし、所与の構成に関するイベントトリガを構成するまたは構成しない。ＷＴＲＵは、おそらくはいくつかのまたはすべての要求された測定ポイントを測定するや否や、測定値を報告し、または、たとえば時間の構成された期間の後にレポートを送信する。１つまたは複数の実施形態では、タイマの満了時に、ＷＴＲＵは、いくつかのまたはすべての測定されたＣＳＩ−ＲＳおよび／または検出されたＣＳＩ−ＲＳを報告する。
【０２１２】
１つまたは複数の実施形態では、測定すべき送信ポイントまたはＣＳＩ−ＲＳのリストは、測定オブジェクト（たとえば、周波数内測定オブジェクト）の一部として提供される。測定オブジェクトは、ＷＴＲＵが測定する、１つまたは複数の実施形態ではおそらくは測定しなければならないＣＳＩ−ＲＳ、ＴＰ−ＲＳ、および／または送信ポイントのリストを含む。以下で言及される時に、このリストは、ｐｏｉｎｔｓＦｏｒＷｈｉｃｈＴｏＲｅｐｏｒｔＭｅａｓＣＳＩ＿ＲＳと呼ばれる。そのような例では、報告する構成は、レポートタイプまたは目的（たとえばｒｅｐｏｒｔＭｅａｓＣＳＩ＿ＲＳ）を含み、さらに、報告する判断基準を含み、ここで、報告する判断基準は、既存のイベント（たとえば、イベント４）またはこれまでに未定義のイベントを含む。あるいはまたはそれに加えて、レポート構成は、目的に「ｒｅｐｏｒｔＭｅａｓＣＳＩ−ＲＳ」をセットし（いくつかの実施形態では、おそらくは目的に「ｒｅｐｏｒｔＭｅａｓＣＳＩ−ＲＳ」をセットするのみ）、イベントを構成しない。その場合に、ＷＴＲＵは、それが測定することを示すのにそのようなレポート目的の存在を使用し、提供される送信ポイントＣＳＩ−ＲＳを獲得し（または少なくとも獲得を試み）、たとえば、測定された後にまたは構成された時間以内に測定量を報告する。
【０２１３】
１つまたは複数の実施形態では、ＷＴＲＵは、目的に「ｒｅｐｏｒｔＭｅａｓＣＳＩ＿ＲＳ」をセットされたｒｅｐｏｒｔＣｏｎｆｉｇおよび／または対応する測定オブジェクト（たとえば、ＣＳＩ−ＲＳ構成、ｐｏｉｎｔｓＦｏｒＷｈｉｃｈＴｏＲｅｐｏｒｔＭｅａｓＣＳＩ＿ＲＳを含む）のうちの少なくとも１つを組み合わせる送信ポイントＣＳＩ−ＲＳ報告に関する少なくとも１つの測定アンデンティティを用いて構成される。
【０２１４】
１つまたは複数の実施形態では、いくつかのまたは各ｍｅａｓＩｄについて、諸実施形態は、対応するｒｅｐｏｒｔＣｏｎｆｉｇが「ｒｅｐｏｒｔＭｅａｓＣＳＩ＿ＲＳ」をセットされた目的を含むことを企図するものである。いくつかの実施形態では、ＷＴＲＵは、関連するｍｅａｓＯｂｊｅｃｔ内の周波数上でＣＳＩ−ＲＳに関する測定を実行する。たとえば、ＣＳＩ−ＲＳに関するアシスタント情報がＷＴＲＵに提供されない場合に、ＷＴＲＵは、構成されたサブフレーム上で、おそらくは所与のアンテナ構成に関するＣＳＩ−ＲＳの既知の可能なリソース要素上でＣＳＩ−ＲＳを検出し（または少なくとも検出を試み）、構成された測定量（たとえば、ＲＳＲＰ）を測定する。さらなる例として、ＷＴＲＵは、ｃｅｌｌＦｏｒＷｈｉｃｈＴｏＲｅｐｏｒｔＭｅａｓＣＳＩ＿ＲＳ内で見つけられる送信ポイントＣＳＩ−ＲＳまたは送信ポイントＴＰ−ＲＳに対して測定を実行する。
【０２１５】
１つまたは複数の実施形態では、いくつかのまたは各ｍｅａｓＩｄについて、諸実施形態は、対応するｒｅｐｏｒｔＣｏｎｆｉｇが、ｒｅｐｏｒｔＭｅａｓＣＳＩ＿ＲＳをセットされた目的を含むことを企図するものである。いくつかの実施形態では、ＷＴＲＵは、所与のセル上で検出されるすべての送信ポイント（ＣＳＩ−ＲＳ）を検討し、対応するＲｅｐｏｒｔＣｏｎｆｉｇにおいて提供されるイベント報告および／またはイベントトリガリングに適用可能なＶａｒＭｅａｓＣｏｎｆｉｇ内の対応するｍｅａｓＯｂｊｅｃｔに含まれる「ｃｅｌｌＦｏｒＷｈｉｃｈＴｏＲｅｐｏｒｔＭｅａｓＣＳＩ＿ＲＳ」の値を突き合わせる。
【０２１６】
１つまたは複数の実施形態では、これまでに未定義の測定オブジェクトが、ＷＴＲＵにおいて構成される。測定オブジェクトは、ｐｏｉｎｔｓＦｏｒＷｈｉｃｈＴｏＲｅｐｏｒｔＭｅａｓＣＳＩ＿ＲＳを含む。少なくとも１つの測定アイデンティティが、構成され、その中で、そのような測定オブジェクトおよび／または報告する構成が、おそらくはたとえば他の理由の中でもサービングセルおよび／または任意の他のセルに関する送信ポイントに対する測定値をＷＴＲＵがとることを可能にするために、リンクされる。１つまたは複数の実施形態では、いくつかのまたは各ｍｅａｓＩＤについて、対応する測定オブジェクトは、ｃｅｌｌＦｏｒＷｈｉｃｈＴｏＲｅｐｏｒｔＭｅａｓＣＳＩ＿ＲＳを含められる。諸実施形態は、ＷＴＲＵが、所与のセル上で検出されるすべての送信ポイント（ＣＳＩ−ＲＳ）を検討し、対応するＲｅｐｏｒｔＣｏｎｆｉｇ内で提供されるイベント報告および／またはイベントトリガリングに適用可能なＶａｒＭｅａｓＣｏｎｆｉｇ内の対応するｍｅａｓＯｂｊｅｃｔ内に含まれる「ｃｅｌｌＦｏｒＷｈｉｃｈＴｏＲｅｐｏｒｔＭｅａｓＣＳＩ＿ＲＳ」の値を突き合わせることを企図するものである。
【０２１７】
諸実施形態は、測定構成の自律的除去を企図するものである。１つまたは複数の実施形態では、たとえば、測定すべき送信ポイントが、サービングセル内（いくつかの実施形態ではおそらくサービングセル内のみ）に存在する送信ポイントに対応する場合に、ＷＴＲＵは、サービングセル変化が発生する時など、複数の理由から１つまたは複数の測定構成を自律的に除去する。さらなる例として、諸実施形態は、サービングセルの変化および／またはハンドオーバが発生し、ここで、ＷＴＲＵが、次の測定構成のうちの１つまたは組合せを自律的に除去することを企図するものである。  
−  目的に「ｒｅｐｏｒｔＭｅａｓＣＳＩ＿ＲＳ」をセットされた対応するｒｅｐｏｒｔＣｏｎｆｉｇを有する測定アイデンティティ、
−  測定すべきＣＳＩ−ＲＳリストを有する対応するｍｅａｓＯｂｊｅｃｔを有する測定アイデンティティ（たとえば、これは、これまでに未定義の測定オブジェクトがＣＳＩ−ＲＳ測定のために導入される場合に使用される）、
−  目的にｒｅｐｏｒｔＭｅａｓＣＳＩ＿ＲＳをセットされたｒｅｐｏｒｔＣｏｎｆｉｇ、および／または
ｃｅｌｌＦｏｒＷｈｉｃｈＴｏＲｅｐｏｒｔＭｅａｓＣＳＩ＿ＲＳは、所与の測定オブジェクトについてＷＴＲＵのメモリから除去される。
【０２１８】
ある送信ポイントの測定イベントの１つに対応する判断基準（たとえば、レポート構成）が満足される時、および／またはＷＴＲＵが報告する構成における要求に従って測定レポートを送信すると決定する時。ＷＴＲＵは、次の情報のうちのいくつかまたはすべてが含まれ、ネットワークに送信される測定レポートをトリガする：測定アイデンティティ、サービングセルの物理チャネルアイデンティティ、イベントをトリガした送信ポイント（１つまたは複数）アイデンティティおよび対応する測定結果（送信ポイントアイデンティティは、明示的インデックスまたは送信ポイント構成の順序に基づいてＷＴＲＵによって暗黙のうちに決定されるオリジナル構成メッセージ内で提供された送信ポイントインデックスに対応する（あるいは、送信ポイントアイデンティティは、たとえば仮想ＩＤがＷＴＲＵに提供されるシナリオについて、測定リストの一部として提供される仮想セルＩＤを提供することによってレポート内で示され、送信ポイントアイデンティティは、ＴＳＩおよび／またはＰＩを含む））、イベントをトリガするＣＳＩ−ＲＳまたはＴＰ−ＲＳが対応するサブセット、および／または他の送信ポイントの測定値も、レポート内に含まれる。ブラインド検出の場合に、諸実施形態は、基準信号がその中で検出されたＲＥがレポート内で示されることを企図するものである。ネットワークは、ＣｏＭＰセットを決定し、セットを用いてＷＴＲＵを構成するためにこの測定レポートを使用し、このセットは、ＷＴＲＵがそれに関してＣＳＩ報告を実行する送信ポイントのセットを決定する。１つまたは複数の実施形態は、副サービングセル（Ｓｃｅｌｌ）における送信ポイントに同等に拡張され、ここで、いくつかの実施形態では、特定のＳｃｅｌｌオフセットも定義される。
【０２１９】
諸実施形態は、送信ポイントの１つまたは複数の異なるサブセットのＣＳＩ−ＲＳの測定を企図するものである。１つまたは複数の実施形態では、ＷＴＲＵは、異なるサブフレーム内で異なる送信ポイント（またはそのサブセット）に関連するＣＳＩ−ＲＳのセットを測定する。ＷＴＲＵが、送信ポイントの特定のサブセットのＣＳＩ−ＲＳのセットをその間に測定するサブフレームは、周期的な基礎で発生する。この場合に、ＣＳＩ−ＲＳがその間に測定されるサブフレームの周期性および／またはオフセットは、送信ポイントのいくつかのまたは各サブセットについて異なる。１つまたは複数の実施形態では、ＷＴＲＵは、サブフレーム構成（ＩCSI-RSパラメータおよび／またはｓｕｂｆｒａｍｅＣｏｎｆｉｇパラメータ）および／またはこの送信ポイントに固有のアンテナの個数（ａｎｔｅｎｎａＰｏｒｔｓＣｏｕｎｔパラメータ）に従って、送信ポイントのＣＳＩ−ＲＳ基準信号を測定する。言い替えると、ＷＴＲＵは、たとえば単一の非ゼロ電力ＣＳＩ−ＲＳ構成ではなく、複数の非ゼロ電力ＣＳＩ−ＲＳ構成を与えられる。この技法は、たとえば、同一の地理的区域における多数の送信ポイントを含むネットワーク内でＣＳＩ−ＲＳ送信の構成に関するより高い柔軟性を可能にする。
【０２２０】
ＷＴＲＵは、異なる送信ポイント（またはそのサブセット）に関する異なるサブフレーム内で発生するいくつかのまたは各送信ポイント（またはそのサブセット）に関するゼロ電力ＣＳＩ−ＲＳのセット（またはミューティングパターン）をも与えられる。ＷＴＲＵは、少なくとも次の目的のためにこれらのミューティングパターンの存在の知識を利用する：ＰＤＳＣＨ復号、ならびに／またはたとえば干渉推定および／もしくはミュートされたリソース要素と同一のＯＦＤＭシンボルにおいて発生する所望の信号の推定などのＣＳＩ計算調整。１つまたは複数の実施形態では、ＣＱＩのいくつかのまたはすべてのタイプについて干渉を推定するために定義された１つのミューティングパターン（いくつかの実施形態ではおそらくは単一のミューティングパターン）、または、アグリゲーテッドＣＱＩ、他のポイントでのミューティング仮定を伴わないポイントごとのＣＱＩ、および／もしくは他のポイントでのミューティング仮定を伴うポイントごとのＣＱＩなど、ＣＱＩのいくつかのまたは各タイプについて干渉を推定するために定義される別々のミューティングパターンがある。
【０２２１】
１つまたは複数の実施形態では、ＷＴＲＵは、同一のサブフレーム内であるが異なるリソース要素における異なる送信ポイントに関連するＣＳＩ−ＲＳのセットを測定する。この技法は、たとえば信号が同一サブフレームにおいて測定されるので、送信ポイントの間の位相差がより正確に測定されることができるという利益を有する。
【０２２２】
より具体的には、１つまたは複数の実施形態で、異なる送信ポイントに関連するＣＳＩ−ＲＳは、時間領域で異なるＯＦＤＭシンボルにおいてＷＴＲＵによって送信され、かつ／または測定される。そのような実施形態は、そこまでの経路損が異なる異なる送信ポイントから送信される信号の間の受信電力のアンバランスから生じる問題を最小にする。いくつかの実施形態では、ＷＴＲＵは、いくつかのまたはすべての送信ポイントに共通するＣＳＩ基準信号構成（ｒｅｓｏｕｒｃｅＣｏｎｆｉｇパラメータ）ではなくこの送信ポイントに固有のＣＳＩ基準信号構成（および／またはアンテナポートの個数）に従って送信ポイントのＣＳＩ−ＲＳ基準信号を測定する。そのような基準信号構成は、たとえば、いくつかのまたは各送信ポイント（たとえば）について０から３１までの範囲の整数によって示され、より上の層のシグナリングまたは物理層シグナリングによって提供される。
【０２２３】
図３Ａは、通常ＣＰサブフレームの例示的なＣＳＩ−ＲＳポートマッピングを示す。送信ポイントのＴＸアンテナの個数に従って、図示のＣＳＩ−ＲＳポートの１セットが、ＣＳＩ測定に使用される。いくつかの実施形態では、おそらくは、図示のＣＳＩ−ＲＳポートの１セットだけが、ＣＳＩ測定に使用される。１つまたは複数の実施形態は、同一サブフレームでの複数の送信ポートの同時ＣＳＩ測定が達成されることができることを企図するものである。たとえば、４つのＴｘアンテナおよびそれぞれが２つのＴＸアンテナを備える３つのリモート無線ヘッドを有するマクロｅＮＢを含むマルチポイント送信システムでは、ＣＳＩ−ＲＳは、図３Ｂに示されているように送信される。図３Ｂでは、図示の４リソース要素（列１０および１１の第１行および第７行）が、マクロｅＮＢのＣＳＩ測定に使用される。図示の３つの２リソース要素セット（たとえば、２ＣＳＩ−ＲＳポートおよび４ＣＳＩ−ＲＳポートの第５列および第６列の第３行、４ＣＳＩ−ＲＳポートの第１２列および第１３列の第３行）は、リモート無線ヘッドＡ、Ｂ、および／またはＣなど、３つのリモート無線ヘッドのＣＳＩ測定に使用される。ＷＴＲＵは、マクロｅＮＢから送信されたＣＳＩ−ＲＳおよびリモート無線ヘッドのうちの少なくとも１つから送信されたＣＳＩ−ＲＳを測定するように構成される。これらは、異なるＯＦＤＭシンボルにおいて送信されるので、この２つのノードから送信されるＣＳＩ−ＲＳの間の潜在的な電力アンバランスに起因する測定劣化はない。
【０２２４】
１つまたは複数の実施形態では、ＣＳＩ−ＲＳは、「マルチポイント測定」サブフレームと定義され、そのパターンがより上の層によって提供される、特定のサブフレーム中に（および、いくつかの実施形態ではおそらくは特定のサブフレーム中にのみ）ＣｏＭＰ対応ＷＴＲＵによって送信され、かつ／または受信される。いくつかの実施形態では、そのようなサブフレームは、レガシＷＴＲＵがこれらのサブフレームにおけるある種の測定および関連する処理を実行することを試みるのを防ぐために、ＭＢＳＦＮサブフレームのサブセットとして含まれる。
【０２２５】
１つまたは複数の実施形態では、異なる送信ポイント（またはそのサブセット）は、少なくともＣＱＩを導出するのに使用されるＣＳＩ−ＲＳ  ＥＰＲＥに対するＰＤＳＣＨ  ＥＰＲＥの比（またはｐ−Ｃパラメータ）の異なる値に関連する。時々、またはいくつかの実施形態では、ＷＴＲＵが所与の送信ポイント（またはそのサブセット）に関連するＣＳＩを推定する時に必ず、ＷＴＲＵは、この送信ポイント（またはそのサブセット）の比の適当な値を決定し、ＣＳＩを計算するのにこれを使用する。各送信ポイントまたはそのサブセットの比の値は、より上の層（たとえば、ＲＲＣシグナリング）によって提供される。ＷＴＲＵが少なくとも１つの共通基準信号（ＣＲＳ）に基づいてＣＳＩを推定する１つまたは複数の実施形態では、ＷＴＲＵは、たとえば所与の送信ポイントに固有のセル固有ＲＳ  ＥＰＲＥ（パラメータｒｅｆｅｒｅｎｃｅＳｉｇｎａｌＰｏｗｅｒ）の値を使用することによって、この送信ポイントに関連するＣＳＩを推定する。
【０２２６】
諸実施形態は、副搬送波ｋでＴｘポイントｍの信号から受信されたＲＳが、次のように表されることができることを企図するものである。
【０２２７】
【数９】
2020174366.tif 000015
【０２２８】
ここで、（ｍ，τ）は、Ｔｘポイントｍからのタイミングオフセットであり、
【０２２９】
【数１０】
2020174366.tif 000016
【０２３０】
は、タイミングオフセットを伴わない副搬送波ｋで受信されたＲＳシンボルであり、Ｎは、ＦＦＴポイント数である。
受信されたＤＭ−ＲＳシンボルは、
【０２３１】
【数１１】
2020174366.tif 000017
【０２３２】
【数１２】
2020174366.tif 000018
【０２３３】
によって与えられる。受信されたデータシンボルは、
【０２３４】
【数１３】
2020174366.tif 000019
【０２３５】
【数１４】
2020174366.tif 000020
【０２３６】
によって与えられる。副搬送波ｋおよびＯＦＤＭシンボルｌでＴｘポイントｍ1およびｍ2から受信されたＲＳ信号またはユーザｊは、
【０２３７】
【数１５】
2020174366.tif 000021
【０２３８】
【数１６】
2020174366.tif 000022
【０２３９】
として表されることができる。送信の間の位相情報のタイミングが、報告されることができない場合には、最良のプリコーダ
【０２４０】
【数１７】
2020174366.tif 000023
【０２４１】
および
【０２４２】
【数１８】
2020174366.tif 000024
【０２４３】
は、
【０２４４】
【数１９】
2020174366.tif 000025
【０２４５】
【数２０】
2020174366.tif 000026
【０２４６】
として見つけられることができる。諸実施形態は、この場合に、交差項
【０２４７】
【数２１】
2020174366.tif 000027
【０２４８】
および
【０２４９】
【数２２】
2020174366.tif 000028
【０２５０】
が最適化されないので、受信された信号（または合計速度（ｓｕｍ−ｒａｔｅ））が、最大化されないことを認めるものである。
【０２５１】
その一方で、相対タイミングまたは位相情報が、測定され報告されることができる（そのような測定は、たとえばセクション４．４で説明されるように同一のサブフレームにおける両方の送信ポイントのＣＳＩ−ＲＳを測定することによって、正確になることができる）場合に、
【０２５２】
【数２３】
2020174366.tif 000029
【０２５３】
および
【０２５４】
【数２４】
2020174366.tif 000030
【０２５５】
は、式（７）を最大化することによって、ジョイントで決定されることができる。諸実施形態は、これが、大きい量子化されたコードブックを要求する可能性があることを認めるものである。
【０２５６】
したがって、諸実施形態は、タイミングオフセットに起因する合計速度の損失を補償する技法を企図するものである。これは、式（７）を
【０２５７】
【数２５】
2020174366.tif 000031
【０２５８】
【数２６】
2020174366.tif 000032
【０２５９】
として書き直すことによって示されることができる。
【０２６０】
位相補正行列項Ｖは、
【０２６１】
【数２７】
2020174366.tif 000033
【０２６２】
または
【０２６３】
【数２８】
2020174366.tif 000034
【０２６４】
のいずれかに適用され、式（１０）または（１１）が最適化されることを可能にし、したがって、有効なプリコーダ行列は、
【０２６５】
【数２９】
2020174366.tif 000035
【０２６６】
または
【０２６７】
【数３０】
2020174366.tif 000036
【０２６８】
のいずれかであることができる。
【０２６９】
このシナリオでは、タイミングオフセットは、別々に報告されるまたは位相補正行列項に含まれるのいずれかとすることができる。すなわち、
・位相調整
【０２７０】
【数３１】
2020174366.tif 000037
【０２７１】
または単にタイミングオフセットΔτは、ＲＳから測定され、量子化され、別々にｅＮＢに報告され、位相補正行列項Ｖは、別々にｅＮＢに報告される。
あるいは、位相調整
【０２７２】
【数３２】
2020174366.tif 000038
【０２７３】
は、位相補正行列項
【０２７４】
【数３３】
2020174366.tif 000039
【０２７５】
に含まれ、ｅＮＢにジョイントで報告される。
【０２７６】
本明細書の説明に鑑み、図４を参照して、例示的実施形態は、少なくとも一部に、４０２で、１つまたは複数の送信ポイントを識別するように構成される無線送信／受信デバイス（ＷＴＲＵ）を企図するものである。１つまたは複数の送信ポイントは、チャネル状態情報（ＣＳＩ）報告のために構成される。ＷＴＲＵは、さらに、４０４で、１つまたは複数の送信ポイントのＣＳＩを生成するように構成される。また、ＷＴＲＵは、４０６で、ＷＴＲＵと通信している１つまたは複数のノードにＣＳＩを送信するように構成される。諸実施形態は、１つまたは複数の送信ポイントが、ＷＴＲＵと通信している少なくとも１つのアンテナポートを含むことを企図するものである。諸実施形態は、１つまたは複数の送信ポイントが、ＣＳＩ基準信号（ＣＳＩ−ＲＳ）リソースであることをも企図するものである。諸実施形態は、４０８で、ＷＴＲＵが、さらに、ＷＴＲＵの物理層より上の１つまたは複数の論理層からのシグナリングを介して１つまたは複数の送信ポイントのインジケーションを受信するように構成されることを企図するものである。
【０２７７】
諸実施形態は、ＷＴＲＵが、４１０で、さらに、１つまたは複数の送信ポイントからそれぞれ送信される信号の少なくとも１つの特性の少なくとも一部に基づいて１つまたは複数の送信ポイントを決定するように構成されることを企図するものである。諸実施形態は、少なくとも１つの特性が、たとえば、信号強度、信号品質、またはチャネル品質のうちの少なくとも１つであることを企図するものである。諸実施形態は、ＷＴＲＵが、４１２で、さらに、１つまたは複数の送信ポイントの１つまたは複数のサブセットを識別するように構成されることを企図するものである。諸実施形態は、１つまたは複数の送信ポイントが、さらに、１つまたは複数のサブフレームにおいてＣＳＩ報告のために構成されることを企図するものである。諸実施形態は、ＷＴＲＵが、４１４で、さらに、少なくとも１つのサブフレームにおいて少なくとも１つのサブセットのＣＳＩを送信するように構成されることを企図するものである。諸実施形態は、少なくとも１つのサブフレームが、システムフレーム番号またはサブフレーム番号のうちの少なくとも１つの少なくとも一部に基づいて決定されることを企図するものである。諸実施形態は、ＷＴＲＵが、４１６で、さらに、周期的手法または非周期的手法のうちの少なくとも１つにおいて少なくとも１つのサブフレーム内に少なくとも１つのサブセットについてのＣＳＩを送信するように構成されることを企図するものである。
【０２７８】
諸実施形態は、無線送信／受信ユニット（ＷＴＲＵ）によって実行される１つまたは複数の方法を企図するものである。図５を参照すると、１つまたは複数の実施形態は、５０２で、Ｋ個の送信ポイントを識別することを含み、Ｋ個の送信ポイントは、チャネル状態情報（ＣＳＩ）報告のために構成され、Ｋは、整数である。諸実施形態は、さらに、５０４で、Ｋ個の送信ポイントのうちの１つまたは複数のＣＳＩを生成することを含む。さらに、諸実施形態は、５０６で、ＷＴＲＵと通信している１つまたは複数のノードにＣＳＩを送信することを含む。また、諸実施形態は、５０８で、Ｋ個の送信ポイントによってそれぞれ送信されるＣＳＩ基準信号（ＣＳＩ−ＲＳ）または共通基準信号（ＣＲＳ）のうちの少なくとも１つを受信することを含む。諸実施形態は、Ｋ個の送信ポイントを識別することが、受信されたＣＳＩ−ＲＳまたはＣＲＳの少なくとも一部に基づくことを企図するものである。１つまたは複数の実施形態では、ＣＳＩを生成することは、５１０で、Ｋ個の送信ポイントのうちの１つまたは複数のジョイントランクインジケーションまたはポイントごとのランクインジケーションのうちの少なくとも１つを生成することを含む。１つまたは複数の実施形態では、ＣＳＩを生成することは、５１２で、ジョイントチャネル品質インデックス（ＣＱＩ）を生成することを含み、ジョイントＣＱＩは、Ｋ個の送信ポイントのうちの１つまたは複数を介するジョイント送信に対応する。
【０２７９】
諸実施形態は、Ｋ個の送信ポイントのうちの１つまたは複数を介するジョイント送信が、少なくとも１つの符号語のジョイント送信であることを企図するものである。諸実施形態は、ジョイントＣＱＩが、たとえば、コヒーレントジョイントＣＱＩおよび非コヒーレントジョイントＣＱＩのうちの少なくとも１つを含むことを企図するものである。諸実施形態は、ＣＳＩを生成することが、５１４で、Ｋ個の送信ポイントのうちの１つまたは複数のプリコーディング行列インジケータ（ＰＭＩ）を生成することを含むことをも企図する。
【０２８０】
図６を参照すると、諸実施形態は、無線送信／受信デバイス（ＷＴＲＵ）であって、少なくとも一部に、６０２で、１つまたは複数の送信ポイントを識別し、１つまたは複数の送信ポイントは、チャネル状態情報（ＣＳＩ）報告のために構成される、ＷＴＲＵを企図するものである。６０４では、ＷＴＲＵは、１つまたは複数の送信ポイントの送信状態を決定するように構成される。６０６では、ＷＴＲＵは、１つまたは複数の送信ポイントのＣＳＩを生成するように構成される。また、６０８では、ＷＴＲＵは、それぞれの１つまたは複数の送信ポイントの送信状態のインジケーションを受信するようにさらに構成され、送信状態のインジケーションは、たとえば送信状態、干渉状態、ブランクにされた状態、または未知状態のうちの１つまたは複数を含む。６１０では、ＷＴＲＵは、１つまたは複数の送信ポイントの決定された遷移状態を１つまたは複数の送信ポイントの所定の遷移状態と比較するようにさらに構成される。また、ＷＴＲＵは、６１２で、それぞれの１つまたは複数の送信ポイントの送信状態が所定の送信状態である時に、ＷＴＲＵと通信している１つまたは複数のノードにそれぞれの１つまたは複数の通信ポイントのＣＳＩを送信する。
【０２８１】
特徴および要素が、上では特定の組合せで説明されるが、当業者は、各特徴または要素が、単独でまたは他の特徴および要素との任意の組合せで使用されることができることを了解するであろう。さらに、本明細書で説明される方法は、コンピュータまたはプロセッサによる実行のためにコンピュータ可読媒体に組み込まれたコンピュータプログラム、ソフトウェア、またはファームウェアで実施される。コンピュータ可読媒体の例は、電子信号（有線または無線の接続を介して伝送される）およびコンピュータ可読記憶媒体を含む。コンピュータ可読記憶媒体の例は、読取り専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびディジタル多用途ディスク（ＤＶＤ）などの光学媒体を含むが、これに限定されない。ソフトウェアに関連するプロセッサは、ＷＴＲＵ、ＵＥ、端末、基地局、ＲＮＣ、または任意のホストコンピュータにおいて使用される無線周波数トランシーバを実施するのに使用される。
【産業上の利用可能性】
【０２８２】
本発明は、一般的に無線通信システムに利用することができる。
【符号の説明】
【０２８３】
１００  通信システム
１０２ａ、１０２ｂ、１０２ｃ、１０２ｄ  ＷＴＲＵ
１０４  ＲＡＮ
１０６  コアネットワーク
１１０  インターネット
１１４ａ  基地局
１１８  プロセッサ
１２０  トランシーバ（送受信機）
１２２  送信／受信要素（アンテナ）
【図１Ａ】
2020174366.tif 000040
【図１Ｂ】
2020174366.tif 000041
【図１Ｃ】
2020174366.tif 000042
【図２】
2020174366.tif 000043
【図３Ａ】
2020174366.tif 000044
【図３Ｂ】
2020174366.tif 000045
【図４】
2020174366.tif 000046
【図５】
2020174366.tif 000047
【図６】
2020174366.tif 000048